(57)【特許請求の範囲】
【請求項１】
無線通信システムで端末が上向きリンク送信を行う方法において、
基地局から、上向きリンク共有チャネル（ｕｐｌｉｎｋ  ｓｈａｒｅｄ  ｃｈａｎｎｅｌ）のスケジューリングのための下向きリンク制御情報（Ｄｏｗｎｌｉｎｋ  Ｃｏｎｔｒｏｌ  Ｉｎｆｏｒｍａｔｉｏｎ、ＤＣＩ）を受信するステップと、
前記ＤＣＩに基づいて、前記上向きリンク共有チャネルを介して前記上向きリンク送信を行うステップと、
を含み、
前記ＤＣＩは、サウンディング参照信号（Ｓｏｕｎｄｉｎｇ  Ｒｅｆｅｒｅｎｃｅ  Ｓｉｇｎａｌ）資源指示（ＳＲＳ  ｒｅｓｏｕｒｃｅ  ｉｎｄｉｃａｔｉｏｎ、ＳＲＩ）を運ぶＳＲＩフィールド（ＳＲＩ  ｆｉｅｌｄ）及び復調参照信号（Ｄｅｍｏｄｕｌａｔｉｏｎ  Ｒｅｆｅｒｅｎｃｅ  Ｓｉｇｎａｌ、ＤＭＲＳ）関連フィールドを含み、
前記上向きリンク送信のためのレイヤ（ｌａｙｅｒ）の数は、前記ＳＲＩフィールドに基づいて決定され、
前記上向きリンク送信のためのＤＭＲＳ状態の数は、前記レイヤの数にしたがって異なって設定され、
前記ＤＭＲＳ関連フィールドのサイズ（ｓｉｚｅ）は、前記上向きリンク送信のためのＤＭＲＳ状態の最大数を表す最小ビットサイズ（ｂｉｔｗｉｄｔｈ）で構成される、方法。
【請求項２】
前記ＤＭＲＳ関連フィールドは、ＤＭＲＳのポート構成（ｐｏｒｔ  ｃｏｎｆｉｇｕｒａｔｉｏｎ）のために設定されたフィールドである、請求項１に記載の方法。
【請求項３】
前記ＤＭＲＳ関連フィールドのサイズは、前記上向きリンク送信に適用できるレイヤの数の候補と同じである、請求項１に記載の方法。
【請求項４】
前記上向きリンク送信は、非−コードブック（ｎｏｎ−ｃｏｄｅｂｏｏｋ）基盤で行われる、請求項３に記載の方法。
【請求項５】
前記ＳＲＩフィールドのビットサイズは、前記端末に設定されたＳＲＳ資源セット内のＳＲＳ資源の数及び前記上向きリンク送信のために支援されるレイヤの最大数に基づいて決定される、請求項３に記載の方法。
【請求項６】
前記ＳＲＩフィールドのビットサイズは、下記の数式によって決定され、
［数式］
ｃｅｉｌ（ｌｏｇ２（Ｓ＿ｔｏｔ））
ここで、ｃｅｉｌ（ｘ）は、ｘより小さくない最小の整数を出力する関数であり、
0006826204.tif 000030
であり、Ｎは、ＵＥに設定されたＳＲＳ資源セット内のＳＲＳ資源の数であり、Ｌ＿ｍａｘは、前記上向きリンク送信のために支援されるレイヤの最大数である、請求項５に記載の方法。
【請求項７】
無線通信システムで基地局が上向きリンク受信を行う方法において、
端末に、上向きリンク共有チャネル（ｕｐｌｉｎｋ  ｓｈａｒｅｄ  ｃｈａｎｎｅｌ）のスケジューリングのための下向きリンク制御情報（Ｄｏｗｎｌｉｎｋ  Ｃｏｎｔｒｏｌ  Ｉｎｆｏｒｍａｔｉｏｎ、ＤＣＩ）を送信するステップと、
前記ＤＣＩに基づいて、前記上向きリンク共有チャネルを介して前記上向きリンク受信を行うステップと、
を含み、
前記ＤＣＩは、サウンディング参照信号（Ｓｏｕｎｄｉｎｇ  Ｒｅｆｅｒｅｎｃｅ  Ｓｉｇｎａｌ）資源指示（ＳＲＳ  ｒｅｓｏｕｒｃｅ  ｉｎｄｉｃａｔｉｏｎ、ＳＲＩ）を運ぶＳＲＩフィールド（ＳＲＩ  ｆｉｅｌｄ）及び復調参照信号（Ｄｅｍｏｄｕｌａｔｉｏｎ  Ｒｅｆｅｒｅｎｃｅ  Ｓｉｇｎａｌ、ＤＭＲＳ）関連フィールドを含み、  前記上向きリンク送信のためのレイヤ（ｌａｙｅｒ）の数は、前記ＳＲＩフィールドに基づいて決定され、
前記ＤＭＲＳ関連フィールドのＤＭＲＳ状態の数は、前記レイヤの数にしたがって異なって設定され、
前記ＤＭＲＳ関連フィールドのサイズ（ｓｉｚｅ）は、前記上向きリンク送信のためのＤＭＲＳ状態の最大数を表す最小ビットサイズ（ｂｉｔｗｉｄｔｈ）で構成される、方法。
【請求項８】
前記ＤＭＲＳ関連フィールドは、前記ＤＭＲＳのポート構成（ｐｏｒｔ  ｃｏｎｆｉｇｕｒａｔｉｏｎ）のために設定されたフィールドである、請求項７に記載の方法。
【請求項９】
前記ＤＭＲＳ関連フィールドのサイズは、前記上向きリンク送信に適用できるレイヤの数の候補と同じである、請求項８に記載の方法。
【請求項１０】
前記上向きリンク受信は、非−コードブック（ｎｏｎ−ｃｏｄｅｂｏｏｋ）基盤で行われる、請求項９に記載の方法。
【請求項１１】
前記ＳＲＩフィールドのビットサイズは、前記端末に設定されたＳＲＳ資源セット内のＳＲＳ資源の数及び前記上向きリンク受信のために支援されるレイヤの最大数に基づいて決定される、請求項９に記載の方法。
【請求項１２】
前記ＳＲＩフィールドのビットサイズは、下記の数式によって決定され、
［数式］
ｃｅｉｌ（ｌｏｇ２（Ｓ＿ｔｏｔ））
ここで、ｃｅｉｌ（ｘ）は、ｘより小さくない最小の整数を出力する関数であり、
0006826204.tif 000031
であり、Ｎは、ＵＥに設定されたＳＲＳ資源セット内のＳＲＳ資源の数であり、Ｌ＿ｍａｘは、前記上向きリンク送信のために支援されるレイヤの最大数である、請求項１１に記載の方法。
【請求項１３】
無線通信システムで上向きリンク送信を行う端末において、
無線信号を送受信するための少なくとも一つの送受信器と、
前記少なくとも一つの送受信器を制御する少なくとも一つのプロセッサと、
を備え、
前記少なくとも一つのプロセッサは、
基地局から、上向きリンク共有チャネル（ｕｐｌｉｎｋ  ｓｈａｒｅｄ  ｃｈａｎｎｅｌ）のスケジューリングのための下向きリンク制御情報（Ｄｏｗｎｌｉｎｋ  Ｃｏｎｔｒｏｌ  Ｉｎｆｏｒｍａｔｉｏｎ、ＤＣＩ）を受信し、
前記ＤＣＩに基づいて、前記上向きリンク共有チャネルを介して前記上向きリンク送信を行うように構成され、
前記ＤＣＩは、サウンディング参照信号（Ｓｏｕｎｄｉｎｇ  Ｒｅｆｅｒｅｎｃｅ  Ｓｉｇｎａｌ）資源指示（ＳＲＳ  ｒｅｓｏｕｒｃｅ  ｉｎｄｉｃａｔｉｏｎ、ＳＲＩ）を運ぶＳＲＩフィールド（ＳＲＩ  ｆｉｅｌｄ）及び復調参照信号（Ｄｅｍｏｄｕｌａｔｉｏｎ  Ｒｅｆｅｒｅｎｃｅ  Ｓｉｇｎａｌ、ＤＭＲＳ）関連フィールドを含み、  前記上向きリンク送信のためのレイヤ（ｌａｙｅｒ）の数は、前記ＳＲＩフィールドに基づいて決定され、
前記ＤＭＲＳ関連フィールドのＤＭＲＳ状態の数は、前記レイヤの数にしたがって異なって設定され、
前記ＤＭＲＳ関連フィールドのサイズ（ｓｉｚｅ）は、前記上向きリンク送信のためのＤＭＲＳ状態の最大数を表す最小ビットサイズ（ｂｉｔｗｉｄｔｈ）で構成される、端末。
【発明の詳細な説明】
【技術分野】
【０００１】
本発明は、無線通信システムに関し、より詳細には、上向きリンクＭＩＭＯ（Ｍｕｌｔｉ  Ｉｎｐｕｔ  Ｍｕｌｔｉ  Ｏｕｔｐｕｔ）送信のための方法及びこれを支援する装置に関する。
【背景技術】
【０００２】
移動通信システムは、ユーザの活動性を保障しながら音声サービスを提供するために開発された。しかしながら、移動通信システムは、音声だけでなくデータサービスまで領域を拡張し、現在では、爆発的なトラフィックの増加によって資源の不足現象が引き起こされ、ユーザがより高速のサービスを要求するので、より発展した移動通信システムが要求されている。
【０００３】
次世代移動通信システムの要求条件は、大きく爆発的なデータトラフィックの収容、ユーザ当りの送信率の画期的な増加、大幅増加した接続デバイス数の収容、非常に低いエンドツーエンド遅延（Ｅｎｄ−ｔｏ−Ｅｎｄ  Ｌａｔｅｎｃｙ）、高エネルギー効率を支援できなければならない。このために、多重続性（Ｄｕａｌ  Ｃｏｎｎｅｃｔｉｖｉｔｙ）、大規模多重入出力（Ｍａｓｓｉｖｅ  ＭＩＭＯ：Ｍａｓｓｉｖｅ  Ｍｕｌｔｉｐｌｅ  Ｉｎｐｕｔ  Ｍｕｌｔｉｐｌｅ  Ｏｕｔｐｕｔ）、全二重（Ｉｎ−ｂａｎｄ  Ｆｕｌｌ  Ｄｕｐｌｅｘ）、非直交多重接続（ＮＯＭＡ：Ｎｏｎ−Ｏｒｔｈｏｇｏｎａｌ  Ｍｕｌｔｉｐｌｅ  Ａｃｃｅｓｓ）、超広帯域（Ｓｕｐｅｒ  ｗｉｄｅｂａｎｄ）支援、端末ネットワーキング（Ｄｅｖｉｃｅ  Ｎｅｔｗｏｒｋｉｎｇ）等、様々な技術が研究されている。
【発明の概要】
【発明が解決しようとする課題】
【０００４】
本発明の目的は、上向きリンクＭＩＭＯ（Ｍｕｌｔｉ  Ｉｎｐｕｔ  Ｍｕｌｔｉ  Ｏｕｔｐｕｔ）送信のための方法を提案する。
【０００５】
また、本発明の目的は、上向きリンクＭＩＭＯ（Ｍｕｌｔｉ  Ｉｎｐｕｔ  Ｍｕｌｔｉ  Ｏｕｔｐｕｔ）送信のために、基盤となる上向きリンク参照信号（Ｕｐｌｉｎｋ  Ｒｅｆｅｒｅｎｃｅ  Ｓｉｇｎａｌ）を送信する方法及びこれを制御する方法を提案する。
【０００６】
また、本発明の目的は、上向きリンクＭＩＭＯ送信のために、下向きリンク制御情報（ＤＣＩ：Ｄｏｗｎｌｉｎｋ  Ｃｏｎｔｒｏｌ  Ｉｎｆｏｒｍａｔｉｏｎ）を構成する方法を提案する。
【０００７】
本発明においてなそうとする技術的課題は、以上で言及した技術的課題に制限されず、言及していないさらに他の技術的課題は、下記の記載から本発明の属する技術分野における通常の知識を有する者に明確に理解され得るであろう。
【課題を解決するための手段】
【０００８】
本発明の実施形態に係る無線通信システムで端末が上向きリンク送信を行う方法において、前記端末により行われる方法は、基地局から、上向きリンク共有チャネル（ｕｐｌｉｎｋ  ｓｈａｒｅｄ  ｃｈａｎｎｅｌ）のスケジューリングのための下向きリンク制御情報（Ｄｏｗｎｌｉｎｋ  Ｃｏｎｔｒｏｌ  Ｉｎｆｏｒｍａｔｉｏｎ、ＤＣＩ）を受信するステップと、前記ＤＣＩに基づいて、前記上向きリンク共有チャネルを介して前記上向きリンク送信を行うステップとを含み、前記ＤＣＩは、サウンディング参照信号（Ｓｏｕｎｄｉｎｇ  Ｒｅｆｅｒｅｎｃｅ  Ｓｉｇｎａｌ）資源指示（ＳＲＳ  ｒｅｓｏｕｒｃｅ  ｉｎｄｉｃａｔｉｏｎ、ＳＲＩ）を運ぶＳＲＩフィールド（ＳＲＩ  ｆｉｅｌｄ）及び復調参照信号（Ｄｅｍｏｄｕｌａｔｉｏｎ  Ｒｅｆｅｒｅｎｃｅ  Ｓｉｇｎａｌ、ＤＭＲＳ）関連フィールドを含み、前記上向きリンク送信のためのレイヤ（ｌａｙｅｒ）の数は、前記ＳＲＩフィールドに基づいて決定され、前記ＤＭＲＳ関連フィールドのサイズ（ｓｉｚｅ）は、前記レイヤの数の候補（ｃａｎｄｉｄａｔｅｓ）の各々に対して同様に設定されることができる。
【０００９】
また、本発明の実施形態に係る前記端末により行われる方法において、前記ＤＭＲＳ関連フィールドは、ＤＭＲＳのポート構成（ｐｏｒｔ  ｃｏｎｆｉｇｕｒａｔｉｏｎ）のために設定されたフィールドでありうる。
【００１０】
また、本発明の実施形態に係る前記端末により行われる方法において、前記ＤＭＲＳ関連フィールドのサイズは、前記候補のうち、ＤＭＲＳ状態（ｓｔａｔｅ）の数が最大に設定された特定候補に基づいて決定されることができる。
【００１１】
また、本発明の実施形態に係る前記端末により行われる方法において、前記ＤＭＲＳ関連フィールドのサイズは、前記特定候補に対するＤＭＲＳ状態の数を表す（ｒｅｐｒｅｓｅｎｔ）ための最小ビットサイズ（ｂｉｔｗｉｄｔｈ）で設定されることができる。
【００１２】
また、本発明の実施形態に係る前記端末により行われる方法において、前記上向きリンク送信は、非−コードブック（ｎｏｎ−ｃｏｄｅｂｏｏｋ）基盤で行われることができる。
【００１３】
また、本発明の実施形態に係る前記端末により行われる方法において、前記ＳＲＩフィールドのビットサイズは、前記端末に設定されたＳＲＳ資源セット内のＳＲＳ資源の数及び前記上向きリンク送信のために支援される最大レイヤの数に基づいて決定されることができる。
【００１４】
また、本発明の実施形態に係る前記端末により行われる方法において、前記ＳＲＩフィールドのビットサイズは、下記の数式によって決定され、
【００１５】
［数式］
ｃｅｉｌ（ｌｏｇ２（Ｓ＿ｔｏｔ））
【００１６】
ここで、ｃｅｉｌ（ｘ）は、ｘより小さくない最小の整数を出力する関数であり、
0006826204.tif 000002
であり、Ｎは、ＵＥに設定されたＳＲＳ資源セット内のＳＲＳ資源の数であり、Ｌ＿ｍａｘは、上向きリンク送信のために支援される最大レイヤの数でありうる。
【００１７】
本発明の実施形態に係る無線通信システムで基地局が上向きリンク受信を行う方法において、前記基地局により行われる方法は、端末に、上向きリンク共有チャネル（ｕｐｌｉｎｋ  ｓｈａｒｅｄ  ｃｈａｎｎｅｌ）のスケジューリングのための下向きリンク制御情報（Ｄｏｗｎｌｉｎｋ  Ｃｏｎｔｒｏｌ  Ｉｎｆｏｒｍａｔｉｏｎ、ＤＣＩ）を送信するステップと、前記ＤＣＩに基づいて、前記上向きリンク共有チャネルを介して前記上向きリンク受信を行うステップとを含み、前記ＤＣＩは、サウンディング参照信号（Ｓｏｕｎｄｉｎｇ  Ｒｅｆｅｒｅｎｃｅ  Ｓｉｇｎａｌ）資源指示（ＳＲＳ  ｒｅｓｏｕｒｃｅ  ｉｎｄｉｃａｔｉｏｎ、ＳＲＩ）を運ぶＳＲＩフィールド（ＳＲＩ  ｆｉｅｌｄ）及び復調参照信号（Ｄｅｍｏｄｕｌａｔｉｏｎ  Ｒｅｆｅｒｅｎｃｅ  Ｓｉｇｎａｌ、ＤＭＲＳ）関連フィールドを含み、前記上向きリンク送信のためのレイヤ（ｌａｙｅｒ）の数は、前記ＳＲＩフィールドに基づいて決定され、前記ＤＭＲＳ関連フィールドのサイズ（ｓｉｚｅ）は、前記レイヤの数の候補（ｃａｎｄｉｄａｔｅｓ）の各々に対して同様に設定されることができる。
【００１８】
また、本発明の実施形態に係る前記基地局により行われる方法において、前記ＤＭＲＳ関連フィールドは、ＤＭＲＳのポート構成（ｐｏｒｔ  ｃｏｎｆｉｇｕｒａｔｉｏｎ）のために設定されたフィールドでありうる。
【００１９】
また、本発明の実施形態に係る前記基地局により行われる方法において、前記ＤＭＲＳ関連フィールドのサイズは、前記候補のうち、ＤＭＲＳ状態（ｓｔａｔｅ）の数が最大に設定された特定候補に基づいて決定されることができる。
【００２０】
また、本発明の実施形態に係る前記基地局により行われる方法において、前記ＤＭＲＳ関連フィールドのサイズは、前記特定候補に対するＤＭＲＳ状態の数を表す（ｒｅｐｒｅｓｅｎｔ）ための最小ビットサイズ（ｂｉｔｗｉｄｔｈ）で設定されることができる。
【００２１】
また、本発明の実施形態に係る前記基地局により行われる方法において、前記上向きリンク受信は、非−コードブック（ｎｏｎ−ｃｏｄｅｂｏｏｋ）基盤で行われることができる。
【００２２】
また、本発明の実施形態に係る前記基地局により行われる方法において、前記ＳＲＩフィールドのビットサイズは、前記端末に設定されたＳＲＳ資源セット内のＳＲＳ資源の数及び前記上向きリンク受信のために支援される最大レイヤの数に基づいて決定されることができる。
【００２３】
また、本発明の実施形態に係る前記基地局により行われる方法において、前記ＳＲＩフィールドのビットサイズは、下記の数式によって決定され、
【００２４】
［数式］
ｃｅｉｌ（ｌｏｇ２（Ｓ＿ｔｏｔ））
【００２５】
ここで、ｃｅｉｌ（ｘ）は、ｘより小さくない最小の整数を出力する関数であり、
0006826204.tif 000003
であり、Ｎは、ＵＥに設定されたＳＲＳ資源セット内のＳＲＳ資源の数であり、Ｌ＿ｍａｘは、上向きリンク送信のために支援される最大レイヤの数でありうる。
【００２６】
本発明の実施形態に係る無線通信システムで上向きリンク送信を行う端末において、前記端末は、無線信号を送受信するためのＲＦ（Ｒａｄｉｏ  Ｆｒｅｑｕｅｎｃｙ）ユニット及び前記ＲＦユニットを制御するプロセッサを備え、前記プロセッサは、基地局から、上向きリンク共有チャネル（ｕｐｌｉｎｋ  ｓｈａｒｅｄ  ｃｈａｎｎｅｌ）のスケジューリングのための下向きリンク制御情報（Ｄｏｗｎｌｉｎｋ  Ｃｏｎｔｒｏｌ  Ｉｎｆｏｒｍａｔｉｏｎ、ＤＣＩ）を受信し、前記ＤＣＩに基づいて、前記上向きリンク共有チャネルを介して前記上向きリンク送信を行うように構成され、前記ＤＣＩは、サウンディング参照信号（Ｓｏｕｎｄｉｎｇ  Ｒｅｆｅｒｅｎｃｅ  Ｓｉｇｎａｌ）資源指示（ＳＲＳ  ｒｅｓｏｕｒｃｅ  ｉｎｄｉｃａｔｉｏｎ、ＳＲＩ）を運ぶＳＲＩフィールド（ＳＲＩ  ｆｉｅｌｄ）及び復調参照信号（Ｄｅｍｏｄｕｌａｔｉｏｎ  Ｒｅｆｅｒｅｎｃｅ  Ｓｉｇｎａｌ、ＤＭＲＳ）関連フィールドを含み、前記上向きリンク送信のためのレイヤ（ｌａｙｅｒ）の数は、前記ＳＲＩフィールドに基づいて決定され、前記ＤＭＲＳ関連フィールドのサイズ（ｓｉｚｅ）は、前記レイヤの数の候補（ｃａｎｄｉｄａｔｅｓ）の各々に対して同様に設定されることができる。
【発明の効果】
【００２７】
本発明の実施形態によれば、上向きリンクでも周波数選択的な（ｆｒｅｑｕｅｎｃｙ  ｓｅｌｅｃｔｉｖｅ）最適化されたプリコーディングを支援できる。
【００２８】
また、本発明の実施形態によれば、上向きリンクサブバンド（資源ブロックグループ）別に最適化されたプリコーディングを適用することにより、上向きリンク送信収率（ｔｈｒｏｕｇｈｐｕｔ）を向上させることができる。
【００２９】
また、本発明の実施形態によれば、上向きリンクサブバンド（資源ブロックグループ）プリコーディングを適用するための上向きリンク関連下向きリンク制御情報のオーバーヘッドを最小化できる。
【００３０】
また、本発明の実施形態によれば、既存のＤＭＲＳ関連構成（例：ＤＭＲＳ表）の全体でないＳＲＩにより指示されるレイヤの数（すなわち、ランク値）によって設定されたＤＭＲＳ構成を用いるので、ＤＣＩに含まれるＤＭＲＳ関連フィールドのサイズが小さくなることもできる。
【００３１】
また、本発明の実施形態によれば、レイヤの数に関係なく、各ＤＭＲＳ構成に対するビットサイズが同様に設定されることにより、端末が当該ＤＣＩをブラインドデコード（ｂｌｉｎｄ  ｄｅｃｏｄｉｎｇ）するとき、試み回数が増加しないという長所がある。すなわち、ＤＣＩに対する端末のブラインドデコードオーバーヘッド及び複雑度（ｃｏｍｐｌｅｘｉｔｙ）が減少され得るという効果がある。基地局の側面でも、ＤＣＩオーバーヘッドが減少されるという長所がある。
【００３２】
本発明において得ることができる効果は、以上で言及した効果に制限されず、言及していないさらに他の効果は、下記の記載から本発明の属する技術分野における通常の知識を有する者に明確に理解され得るであろう。
【図面の簡単な説明】
【００３３】
本発明に関する理解を助けるために詳細な説明の一部として含まれる添付図面は、本発明に対する実施形態を提供し、詳細な説明と共に本発明の技術的特徴を説明する。
【００３４】
【図１】本発明が適用できる無線通信システムにおける無線フレームの構造を示す。
【図２】本発明が適用できる無線通信システムにおける１つのダウンリンクスロットに対する資源グリッド（ｒｅｓｏｕｒｃｅ  ｇｒｉｄ）を例示した図である。
【図３】本発明が適用できる無線通信システムにおけるダウンリンクサブフレームの構造を示す。
【図４】本発明が適用できる無線通信システムにおけるアップリンクサブフレームの構造を示す。
【図５】一般的な多重入出力アンテナ（ＭＩＭＯ）通信システムの構成図である。
【図６】複数の送信アンテナから１つの受信アンテナへのチャネルを示す図である。
【図７】本発明が適用できる無線通信システムにおけるダウンリンク資源ブロック対にマッピングされた参照信号パターンを例示する。
【図８】本発明が適用できる無線通信システムにおける参照信号がマッピングされる資源を例示する図である。
【図９】本発明が適用され得る無線通信システムにおけるサウンディング参照信号シンボルを含む上向きリンクサブフレームを例示する。
【図１０】本発明が適用され得る無線通信システムにおける自己完結（Ｓｅｌｆ−ｃｏｎｔａｉｎｅｄ）サブフレーム構造を例示する図である。
【図１１】本発明が適用され得る無線通信システムにおけるトランシーバユニットモデルを例示する。
【図１２】本発明が適用され得る無線通信システムにおいて、トランシーバユニット別サービス領域を例示する図である。
【図１３】本発明の一実施形態に係る上向きリンク送受信方法を例示する図である。
【図１４】本明細書において提案する方法が適用され得るＤＭＲＳ表及び／又はフィールドの構成方法の一例を示す。
【図１５】本明細書において提案する方法が適用され得る無線通信システムにおける上向きリンク送信を行う端末の動作順序図を示す。
【図１６】本明細書において提案する方法が適用され得る無線通信システムにおける上向きリンク受信を行う基地局の動作順序図を示す。
【図１７】本発明の一実施形態に係る上向きリンク送受信方法を例示する図である。
【図１８】本明細書において提案する方法が適用され得る無線通信装置のブロック構成図を例示する。
【図１９】本発明の一実施形態に係る通信装置のブロック構成図を例示する。
【図２０】本明細書において提案する方法が適用され得る無線通信装置のＲＦモジュールの一例を示した図である。
【図２１】本明細書において提案する方法が適用され得る無線通信装置のＲＦモジュールのさらに他の一例を示した図である。
【発明を実施するための形態】
【００３５】
以下、本発明にかかる好ましい実施の形態を添付された図面を参照して詳細に説明する。添付された図面のように以下に開示する詳細な説明は、本発明の例示的な実施の形態を説明するためのものであり、本発明が実施されうる唯一の実施の形態を示すためのものではない。以下の詳細な説明は、本発明の完全な理解を提供するために具体的細部事項を含む。しかしながら、当業者は、本発明がこのような具体的細部事項がなくても実施できることを理解すべきである。
【００３６】
いくつかの場合、本発明の概念が曖昧になることを避けるために、公知の構造及び装置は省略されるか、または各構造及び装置の核心機能を重心にしたブロック図形式で示されることができる。
【００３７】
本明細書において基地局は、端末と直接的に通信を行うネットワークの終端ノード（ｔｅｒｍｉｎａｌ  ｎｏｄｅ）としての意味を有する。本文書において基地局により行われると説明された特定動作は、場合によっては、基地局の上位ノード（ｕｐｐｅｒ  ｎｏｄｅ）により行われても良い。すなわち、基地局を含む複数のネットワークノード（ｎｅｔｗｏｒｋ  ｎｏｄｅｓ）からなるネットワークにおいて端末との通信のために行われる様々な動作は、基地局または基地局以外の他のネットワークノードにより行われうることは明らかである。「基地局（ＢＳ：Ｂａｓｅ  Ｓｔａｔｉｏｎ）」は、固定局（ｆｉｘｅｄ  ｓｔａｔｉｏｎ）、Ｎｏｄｅ  Ｂ、ｅＮＢ（ｅｖｏｌｖｅｄ−ＮｏｄｅＢ）、ＢＴＳ（ｂａｓｅ  ｔｒａｎｓｃｅｉｖｅｒ  ｓｙｓｔｅｍ）、アクセスポイント（ＡＰ：Ａｃｃｅｓｓ  Ｐｏｉｎｔ）などの用語により代替されることができる。また、「端末（Ｔｅｒｍｉｎａｌ）」は、固定されるか、または移動性を有することができ、ＵＥ（Ｕｓｅｒ  Ｅｑｕｉｐｍｅｎｔ）、ＭＳ（Ｍｏｂｉｌｅ  Ｓｔａｔｉｏｎ）、ＵＴ（ｕｓｅｒ  ｔｅｒｍｉｎａｌ）、ＭＳＳ（Ｍｏｂｉｌｅ  ｓｕｂｓｃｒｉｂｅｒ  Ｓｔａｔｉｏｎ）、ＳＳ（Ｓｕｂｓｃｒｉｂｅｒ  Ｓｔａｔｉｏｎ）、ＡＭＳ（Ａｄｖａｎｃｅｄ  Ｍｏｂｉｌｅ  Ｓｔａｔｉｏｎ）、ＷＴ（Ｗｉｒｅｌｅｓｓ  ｔｅｒｍｉｎａｌ）、ＭＴＣ（Ｍａｃｈｉｎｅ−Ｔｙｐｅ  Ｃｏｍｍｕｎｉｃａｔｉｏｎ）装置、Ｍ２Ｍ（Ｍａｃｈｉｎｅ−ｔｏ−Ｍａｃｈｉｎｅ）装置、Ｄ２Ｄ（Ｄｅｖｉｃｅ−ｔｏ−Ｄｅｖｉｃｅ）装置などの用語に代替されることができる。
【００３８】
以下、ダウンリンク（ＤＬ：ｄｏｗｎｌｉｎｋ）は、基地局から端末への通信を意味し、アップリンク（ＵＬ：ｕｐｌｉｎｋ）は、端末から基地局への通信を意味する。ダウンリンクにおける送信機は、基地局の一部で、受信機は、端末の一部でありうる。アップリンクにおける送信機は、端末の一部で、受信機は、基地局の一部でありうる。
【００３９】
以下の説明において用いられる特定用語は、本発明の理解に役立つために提供されたものであり、このような特定用語の使用は、本発明の技術的思想から外れない範囲内で他の形態に変更されることができる。
【００４０】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）、ＮＯＭＡ（ｎｏｎ−ｏｒｔｈｏｇｏｎａｌ  ｍｕｌｔｉｐｌｅ  ａｃｃｅｓｓ）などのような様々な無線接続システムに用いられることができる。ＣＤＭＡは、ＵＴＲＡ（ｕｎｉｖｅｒｓａｌ  ｔｅｒｒｅｓｔｒｉａｌ  ｒａｄｉｏ  ａｃｃｅｓｓ）またはＣＤＭＡ２０００のような無線技術（ｒａｄｉｏ  ｔｅｃｈｎｏｌｏｇｙ）により実現化されることができる。ＴＤＭＡは、ＧＳＭ（ｇｌｏｂａｌ  ｓｙｓｔｅｍ  ｆｏｒ  ｍｏｂｉｌｅ  ｃｏｍｍｕｎｉｃａｔｉｏｎｓ）／ＧＰＲＳ（ｇｅｎｅｒａｌ  ｐａｃｋｅｔ  ｒａｄｉｏ  ｓｅｒｖｉｃｅ）／ＥＤＧＥ（ｅｎｈａｎｃｅｄ  ｄａｔａ  ｒａｔｅｓ  ｆｏｒ  ＧＳＭ  ｅｖｏｌｕｔｉｏｎ）のような無線技術により実現化されることができる。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（ｅｖｏｌｖｅｄ  ＵＴＲＡ）などのような無線技術により実現化されることができる。ＵＴＲＡは、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）の一部である。３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ  ｔｅｒｍ  ｅｖｏｌｕｔｉｏｎ）は、Ｅ−ＵＴＲＡを使用するＥ−ＵＭＴＳ（ｅｖｏｌｖｅｄ  ＵＭＴＳ）の一部であり、ダウンリンクにおいてＯＦＤＭＡを採用し、アップリンクにおいてＳＣ−ＦＤＭＡを採用する。ＬＴＥ−Ａ（ａｄｖａｎｃｅｄ）は、３ＧＰＰ  ＬＴＥの進化である。
【００４１】
本発明の実施形態等は、無線接続システムであるＩＥＥＥ  ８０２、３ＧＰＰ及び３ＧＰＰ２のうち、少なくとも１つに開示された標準文書により裏付けられることができる。すなわち、本発明の実施形態等のうち、本発明の技術的思想を明確に表すために、説明していないステップまたは部分は、前記文書により裏付けられることができる。また、本文書で開示している全ての用語は、前記標準文書により説明されることができる。
【００４２】
説明を明確にするために、３ＧＰＰ  ＬＴＥ／ＬＴＥ−Ａまたは新しいＲＡＴ（ｎｅｗ  ＲＡＴ）（５Ｇ（５  ｇｅｎｅｒａｔｉｏｎ）システムのＲＡＴ）を中心に記述するが、本発明の技術的特徴がこれに制限されるものではない。
【００４３】
本発明が適用されることができる無線通信システム一般
【００４４】
図１は、本発明が適用されることができる無線通信システムにおける無線フレームの構造を示す。
【００４５】
３ＧＰＰ  ＬＴＥ／ＬＴＥ−Ａでは、ＦＤＤ（Ｆｒｅｑｕｅｎｃｙ  ｄｉｖｉｓｉｏｎ  Ｄｕｐｌｅｘ）に適用可能なタイプ１無線フレーム（ｒａｄｉｏ  ｆｒａｍｅ）構造とＴＤＤ（Ｔｉｍｅ  ｄｉｖｉｓｉｏｎ  Ｄｕｐｌｅｘ）に適用可能なタイプ２の無線フレーム構造を支援する。
【００４６】
図１において、無線フレームの時間領域でのサイズは、Ｔ＿ｓ＝１／（１５０００＊２０４８）の時間単位の倍数で表される。ダウンリンク及びアップリンク送信は、Ｔ＿ｆ＝３０７２００＊Ｔ＿ｓ＝１０ｍｓの区間を有する無線フレームから構成される。
【００４７】
図１の（ａ）は、タイプ１無線フレームの構造を示す。タイプ１無線フレームは、全二重（ｆｕｌｌ  ｄｕｐｌｅｘ）及び半二重（ｈａｌｆ  ｄｕｐｌｅｘ）ＦＤＤに全部適用されることができる。
【００４８】
無線フレーム（ｒａｄｉｏ  ｆｒａｍｅ）は、１０個のサブフレーム（ｓｕｂｆｒａｍｅ）から構成される。１つの無線フレームは、Ｔ＿ｓｌｏｔ＝１５３６０＊Ｔ＿ｓ＝０．５ｍｓ長さの２０個のスロットから構成され、各スロットは、０から１９までのインデックスが付与される。１つのサブフレームは、時間領域（ｔｉｍｅ  ｄｏｍａｉｎ）で連続的な２個のスロット（ｓｌｏｔ）から構成され、サブフレームｉは、スロット２ｉ及びスロット２ｉ＋１から構成される。１つのサブフレームを送信するのにかかる時間をＴＴＩ（ｔｒａｎｓｍｉｓｓｉｏｎ  ｔｉｍｅ  ｉｎｔｅｒｖａｌ）という。例えば、１つのサブフレームは、長さは１ｍｓで、１つのスロットの長さは、０．５ｍｓでありうる。
【００４９】
ＦＤＤにおいてアップリンク送信及びダウンリンク送信は、周波数ドメインにおいて区分される。全二重ＦＤＤに制限がないことに対し、半二重ＦＤＤ動作における端末は、同時に送信及び受信ができない。
【００５０】
１つのスロットは、時間領域において複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含み、周波数領域において複数の資源ブロック（ＲＢ：Ｒｅｓｏｕｒｃｅ  Ｂｌｏｃｋ）を含む。３ＧＰＰ  ＬＴＥは、ダウンリンクにおいてＯＦＤＭＡを使用するから、ＯＦＤＭシンボルは、１つのシンボル区間（ｓｙｍｂｏｌ  ｐｅｒｉｏｄ）を表現するためのものである。ＯＦＤＭシンボルは、１つのＳＣ−ＦＤＭＡシンボルまたはシンボル区間ということができる。資源ブロック（ｒｅｓｏｕｒｃｅ  ｂｌｏｃｋ）は、資源割り当て単位で、１つのスロットにおいて複数の連続的な副搬送波（ｓｕｂｃａｒｒｉｅｒ）を含む。
【００５１】
図１の（ｂ）は、タイプ２フレーム構造（ｆｒａｍｅ  ｓｔｒｕｃｔｕｒｅ  ｔｙｐｅ  ２）を示す。
【００５２】
タイプ２無線フレームは、各１５３６００＊Ｔ＿ｓ＝５ｍｓの長さの２個のハーフフレーム（ｈａｌｆ  ｆｒａｍｅ）から構成される。各ハーフフレームは、３０７２０＊Ｔ＿ｓ＝１ｍｓ長さの５個のサブフレームから構成される。
【００５３】
ＴＤＤシステムのタイプ２フレーム構造においてアップリンク−ダウンリンク構成（ｕｐｌｉｎｋ−ｄｏｗｎｌｉｎｋ  ｃｏｎｆｉｇｕｒａｔｉｏｎ）は、すべてのサブフレームに対してアップリンクとダウンリンクが割り当て（または予約）されるかどうかを表す規則である。
【００５４】
表１は、アップリンク−ダウンリンク構成を示す。
【００５５】
【表１】
0006826204.tif 000004
【００５６】
表１を参照すると、無線フレームの各サブフレーム別に、「Ｄ」は、ダウンリンク送信のためのサブフレームを表し、「Ｕ」は、アップリンク送信のためのサブフレームを表し、「Ｓ」は、ＤｗＰＴＳ（Ｄｏｗｎｌｉｎｋ  Ｐｉｌｏｔ  Ｔｉｍｅ  Ｓｌｏｔ）、保護区間（ＧＰ：Ｇｕａｒｄ  Ｐｅｒｉｏｄ）、ＵｐＰＴＳ（Ｕｐｌｉｎｋ  Ｐｉｌｏｔ  Ｔｉｍｅ  Ｓｌｏｔ）３通りのフィールドから構成されるスペシャルサブフレーム（ｓｐｅｃｉａｌ  ｓｕｂｆｒａｍｅ）を表す。
【００５７】
ＤｗＰＴＳは、端末での初期セルサーチ、同期化またはチャネル推定に使用される。ＵｐＰＴＳは、基地局でのチャネル推定と端末のアップリンク送信同期とを合せるのに使用される。ＧＰは、アップリンクとダウンリンクとの間にダウンリンク信号の多重経路の遅延によりアップリンクにおいて生じる干渉を除去するための区間である。
【００５８】
各サブフレームｉは、各Ｔ＿ｓｌｏｔ＝１５３６０＊Ｔ＿ｓ＝０．５ｍｓ長さのスロット２ｉ及びスロット２ｉ＋１から構成される。
【００５９】
アップリンク−ダウンリンク構成は、７通りに区分されることができ、各構成別にダウンリンクサブフレーム、スペシャルサブフレーム、アップリンクサブフレームの位置及び／または数が異なる。
【００６０】
ダウンリンクからアップリンクに変更される時点またはアップリンクからダウンリンクに切り替えられる時点を切り替え時点（ｓｗｉｔｃｈｉｎｇ  ｐｏｉｎｔ）という。切り替え時点の周期性（Ｓｗｉｔｃｈ−ｐｏｉｎｔ  ｐｅｒｉｏｄｉｃｉｔｙ）は、アップリンクサブフレームとダウンリンクサブフレームが切り替えられる様相が同様に繰り返される周期を意味し、５ｍｓまたは１０ｍｓが全て支援される。５ｍｓダウンリンク−アップリンク切り替え時点の周期を有する場合には、スペシャルサブフレーム（Ｓ）は、ハーフ−フレーム毎に存在し、５ｍｓダウンリンク−アップリンク切り替え時点の周期を有する場合には、１番目のハーフ−フレームだけに存在する。
【００６１】
すべての構成において、０番、５番サブフレーム及びＤｗＰＴＳは、ダウンリンク送信だけのための区間である。ＵｐＰＴＳ及びサブフレームサブフレームに直ちにつながるサブフレームは、常にアップリンク送信のための区間である。
【００６２】
このような、アップリンク−ダウンリンク構成はシステム情報であって、基地局と端末ともが知っていることができる。基地局は、アップリンク−ダウンリンク構成情報が変わる毎に構成情報のインデックスだけを送信することにより、無線フレームのアップリンク−ダウンリンク割り当て状態の変更を端末に知らせることができる。また、構成情報は、一種のダウンリンク制御情報として他のスケジューリング情報と同様にＰＤＣＣＨ（Ｐｈｙｓｉｃａｌ  Ｄｏｗｎｌｉｎｋ  ｃｏｎｔｒｏｌ  Ｃｈａｎｎｅｌ）を介して送信されることができ、放送情報としてブロードキャストチャネル（ｂｒｏａｄｃａｓｔ  ｃｈａｎｎｅｌ）を介してセル内のすべての端末に共通に送信されることもできる。
【００６３】
表２は、スペシャルサブフレームの構成（ＤｗＰＴＳ／ＧＰ／ＵｐＰＴＳの長さ）を示す。
【００６４】
【表２】
0006826204.tif 000005
【００６５】
図１の例示による無線フレームの構造は、１つの例示に過ぎず、無線フレームに含まれる副搬送波の数またはサブフレームに含まれるスロットの数、スロットに含まれるＯＦＤＭシンボルの数は、様々に変更されることができる。
【００６６】
図２は、本発明が適用されることができる無線通信システムにおける１つのダウンリンクスロットに対する資源グリッド（ｒｅｓｏｕｒｃｅ  ｇｒｉｄ）を示した図である。
【００６７】
図２に示すように、１つのダウンリンクスロットは、時間領域において複数のＯＦＤＭシンボルを含む。ここで、１つのダウンリンクスロットは、７個のＯＦＤＭシンボルを含み、１つの資源ブロックは、周波数領域において１２個の副搬送波を含むことを例示的に述べるが、これに限定されるものではない。
【００６８】
資源グリッド上において各要素（ｅｌｅｍｅｎｔ）を資源要素（ｒｅｓｏｕｒｃｅ  ｅｌｅｍｅｎｔ）とし、１つの資源ブロック（ＲＢ：ｒｅｓｏｕｒｃｅ  ｂｌｏｃｋ）は、１２×７個の資源要素を含む。ダウンリンクスロットに含まれる資源ブロックの数Ｎ^DLは、ダウンリンク送信帯域幅（ｂａｎｄｗｉｄｔｈ）に従属する。
【００６９】
アップリンクスロットの構造は、ダウンリンクスロットの構造と同一でありうる。
【００７０】
図３は、本発明が適用されることができる無線通信システムにおけるダウンリンクサブフレームの構造を示す。
【００７１】
図３に示すように、サブフレーム内の第１番目のスロットにおいて前の最大３個のＯＦＤＭシンボルが制御チャネルが割り当てられる制御領域（ｃｏｎｔｒｏｌ  ｒｅｇｉｏｎ）であり、残りのＯＦＤＭシンボルは、ＰＤＳＣＨ（Ｐｈｙｓｉｃａｌ  Ｄｏｗｎｌｉｎｋ  Ｓｈａｒｅｄ  Ｃｈａｎｎｅｌ）が割り当てられるデータ領域（ｄａｔａ  ｒｅｇｉｏｎ）である。３ＧＰＰ  ＬＴＥで使用されるダウンリンク制御チャネルの一例にＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ（Ｐｈｙｓｉｃａｌ  Ｄｏｗｎｌｉｎｋ    ｃｏｎｔｒｏｌ  Ｃｈａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）などがある。
【００７２】
ＰＣＦＩＣＨは、サブフレームの第１番目のＯＦＤＭシンボルにおいて送信され、サブフレーム内に制御チャネルの送信のために使用されるＯＦＤＭシンボルの数（すなわち、制御領域のサイズ）に関する情報を運ぶ。ＰＨＩＣＨは、アップリンクに対する応答チャネルで、ＨＡＲＱ（Ｈｙｂｒｉｄ  Ａｕｔｏｍａｔｉｃ  Ｒｅｐｅａｔ  Ｒｅｑｕｅｓｔ）に対するＡＣＫ（Ａｃｋｎｏｗｌｅｄｇｅｍｅｎｔ）／ＮＡＣＫ（Ｎｏｔ−Ａｃｋｎｏｗｌｅｄｇｅｍｅｎｔ）信号を運ぶ。ＰＤＣＣＨを介して送信される制御情報をダウンリンク制御情報（ＤＣＩ：ｄｏｗｎｌｉｎｋ  ｃｏｎｔｒｏｌ  ｉｎｆｏｒｍａｔｉｏｎ）という。ダウンリンク制御情報は、アップリンク資源割り当て情報、ダウンリンク資源割り当て情報または任意の端末グループに対するアップリンク送信（Ｔｘ）パワー制御命令を含む。
【００７３】
ＰＤＣＣＨは、ＤＬ−ＳＣＨ（Ｄｏｗｎｌｉｎｋ  Ｓｈａｒｅｄ  Ｃｈａｎｎｅｌ）の資源割り当て及び送信フォーマット（これをダウンリンクグラントともいう）、ＵＬ−ＳＣＨ（Ｕｐｌｉｎｋ  Ｓｈａｒｅｄ  Ｃｈａｎｎｅｌ）の資源割り当て情報（これをアップリンクグラントともいう）、ＰＣＨ（Ｐａｇｉｎｇ  Ｃｈａｎｎｅｌ）でのページング（ｐａｇｉｎｇ）情報、ＤＬ−ＳＣＨでのシステム情報、ＰＤＳＣＨから送信されるランダムアクセス応答（ｒａｎｄｏｍ  ａｃｃｅｓｓ  ｒｅｓｐｏｎｓｅ）のような上位階層（ｕｐｐｅｒ−ｌａｙｅｒ）制御メッセージに対する資源割り当て、任意の端末グループ内の個別端末に対する送信パワー制御命令の集合、ＶｏＩＰ（Ｖｏｉｃｅ  ｏｖｅｒ  ＩＰ）の活性化などを運ぶことができる。複数のＰＤＣＣＨは、制御領域内で送信されることができ、端末は、複数のＰＤＣＣＨをモニタリングできる。ＰＤＣＣＨは、１つまたは複数の連続的なＣＣＥ（ｃｏｎｔｒｏｌ  ｃｈａｎｎｅｌ  ｅｌｅｍｅｎｔｓ）の集合から構成される。ＣＣＥは、無線チャネルの状態に応じる符号化率（ｃｏｄｉｎｇ  ｒａｔｅ）をＰＤＣＣＨに提供するために使用される論理的割り当て単位である。ＣＣＥは、複数の資源要素グループ（ｒｅｓｏｕｒｃｅ  ｅｌｅｍｅｎｔ  ｇｒｏｕｐ）に対応する。ＰＤＣＣＨのフォーマット及び使用可能なＰＤＣＣＨのビット数は、ＣＣＥの数とＣＣＥにより提供される符号化率間の関連関係によって決定される。
【００７４】
基地局は、端末に送信しようとするＤＣＩに応じてＰＤＣＣＨフォーマットを決定し、制御情報にＣＲＣ（Ｃｙｃｌｉｃ  Ｒｅｄｕｎｄａｎｃｙ  Ｃｈｅｃｋ）を付ける。ＣＲＣには、ＰＤＣＣＨの所有者（ｏｗｎｅｒ）または用途に応じて、固有の識別子（これをＲＮＴＩ（Ｒａｄｉｏ  Ｎｅｔｗｏｒｋ  Ｔｅｍｐｏｒａｒｙ  Ｉｄｅｎｔｉｆｉｅｒ）という。）がマスキングされる。特定の端末のためのＰＤＣＣＨであれば、端末の固有の識別子、例えばＣ−ＲＮＴＩ（Ｃｅｌｌ−ＲＮＴＩ）がＣＲＣにマスキングされることができる。またはページングメッセージのためのＰＤＣＣＨであれば、ページング指示識別子、例えばＰ−ＲＮＴＩ（Ｐａｇｉｎｇ−ＲＮＴＩ）がＣＲＣにマスキングされることができる。システム情報、さらに具体的にシステム情報ブロック（ＳＩＢ：ｓｙｓｔｅｍ  ｉｎｆｏｒｍａｔｉｏｎ  ｂｌｏｃｋ）のためのＰＤＣＣＨであれば、システム情報識別子、ＳＩ−ＲＮＴＩ（ｓｙｓｔｅｍ  ｉｎｆｏｒｍａｔｉｏｎ  ＲＮＴＩ）がＣＲＣにマスキングされることができる。端末のランダムアクセスプリアンブルの送信に対する応答であるランダムアクセス応答を指示するために、ＲＡ−ＲＮＴＩ（ｒａｎｄｏｍ  ａｃｃｅｓｓ−ＲＮＴＩ）がＣＲＣにマスキングされることができる。
【００７５】
図４は、本発明が適用されることができる無線通信システムにおけるアップリンクサブフレームの構造を示す。
【００７６】
図４に示すように、アップリンクサブフレームは、周波数領域において制御領域とデータ領域とに分けられる。制御領域には、アップリンク制御情報を運ぶＰＵＣＣＨ（Ｐｈｙｓｉｃａｌ  Ｕｐｌｉｎｋ  ｃｏｎｔｒｏｌ  Ｃｈａｎｎｅｌ）が割り当てられる。データ領域は、ユーザデータを運ぶＰＵＳＣＨ（Ｐｈｙｓｉｃａｌ  Ｕｐｌｉｎｋ  Ｓｈａｒｅｄ  Ｃｈａｎｎｅｌ）が割り当てられる。単一搬送波特性を維持するために、１つの端末は、ＰＵＣＣＨとＰＵＳＣＨを同時に送信しない。
【００７７】
１つの端末に対するＰＵＣＣＨには、サブフレーム内に資源ブロック（ＲＢ：Ｒｅｓｏｕｒｃｅ  Ｂｌｏｃｋ）対が割り当てられる。ＲＢ対に属するＲＢは、２個のスロットの各々で互いに異なる副搬送波を占める。これをＰＵＣＣＨに割り当てられたＲＢ対は、スロット境界（ｓｌｏｔ  ｂｏｕｎｄａｒｙ）から周波数跳躍（ｆｒｅｑｕｅｎｃｙ  ｈｏｐｐｉｎｇ）されるという。
【００７８】
ＭＩＭＯ（Ｍｕｌｔｉ−Ｉｎｐｕｔ  Ｍｕｌｔｉ−Ｏｕｔｐｕｔ）
【００７９】
ＭＩＭＯ技術は、いままで一般に１個の送信アンテナと１個の受信アンテナを使用したことから脱皮して、多重送信（Ｔｘ）アンテナと多重受信（Ｒｘ）アンテナを使用する。言い換えれば、ＭＩＭＯ技術は、無線通信システムの送信端または受信端で多重入出力アンテナを使用して用量増大または性能改善を図る技術である。以下、「ＭＩＭＯ」を「多重入出力アンテナ」と称する。
【００８０】
さらに具体的に、多重入出力アンテナ技術は、１つの完全なメッセージ（ｔｏｔａｌ  ｍｅｓｓａｇｅ）を受信するために、１個のアンテナ経路に依存せず、いくつかのアンテナを介して受信した複数のデータ片を収集して完全なデータを完成させる。結果的に、多重入出力アンテナ技術は、特定システム範囲内でデータ送信率を増加させることができ、また特定データ送信率を介してシステム範囲を増加させることができる。
【００８１】
次世代移動通信は、従来の移動通信に比べて、はるかに高いデータ送信率を要求するので、効率的な多重入出力アンテナ技術が必ず必要であると予想される。このような状況でＭＩＭＯ通信技術は、移動通信端末と中継器などに幅広く使用できる次世代移動通信技術であり、データ通信拡大などにより限界状況に応じて他の移動通信の送信量限界を克服できる技術として関心を集めている。
【００８２】
一方、現在研究されている様々な送信効率向上技術のうち、多重入出力アンテナ（ＭＩＭＯ）技術は、追加的な周波数割り当てまたは電力増加がなくても、通信用量及び送受信性能を画期的に向上させることができる方法として、現在最も大きな注目を受けている。
【００８３】
図５は、一般的な多重入出力アンテナ（ＭＩＭＯ）通信システムの構成図である。
【００８４】
図５を参照すると、送信アンテナの数をＮ＿Ｔ個に、受信アンテナの数をＮ＿Ｒ個に同時に増やすようになると、送信機または受信機においてのみ複数のアンテナを使用するようになる場合とは異なり、アンテナ数に比例して理論的なチャネル送信用量が増加するので、送信レート（ｔｒａｎｓｆｅｒ  ｒａｔｅ）を向上させ、周波数効率を画期的に向上させることができる。この場合、チャネル送信用量の増加に応じる送信レートは、１つのアンテナを用いる場合の最大送信レート（Ｒ＿ｏ）に次のようなレート増加率（Ｒ＿ｉ）がかけ算された分だけ理論的に増加できる。
【００８５】
【数１】
0006826204.tif 000006
【００８６】
すなわち、例えば、４個の送信アンテナと４個の受信アンテナを用いるＭＩＭＯ通信システムでは、単一アンテナシステムに比べて理論上４倍の送信レートを取得できる。
【００８７】
このような多重入出力アンテナの技術は、様々なチャネル経路を通過したシンボルを用いて送信信頼度を高める空間ダイバーシチ（ｓｐａｔｉａｌ  ｄｉｖｅｒｓｉｔｙ）方式と、複数の送信アンテナを用いて複数のデータシンボルを同時に送信して送信率を向上させる空間マルチプレクス（ｓｐａｔｉａｌ  ｍｕｌｔｉｐｌｅｘｉｎｇ）方式とに分けられる。また、このような２種類の方式を適切に結合して、各々の長所を適切に得ようとする方式に対する研究も最近多く研究されている分野である。
【００８８】
各々の方式について、さらに詳細に述べると、以下のとおりである。
【００８９】
第１に、空間ダイバーシチ方式の場合には、時空間ブロック符号系列と、ダイバーシチ利得と符号化利得を同時に用いる時空間トレリス（Ｔｒｅｌｉｓ）符号系列方式がある。一般に、ビットエラー率改善性能と符号生成自由度は、トレリス符号方式が優秀であるが、演算複雑度は、時空間ブロック符号が簡単である。このような空間ダイバーシティ利得は、送信アンテナ数（Ｎ＿Ｔ）と受信アンテナ数（Ｎ＿Ｒ）とのかけ算（Ｎ＿Ｔ×Ｎ＿Ｒ）に該当する量を得ることができる。
【００９０】
第２に、空間マルチプレクス技法は、各送信アンテナで互いに異なるデータ列を送信する方法であって、ことのとき、受信機では、送信機から同時に送信されたデータ間に相互干渉が発生するようになる。受信機では、この干渉を適切な信号処理技法を用いて除去した後に受信する。ここに用いられる雑音除去方式は、ＭＬＤ（ｍａｘｉｍｕｍ  ｌｉｋｅｌｉｈｏｏｄ  ｄｅｔｅｃｔｉｏｎ）受信機、ＺＦ（ｚｅｒｏ−ｆｏｒｃｉｎｇ）受信機、ＭＭＳＥ（ｍｉｎｉｍｕｍ  ｍｅａｎ  ｓｑｕａｒｅ  ｅｒｒｏｒ）受信機、Ｄ−ＢＬＡＳＴ（Ｄｉａｇｏｎａｌ−Ｂｅｌｌ  Ｌａｂｏｒａｔｏｒｉｅｓ  Ｌａｙｅｒｅｄ  Ｓｐａｃｅ−Ｔｉｍｅ）、Ｖ−ＢＬＡＳＴ（Ｖｅｒｔｉｃａｌ−Ｂｅｌｌ  Ｌａｂｏｒａｔｏｒｉｅｓ  Ｌａｙｅｒｅｄ  Ｓｐａｃｅ−Ｔｉｍｅ）などがあり、特に送信端でチャネル情報が分かる場合には、ＳＶＤ（ｓｉｎｇｕｌａｒ  ｖａｌｕｅ  ｄｅｃｏｍｐｏｓｉｔｉｏｎ）方式などを使用することができる。
【００９１】
第３に、空間ダイバーシチと空間マルチプレクスの結合された技法を例に挙げることができる。空間ダイバーシチ利得だけを得る場合、ダイバーシチ次数の増加に応じる性能改善利得が順次飽和され、空間マルチプレクス利得だけを取ると、無線チャネルにおいて送信信頼度が低下する。これを解決しながら２通りの利得を全部得る方式が研究されてきたし、このうち、時空間ブロック符号（Ｄｏｕｂｌｅ−ＳＴＴＤ）、時空間ＢＩＣＭ（ＳＴＢＩＣＭ）などの方式がある。
【００９２】
上述のような多重入出力アンテナシステムにおける通信方法をさらに具体的な方法で説明するために、これを数学的にモデリングする場合、以下のように表すことができる。
【００９３】
まず、図５に示すように、Ｎ＿Ｔ個の送信アンテナとＮ＿Ｒ個の受信アンテナが存在すると仮定する。
【００９４】
まず、送信信号について述べると、このようにＮ＿Ｔ個の送信アンテナがある場合、最大送信可能な情報は、Ｎ＿Ｔ個であるから、これを以下のようなベクトルで表すことができる。
【００９５】
【数２】
0006826204.tif 000007
【００９６】
一方、各々の送信情報ｓ＿１，ｓ＿２，．．．，ｓ＿Ｎ＿Ｔにおいて送信電力を異なるようにすることができ、このとき、各々の送信電力をＰ＿１，Ｐ＿２，．．．，Ｐ＿Ｎ＿Ｔとすると、送信電力が調整された送信情報は、次のようなベクトルで表すことができる。
【００９７】
【数３】
0006826204.tif 000008
【００９８】
また、式３の送信電力が調整された送信情報を以下のように送信電力の対角行列Ｐで表すことができる。
【００９９】
【数４】
0006826204.tif 000009
【０１００】
一方、式４の送信電力の調整された情報ベクトルは、その後に加重値行列Ｗがかけ算されて、実際送信されるＮ＿Ｔ個の送信信号ｘ＿１，ｘ＿２，．．．，ｘ＿Ｎ＿Ｔを構成する。ここで、加重値行列は、送信チャネル状況などによって送信情報を各アンテナに適切に分配する機能を行う。このような送信信号ｘ＿１，ｘ＿２，．．．，ｘ＿Ｎ＿Ｔをベクトルｘを用いて、以下のように表すことができる。
【０１０１】
【数５】
0006826204.tif 000010
【０１０２】
ここで、ｗ＿ｉｊは、ｉ番目の送信アンテナとｊ番目の送信情報間の加重値を表し、Ｗは、これを行列で表したものである。このような行列Ｗを加重値行列（Ｗｅｉｇｈｔ  Ｍａｔｒｉｘ）またはプリコーディング行列（Ｐｒｅｃｏｄｉｎｇ  Ｍａｔｒｉｘ）と呼ぶ。
【０１０３】
一方、上述のような送信信号（ｘ）は、空間ダイバーシチを使用する場合と空間マルチプレクッスを使用する場合とに分けて考えることができる。
【０１０４】
空間マルチプレクッスを使用する場合は、互いに異なる信号を多重化して送信するようになるので、情報ベクトルｓの元素が全部異なる値を有するようになることに対し、空間ダイバーシチを使用するようになると、同じ信号を複数のチャネル経路を介して送信するようになるので、情報ベクトルｓの元素が全部同じ値を有するようになる。
【０１０５】
もちろん、空間マルチプレックスと空間ダイバーシチを混合する方法も考慮可能である。すなわち、例えば、３個の送信アンテナを介して同じ信号を空間ダイバーシチを用いて送信し、残りは、各々異なる信号を空間マルチプレックスして送信する場合も考慮することができる。
【０１０６】
次に、受信信号は、Ｎ＿Ｒ個の受信アンテナがある場合、各アンテナの受信信号ｙ＿１，ｙ＿２，．．．，ｙ＿Ｎ＿Ｒをベクトルｙで次のように表す。
【０１０７】
【数６】
0006826204.tif 000011
【０１０８】
一方、多重入出力アンテナ通信システムにおけるチャネルをモデリングする場合、各々のチャネルは、送受信アンテナインデックスに応じて区分でき、送信アンテナｊから受信アンテナｉを経るチャネルをｈ＿ｉｊで表示することにする。ここで、ｈ＿ｉｊのインデックスの順序が受信アンテナインデックスが先、送信アンテナのインデックスが後であることに留意する。
【０１０９】
このようなチャネルは、いくつかを１つにグループ化してベクトル及び行列形態でも表示可能である。ベクトル表示の例を挙げて説明すると、以下のとおりである。
【０１１０】
図６は、複数の送信アンテナから１つの受信アンテナへのチャネルを示した図である。
【０１１１】
図６に示すように、合計Ｎ＿Ｔ個の送信アンテナから受信アンテナｉへ到着するチャネルは、次のように表現可能である。
【０１１２】
【数７】
0006826204.tif 000012
【０１１３】
また、前記式７のような行列表現により、Ｎ＿Ｔ個の送信アンテナからＮ＿Ｒ個の受信アンテナを経るチャネルを全部表す場合、以下のように表すことができる。
【０１１４】
【数８】
0006826204.tif 000013
【０１１５】
一方、実際チャネルは、上記のようなチャネル行列Ｈを経た後に白色雑音（ＡＷＧＮ：Ａｄｄｉｔｉｖｅ  Ｗｈｉｔｅ  Ｇａｕｓｓｉａｎ  Ｎｏｉｓｅ）が加算されるので、Ｎ＿Ｒ個の受信アンテナの各々に加算される白色雑音ｎ＿１，ｎ＿２，．．．，ｎ＿Ｎ＿Ｒをベクトルで表現すると、以下のとおりである。
【０１１６】
【数９】
0006826204.tif 000014
【０１１７】
上述のような送信信号、受信信号、チャネル、及び白色雑音のモデリングを介して多重入出力アンテナ通信システムでの各々は、次のような関係を介して表すことができる。
【０１１８】
【数１０】
0006826204.tif 000015
【０１１９】
一方、チャネルの状態を表すチャネル行列Ｈの行と列の数は、送受信アンテナ数によって決定される。チャネル行列Ｈは、上述のように行の数は、受信アンテナの数Ｎ＿Ｒのようなくなり、列の数は、送信アンテナの数Ｎ＿Ｔのようなくなる。すなわち、チャネル行列Ｈは、Ｎ＿Ｒ×Ｎ＿Ｔ行列になる。
【０１２０】
一般に、行列のランク（ｒａｎｋ）は、互いに独立である（ｉｎｄｅｐｅｎｄｅｎｔ）行または列の数の中で最小数で定義される。したがって、行列のランクは、行または列の数より大きくなってはならない。数式的に例を挙げると、チャネル行列Ｈのランク（ｒａｎｋ（Ｈ））は、次のように制限される。
【０１２１】
【数１１】
0006826204.tif 000016
【０１２２】
また、行列を固有値分解（Ｅｉｇｅｎ  ｖａｌｕｅ  ｄｅｃｏｍｐｏｓｉｔｉｏｎ）をしたとき、ランクは、固有値（ｅｉｇｅｎ  ｖａｌｕｅ）のうち、０でない固有値の数で定義することができる。類似した方法で、ランクをＳＶＤ（ｓｉｎｇｕｌａｒ  ｖａｌｕｅ  ｄｅｃｏｍｐｏｓｉｔｉｏｎ）したとき、０でない特異値（ｓｉｎｇｕｌａｒ  ｖａｌｕｅ）の数で定義することができる。したがって、チャネル行列においてランクの物理的な意味は、与えられたチャネルで互いに異なる情報を送ることができる最大数ということができる。
【０１２３】
本明細書において、ＭＩＭＯ送信に対する「ランク（Ｒａｎｋ）」は、特定時点及び特定周波数資源において独立的に信号を送信できる経路の数を表し、「レイヤー（ｌａｙｅｒ）の数」は、各経路を介して送信される信号ストリームの数を表す。一般に、送信端は、信号送信に用いられるランク数に対応する数のレイヤーを送信するから、別の言及がない限り、ランクは、レイヤー数のような意味を有する。
【０１２４】
参照信号（ＲＳ：Ｒｅｆｅｒｅｎｃｅ  Ｓｉｇｎａｌ）
【０１２５】
無線通信システムにおけるデータは無線チャンネルを介して送信されるので、信号は送信中に歪曲されることがある。受信端で歪曲された信号を正確に受信するために、受信された信号の歪曲はチャンネル情報を用いて補正されなければならない。チャンネル情報を検出するために送信側と受信側の両方とも知っている信号送信方法と信号がチャンネルを介して送信されるとき、歪曲された程度を用いてチャンネル情報を検出する方法を主に用いる。前述した信号をパイロット信号または参照信号（ＲＳ：ｒｅｆｅｒｅｎｃｅ  ｓｉｇｎａｌ）という。
【０１２６】
また、最近、大部分の移動通信システムでパケットを送信する時、今まで１つの送信アンテナと１つの受信アンテナを使用したことから脱皮して、多重送信アンテナと多重受信アンテナを採択して送受信データ効率を向上させることができる方法を使用する。多重入出力アンテナを用いてデータを送受信する時、信号を正確に受信するために送信アンテナと受信アンテナとの間のチャンネル状態が検出されなければならない。したがって、各送信アンテナは個別的な参照信号を有しなければならない。
【０１２７】
移動通信システムにおけるＲＳはその目的によって２つに大別できる。チャンネル状態情報取得のための目的のＲＳとデータ復調のために使用されるＲＳがある。前者はＵＥがダウンリンクへのチャンネル状態情報を取得することにその目的があるので、広帯域に送信されなければならず、特定サブフレームでダウンリンクデータを受信しないＵＥでもそのＲＳを受信し測定できなければならない。また、これはハンドオーバーなどの無線資源無線資源管理（ＲＲＭ：Ｒａｄｉｏ  Ｒｅｓｏｕｒｃｅ  Ｍａｎａｇｅｍｅｎｔ）測定などのためにも使用される。後者は、基地局がダウンリンクを送る時、該当リソースに共に送るＲＳであって、ＵＥは該当ＲＳを受信することによってチャンネル推定を行うことができ、したがって、データを復調できるようになる。このＲＳはデータが送信される領域に送信されなければならない。
【０１２８】
下向き参照信号はセル内の全ての端末が共有するチャンネル状態に関する情報取得及びハンドオーバーの測定などのための１つの共通参照信号（ＣＲＳ：ｃｏｍｍｏｎ  ＲＳ）と特定端末のみのためにデータ復調のために使用される専用参照信号（ｄｅｄｉｃａｔｅｄ  ＲＳ）がある。このような参照信号を用いて復調（ｄｅｍｏｄｕｌａｔｉｏｎ）とチャンネル測定（ｃｈａｎｎｅｌ  ｍｅａｓｕｒｅｍｅｎｔ）のための情報を提供することができる。すなわち、ＤＲＳはデータ復調用のみに使われ、ＣＲＳはチャンネル情報取得及びデータ復調の２つの目的に全て使用される。
【０１２９】
受信側（すなわち、端末）はＣＲＳからチャンネル状態を測定し、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｅｘ）及び／又はＲＩ（Ｒａｎｋ  Ｉｎｄｉｃａｔｏｒ）のようなチャンネル品質と関連した指示子を送信側（すなわち、基地局）にフィードバックする。ＣＲＳは、セル特定基準信号（ｃｅｌｌ−ｓｐｅｃｉｆｉｃ  ＲＳ）ともいう。一方、チャンネル状態情報（ＣＳＩ：Ｃｈａｎｎｅｌ  Ｓｔａｔｅ  Ｉｎｆｏｒｍａｔｉｏｎ）のフィードバックと関連した参照信号をＣＳＩ−ＲＳと定義することができる。
【０１３０】
ＤＲＳは、ＰＤＳＣＨ上のデータ復調を必要とする場合、資源要素を通じて送信できる。端末は上位階層を通じてＤＲＳの存否を受信することができ、相応するＰＤＳＣＨがマッピングされた時のみに有効である。ＤＲＳを端末特定参照信号（ＵＥ−ｓｐｅｃｉｆｉｃ  ＲＳ）または復調参照信号（ＤＭＲＳ：Ｄｅｍｏｄｕｌａｔｉｏｎ  ＲＳ）ということができる。
【０１３１】
図７は、本発明が適用できる無線通信システムにおけるダウンリンク資源ブロック対にマッピングされた参照信号パターンを例示する。
【０１３２】
図７を参照すると、参照信号がマッピングされる単位でダウンリンク資源ブロック対は時間領域で１つのサブフレーム×周波数領域で１２個の副搬送波で示すことができる。すなわち、時間軸（ｘ軸）上で１つの資源ブロック対は一般循環前置（ｎｏｒｍａｌ  ＣＰ：ｎｏｒｍａｌ  Ｃｙｃｌｉｃ  Ｐｒｅｆｉｘ）の場合、１４個のＯＦＤＭシンボルの長さを有し（図７（ａ）の場合）、拡張循環前置（ｅｘｔｅｎｄｅｄ  ＣＰ：ｅｘｔｅｎｄｅｄ  Ｃｙｃｌｉｃ  Ｐｒｅｆｉｘ）の場合、１２個のＯＦＤＭシンボルの長さを有する（図７（ｂ）の場合）。資源ブロック格子で‘０’、‘１’、‘２’、及び‘３’と記載された資源要素（ＲＥｓ）は各々アンテナポートインデックス‘０’、‘１’、‘２’、及び‘３’のＣＲＳの位置を意味し、‘Ｄ’と記載された資源要素はＤＲＳの位置を意味する。
【０１３３】
以下、ＣＲＳに対してより詳細に記述すると、ＣＲＳは物理的アンテナのチャンネルを推定するために使われ、セル内に位置した全ての端末に共通的に受信できる参照信号として全体周波数帯域に分布する。すなわち、このＣＲＳはｃｅｌｌ−ｓｐｅｃｉｆｉｃなシグナルであって、広帯域に対して毎サブフレーム毎に送信される。また、ＣＲＳはチャンネル品質情報（ＣＳＩ）及びデータ復調のために利用できる。
【０１３４】
ＣＲＳは送信側（基地局）でのアンテナ配列によって様々なフォーマットに定義される。３ＧＰＰ  ＬＴＥシステム（例えば、リリーズ−８）では、基地局の送信アンテナ個数によって最大４個のアンテナポートに対するＲＳが送信される。ダウンリンク信号送信側は単一の送信アンテナ、２個の送信アンテナ、及び４個の送信アンテナのように、３種類のアンテナ配列を有する。例えば、基地局の送信アンテナの個数が２個の場合は０番と１番アンテナポートに対するＣＲＳが送信され、４個の場合は０〜３番アンテナポートに対するＣＲＳが各々送信される。基地局の送信アンテナが４個の場合、１つのＲＢでのＣＲＳパターンは図７の通りである。
【０１３５】
基地局が単一の送信アンテナを使用する場合、単一アンテナポートのための参照信号が配列される。
【０１３６】
基地局が２個の送信アンテナを使用する場合、２個の送信アンテナポートのための参照信号は時分割多重化（ＴＤＭ：Ｔｉｍｅ  Ｄｉｖｉｓｉｏｎ  Ｍｕｌｔｉｐｌｅｘｉｎｇ）及び／又は周波数分割多重化（ＦＤＭ  Ｆｒｅｑｕｅｎｃｙ  Ｄｉｖｉｓｉｏｎ  Ｍｕｌｔｉｐｌｅｘｉｎｇ）方式を用いて配列される。すなわち、２個のアンテナポートのための参照信号は各々が区別されるために互いに異なる時間資源及び／又は互いに異なる周波数資源が割り当てられる。
【０１３７】
なお、基地局が４個の送信アンテナを使用する場合、４個の送信アンテナポートのための参照信号はＴＤＭ及び／又はＦＤＭ方式を用いて配列される。ダウンリンク信号の受信側（端末）により測定されたチャンネル情報は、単一の送信アンテナ送信、送信ダイバーシティ、閉ループ空間多重化（ｃｌｏｓｅｄ−ｌｏｏｐ  ｓｐａｔｉａｌ  ｍｕｌｔｉｐｌｅｘｉｎｇ）、開ループ空間多重化（ｏｐｅｎ−ｌｏｏｐ  ｓｐａｔｉａｌ  ｍｕｌｔｉｐｌｅｘｉｎｇ）、または多重ユーザ−多重入出力アンテナ（ｍｕｌｔｉ−Ｕｓｅｒ  ＭＩＭＯ((Multi Input Multi Output))のような送信方式を用いて送信されたデータを復調するために使用されることができる。
【０１３８】
多重入出力アンテナが支援される場合、参照信号が特定のアンテナポートから送信されるとき、前記参照信号は参照信号のパターンによって特定された資源要素の位置に送信され、異なるアンテナポートのために特定された資源要素の位置に送信されない。すなわち、互いに異なるアンテナ間の参照信号は互いに重ならない。
【０１３９】
以下、ＤＲＳに対してより詳細に記述すると、ＤＲＳはデータを復調するために使用される。多重入出力アンテナ送信で特定の端末のために使用される先行符号化（ｐｒｅｃｏｄｉｎｇ）加重値は、端末が参照信号を受信した時、各送信アンテナから送信された送信チャンネルと結合されて相応するチャンネルを推定するために変更無しで使用される。
【０１４０】
３ＧＰＰ  ＬＴＥシステム（例えば、リリーズ−８）は、最大４個の送信アンテナを支援し、ランク１ビームフォーミング（ｂｅａｍｆｏｒｍｉｎｇ）のためのＤＲＳが定義される。ランク１ビームフォーミングのためのＤＲＳは、またアンテナポートインデックス５のための参照信号を示す。
【０１４１】
ＬＴＥシステムの進化発展した形態のＬＴＥ−Ａシステムで基地局のダウンリンクに最大８個の送信アンテナが支援できるようにデザインされなければならない。したがって、最大８個の送信アンテナに対するＲＳも支援されなければならない。ＬＴＥシステムでダウンリンクＲＳは最大４個のアンテナポートに対するＲＳのみ定義されているので、ＬＴＥ−Ａシステムで基地局が４個以上最大８個のダウンリンク送信アンテナを有する場合、これらアンテナポートに対するＲＳが追加的に定義されデザインされなければならない。最大８個の送信アンテナポートに対するＲＳは、前述したチャンネル測定のためのＲＳとデータ復調のためのＲＳの２つが全てデザインされなければならない。
【０１４２】
ＬＴＥ−Ａシステムをデザインするに当たって、重要な考慮事項のうちの１つは、下位互換性（ｂａｃｋｗａｒｄ  ｃｏｍｐａｔｉｂｉｌｉｔｙ）、すなわちＬＴＥ端末がＬＴＥ−Ａシステムでも何の無理なく、よく動作しなければならず、システムもこれを支援しなければならないことである。ＲＳ送信の観点から見ると、ＬＴＥで定義されているＣＲＳが全帯域に毎サブフレーム毎に送信される時間−周波数領域で追加的に最大８個の送信アンテナポートに対するＲＳが追加的に定義されなければならない。ＬＴＥ−Ａシステムで既存ＬＴＥのＣＲＳのような方式により最大８個の送信アンテナに対するＲＳパターンを毎サブフレーム毎に全帯域に追加するようになれば、ＲＳオーバーヘッドが大きすぎるようになる。
【０１４３】
したがって、ＬＴＥ−Ａシステムで新しくデザインされるＲＳは２つに大別されるが、ＭＣＳ、ＰＭＩなどの選択のためのチャンネル測定目的のＲＳ（ＣＳＩ−ＲＳ：Ｃｈａｎｎｅｌ  Ｓｔａｔｅ  Ｉｎｆｏｒｍａｔｉｏｎ−ＲＳ、Ｃｈａｎｎｅｌ  Ｓｔａｔｅ  Ｉｎｄｉｃａｔｉｏｎ−ＲＳなど）と８個の送信アンテナに送信されるデータ復調のためのＲＳ（ＤＭ−ＲＳ：Ｄａｔａ  Ｄｅｍｏｄｕｌａｔｉｏｎ−ＲＳ）である。
【０１４４】
チャンネル測定目的のＣＳＩ−ＲＳは既存のＣＲＳがチャンネル測定、ハンドオーバーなどの測定などの目的のように、データ復調のために使用されることとは異なり、チャンネル測定中心の目的のためにデザインされる特徴がある。勿論これもまたハンドオーバーなどの測定などの目的に使用されることもできる。ＣＳＩ−ＲＳがチャンネル状態に関する情報を得る目的のみに送信されるので、ＣＲＳとは異なり、毎サブフレーム毎に送信されなくてもよい。ＣＳＩ−ＲＳのオーバーヘッドを減らすためにＣＳＩ−ＲＳは時間軸上で間歇的に送信される。
【０１４５】
データ復調のために該当時間−周波数領域でスケジューリングされたＵＥに専用的（ｄｅｄｉｃａｔｅｄ）にＤＭ−ＲＳが送信される。すなわち、特定ＵＥのＤＭ−ＲＳは当該ＵＥがスケジューリングされた領域、すなわちデータの受信を受ける時間−周波数領域のみに送信されるものである。
【０１４６】
ＬＴＥ−Ａシステムで基地局のダウンリンクに最大８個の送信アンテナを支援する。ＬＴＥ−Ａシステムで既存ＬＴＥのＣＲＳのような方式により最大８個の送信アンテナに対するＲＳを毎サブフレーム毎に全帯域に送信するようになれば、ＲＳオーバーヘッドが大きすぎるようになる。したがって、ＬＴＥ−Ａシステムでは、ＭＣＳ、ＰＭＩなどの選択のためのＣＳＩ測定目的のＣＳＩ−ＲＳとデータ復調のためのＤＭ−ＲＳに分離されて２つのＲＳが追加された。ＣＳＩ−ＲＳはＲＲＭ測定などの目的に使用されることもできるが、ＣＳＩ取得の主目的のためにデザインされた。ＣＳＩ−ＲＳはデータ復調に使われないので、毎サブフレーム毎に送信される必要はない。したがって、ＣＳＩ−ＲＳのオーバーヘッドを減らすために時間軸上で間歇的に送信するようにする。すなわち、ＣＳＩ−ＲＳは１サブフレームの整数倍の周期で周期的に送信されるか、または特定送信パターンに送信できる。この際、ＣＳＩ−ＲＳが送信される周期やパターンはｅＮＢが設定することができる。
【０１４７】
データ復調のためには該当時間−周波数領域でスケジューリングされたＵＥにｄｅｄｉｃａｔｅｄにＤＭ−ＲＳが送信される。すなわち、特定ＵＥのＤＭ−ＲＳは当該ＵＥがスケジューリングされた領域、すなわちデータの受信を受ける時間−周波数領域のみに送信される。
【０１４８】
ＣＳＩ−ＲＳを測定するためにＵＥは必ず自分が属したセルの各々のＣＳＩ−ＲＳアンテナポートに対するＣＳＩ−ＲＳの送信サブフレームインデックス、送信サブフレーム内でＣＳＩ−ＲＳ資源要素（ＲＥ）時間−周波数の位置、そしてＣＳＩ−ＲＳシーケンスなどに関する情報を知っていなければならない。
【０１４９】
ＬＴＥ−ＡシステムにｅＮＢはＣＳＩ−ＲＳを最大８個のアンテナポートに対して各々送信しなければならない。互いに異なるアンテナポートのＣＳＩ−ＲＳ送信のために使用される資源は互いに直交（ｏｒｔｈｏｇｏｎａｌ）しなければならない。１つのｅＮＢが互いに異なるアンテナポートに対するＣＳＩ−ＲＳを送信する時、各々のアンテナポートに対するＣＳＩ−ＲＳを互いに異なるＲＥにマッピングすることにより、ＦＤＭ／ＴＤＭ方式によりこれらの資源を直交（ｏｒｔｈｏｇｏｎａｌ）に割り当てることができる。または、互いに異なるアンテナポートに対するＣＳＩ−ＲＳを互いに直交（ｏｒｔｈｏｇｏｎａｌ）なコードにマッピングさせるＤＭ方式により送信することができる。
【０１５０】
ＣＳＩ−ＲＳに関する情報をｅＮＢが自分のセルＵＥに知らせる時、まず各アンテナポートに対するＣＳＩ−ＲＳがマッピングされる時間−周波数に関する情報を知らせなければならない。具体的に、ＣＳＩ−ＲＳが送信されるサブフレーム番号、またはＣＳＩ−ＲＳが送信される周期、ＣＳＩ−ＲＳが送信されるサブフレームオフセットであり、特定アンテナのＣＳＩ−ＲＳ  ＲＥが送信されるＯＦＤＭシンボル番号、周波数間隔（ｓｐａｃｉｎｇ）、周波数軸でのＲＥのオフセット、またはシフト値などがある。
【０１５１】
ＣＳＩ−ＲＳは１個、２個、４個、または８個のアンテナポートを介して送信される。この際、使用されるアンテナポートは、各々ｐ＝１５、ｐ＝１５、１６、ｐ＝１５，．．．，１８、ｐ＝１５，．．．，２２である。ＣＳＩ−ＲＳはサブキャリア間隔Δｆ＝１５ｋＨｚに対してのみ定義されることができる。
【０１５２】
ＣＳＩ−ＲＳ送信のために設定されたサブフレーム内で、ＣＳＩ−ＲＳシーケンスは以下の式１２のように各アンテナポート（ｐ）上の参照シンボル（ｒｅｆｅｒｅｎｃｅ  ｓｙｍｂｏｌ）として用いられる複素変調シンボル（ｃｏｍｐｌｅｘ−ｖａｌｕｅｄ  ｍｏｄｕｌａｔｉｏｎ  ｓｙｍｂｏｌ）ａ＿ｋ、ｌ^（ｐ）にマッピングされる。
【０１５３】
【数１２】
0006826204.tif 000017
【０１５４】
前記式１２で、（ｋ’、ｌ’）（ここで、ｋ’は資源ブロック内の副搬送波インデックスであり、ｌ’はスロット内のＯＦＤＭシンボルインデックスを示す。）及びｎ＿ｓの条件は以下の表３または表４のようなＣＳＩ−ＲＳ設定（ｃｏｎｆｉｇｕｒａｔｉｏｎ）によって決定される。
【０１５５】
表３は、一般ＣＰでＣＳＩ−ＲＳ構成から（ｋ’、ｌ’）のマッピングを例示する。
【０１５６】
【表３】
0006826204.tif 000018
【０１５７】
表４は、拡張ＣＰでＣＳＩ−ＲＳ構成から（ｋ'、ｌ'）のマッピングを例示する。
【０１５８】
【表４】
0006826204.tif 000019
【０１５９】
表３及び表４を参照すると、ＣＳＩ−ＲＳの送信において、異種ネットワーク（ＨｅｔＮｅｔ：ｈｅｔｅｒｏｇｅｎｅｏｕｓ  ｎｅｔｗｏｒｋ）環境を含んでマルチセル環境でセル間干渉（ＩＣＩ：ｉｎｔｅｒ−ｃｅｌｌ  ｉｎｔｅｒｆｅｒｅｎｃｅ）を減らすために、最大３２個（一般ＣＰの場合）または最大２８個（拡張ＣＰの場合）の互いに異なる構成（ｃｏｎｆｉｇｕｒａｔｉｏｎ）が定義される。
【０１６０】
ＣＳＩ−ＲＳ構成はセル内のアンテナポートの個数及びＣＰによって互いに異なり、隣接したセルは最大限互いに異なる構成を有することができる。また、ＣＳＩ−ＲＳ構成はフレーム構造によってＦＤＤフレームとＴＤＤフレームに全て適用する場合と、ＴＤＤフレームのみに適用する場合とに分けられる。
【０１６１】
表３及び表４に基づいてＣＳＩ−ＲＳ構成によって（ｋ'、ｌ'）及びｎ＿ｓが定まり、各ＣＳＩ−ＲＳアンテナポートによってＣＳＩ−ＲＳ送信に用いる時間−周波数資源が決定される。
【０１６２】
図８は、本発明が適用できる無線通信システムにおける参照信号がマッピングされる資源を例示する図である。
【０１６３】
図８（ａ）は１個または２個のＣＳＩ−ＲＳアンテナポートによるＣＳＩ−ＲＳ送信に使用可能な２０種類のＣＳＩ−ＲＳ構成を示すものであり、図８（ｂ）は４個のＣＳＩ−ＲＳアンテナポートにより使用可能な１０種類のＣＳＩ−ＲＳ構成を示すものであり、図８（ｃ）は８個のＣＳＩ−ＲＳアンテナポートによりＣＳＩ−ＲＳ送信に使用可能な５種類のＣＳＩ−ＲＳ構成を示すものである。
【０１６４】
このように、各ＣＳＩ−ＲＳ構成によってＣＳＩ−ＲＳが送信される無線資源（すなわち、ＲＥ対）が決定される。
【０１６５】
特定セルに対してＣＳＩ−ＲＳ送信のために１個あるいは２個のアンテナポートが設定されれば、図８（ａ）に図示された２０種類のＣＳＩ−ＲＳ構成のうち、設定されたＣＳＩ−ＲＳ構成にしたがう無線資源上でＣＳＩ−ＲＳが送信される。
【０１６６】
同様に、特定セルに対してＣＳＩ−ＲＳ送信のために４個のアンテナポートが設定されれば、図８（ｂ）に図示された１０種類のＣＳＩ−ＲＳ構成のうち、設定されたＣＳＩ−ＲＳ構成にしたがう無線資源上でＣＳＩ−ＲＳが送信される。また、特定セルに対してＣＳＩ−ＲＳ送信のために８個のアンテナポートが設定されれば、図８（ｃ）に図示された５種類のＣＳＩ−ＲＳ構成のうち、設定されたＣＳＩ−ＲＳ構成にしたがう無線資源上でＣＳＩ−ＲＳが送信される。
【０１６７】
２個のアンテナポート別（すなわち、｛１５，１６｝、｛１７，１８｝、｛１９，２０｝、｛２１，２２｝）に各々のアンテナポートに対するＣＳＩ−ＲＳは同一な無線資源にＣＤＭされて送信される。アンテナポート１５及び１６を例に挙げれば、アンテナポート１５及び１６に対する各々のＣＳＩ−ＲＳ複素シンボルは同一であるが、互いに異なる直交コード（例えば、ウォルシュコード（ｗａｌｓｈ  ｃｏｄｅ）がかけられて同一な無線資源にマッピングされる。アンテナポート１５に対するＣＳＩ−ＲＳの複素シンボルには［１，１］がかけられ、アンテナポート１６に対するＣＳＩ−ＲＳの複素シンボルには［１−１］がかけられて同一な無線資源にマッピングされる。これはアンテナポート｛１７，１８｝、｛１９，２０｝、｛２１，２２｝も同様である。
【０１６８】
ＵＥは送信されたシンボルにかけられたコードをかけて特定アンテナポートに対するＣＳＩ−ＲＳを検出することができる。すなわち、アンテナポート１５に対するＣＳＩ−ＲＳを検出するために、かけられたコード［１  １］をかけて、アンテナポート１６に対するＣＳＩ−ＲＳを検出するためにかけられたコード［１  −１］をかける。
【０１６９】
図８（ａ）〜（ｃ）を参照すると、同一なＣＳＩ−ＲＳ構成インデックスに該当すれば、アンテナポート数の多いＣＳＩ−ＲＳ構成にしたがう無線資源はＣＳＩ−ＲＳアンテナポート数の少ないＣＳＩ−ＲＳ構成にしたがう無線資源を含む。例えば、ＣＳＩ−ＲＳ構成０の場合、８個のアンテナポート数に対する無線資源は４個のアンテナポート数に対する無線資源と１または２個のアンテナポート数に対する無線資源を全て含む。
【０１７０】
１つのセルで複数のＣＳＩ−ＲＳ構成が使用されることができる。ノン−ゼロ電力（ＮＺＰ：ｎｏｎ−ｚｅｒｏ  ｐｏｗｅｒ）ＣＳＩ−ＲＳは０個または１個のＣＳＩ−ＲＳ構成のみ用いられ、ゼロ電力（ＺＰ：ｚｅｒｏ  ｐｏｗｅｒ）ＣＳＩ−ＲＳは０個または複数個のＣＳＩ−ＲＳ構成が利用できる。
【０１７１】
上位階層により設定される１６ビットのビットマップであるＺＰ  ＣＳＩ−ＲＳ（ＺｅｒｏＰｏｗｅｒＣＳＩ−ＲＳ）で１に設定された各ビット別に、ＵＥは前記の表３及び表４の４個のＣＳＩ−ＲＳ列（ｃｏｌｕｍｎ）に該当するＲＥで（上位階層により設定されたＮＺＰ  ＣＳＩ−ＲＳを仮定するＲＥと重複する場合を除外）ゼロ送信電力を仮定する。最上位ビット（ＭＳＢ：Ｍｏｓｔ  Ｓｉｇｎｉｆｉｃａｎｔ  Ｂｉｔ）は最も低いＣＳＩ−ＲＳ構成インデックスに該当し、ビットマップ内でその次のビットは順に次のＣＳＩ−ＲＳ構成インデックスに該当する。
【０１７２】
ＣＳＩ−ＲＳは前記の表３及び表４で（ｎ＿ｓ  ｍｏｄ  ２）の条件を満たすダウンリンクスロット及びＣＳＩ−ＲＳサブフレーム構成を満たすサブフレームのみで送信される。
【０１７３】
フレーム構造タイプ２（ＴＤＤ）の場合、スペシャルサブフレーム、同期信号（ＳＳ）、ＰＢＣＨまたはＳＩＢ  １（ＳｙｓｔｅｍＩｎｆｏｒｍａｔｉｏｎＢｌｏｃｋＴｙｐｅ  １）メッセージ送信と衝突するサブフレームまたはページングメッセージ送信のために設定されたサブフレームでＣＳＩ−ＲＳは送信されない。
【０１７４】
また、アンテナポートセットＳ（Ｓ＝｛１５｝、Ｓ＝｛１５，１６｝、Ｓ＝｛１７，１８｝、Ｓ＝｛１９，２０｝、またはＳ＝｛２１，２２｝）内に属する如何なるアンテナポートに対するＣＳＩ−ＲＳが送信されるＲＥは、ＰＤＳＣＨまたは他のアンテナポートのＣＳＩ−ＲＳ送信に使われない。
【０１７５】
ＣＳＩ−ＲＳ送信に使用される時間−周波数資源はデータ送信に使用されることができないので、ＣＳＩ−ＲＳオーバーヘッドが増加するほどデータ処理量（ｔｈｒｏｕｇｈｐｕｔ）が減少するようになる。これを考慮してＣＳＩ−ＲＳは毎サブフレーム毎に送信されるように構成されず、複数のサブフレームに該当する所定の送信周期毎に送信されるように構成される。この場合、毎サブフレーム毎にＣＳＩ−ＲＳが送信される場合に比べてＣＳＩ−ＲＳ送信オーバーヘッドがたくさん低減できる。
【０１７６】
ＣＳＩ−ＲＳ送信のためのサブフレーム周期（以下、‘ＣＳＩ送信周期’と称する）（Ｔ＿ＣＳＩ−ＲＳ）及びサブフレームオフセット（Δ＿ＣＳＩ−ＲＳ）は、以下の表５の通りである。
【０１７７】
表５は、ＣＳＩ−ＲＳサブフレーム構成を例示する。
【０１７８】
【表５】
0006826204.tif 000020
【０１７９】
表５を参照すると、ＣＳＩ−ＲＳサブフレーム構成（Ｉ＿ＣＳＩ−ＲＳ）によってＣＳＩ−ＲＳ送信周期（Ｔ＿ＣＳＩ−ＲＳ）及びサブフレームオフセット（Δ＿ＣＳＩ−ＲＳ）が決定される。
【０１８０】
表５のＣＳＩ−ＲＳサブフレーム構成は、先の‘ＳｕｂｆｒａｍｅＣｏｎｆｉｇ’フィールド及び‘ｚｅｒｏＴｘＰｏｗｅｒＳｕｂｆｒａｍｅＣｏｎｆｉｇ’フィールドのうち、いずれか１つに設定できる。ＣＳＩ−ＲＳサブフレーム構成は、ＮＺＰ  ＣＳＩ−ＲＳ及びＺＰＣ  ＳＩ−ＲＳに対して個別的に（ｓｅｐａｒａｔｅｌｙ）設定できる。
【０１８１】
ＣＳＩ−ＲＳを含むサブフレームは、以下の式１３を満たす。
【０１８２】
【数１３】
0006826204.tif 000021
【０１８３】
式１３で、Ｔ＿ＣＳＩ−ＲＳはＣＳＩ−ＲＳ送信周期、Δ＿ＣＳＩ−ＲＳはサブフレームオフセット値、ｎ＿ｆはシステムフレームナンバー、ｎ＿ｓはスロットナンバーを意味する。
【０１８４】
サービングセルに対して送信モード９（ｔｒａｎｓｍｉｓｓｉｏｎ  ｍｏｄｅ  ９）が設定されたＵＥの場合、ＵＥは１つのＣＳＩ−ＲＳ資源構成が設定できる。サービングセルに対して送信モード１０（ｔｒａｎｓｍｉｓｓｉｏｎ  ｍｏｄｅ  １０）が設定されたＵＥの場合、ＵＥは１つまたはそれ以上のＣＳＩ−ＲＳ資源構成が設定できる。
【０１８５】
現在のＬＴＥ標準でＣＳＩ−ＲＳ構成は、アンテナポート個数（ａｎｔｅｎｎａ  ｐｏｒｔｓＣｏｕｎｔ）、サブフレーム構成（ｓｕｂｆｒａｍｅＣｏｎｆｉｇ）、資源構成（ｒｅｓｏｕｒｃｅＣｏｎｆｉｇ）などで構成されているので、ＣＳＩ−ＲＳがいくつのアンテナポートから送信されるのか、ＣＳＩ−ＲＳが送信されるサブフレームの周期及びオフセットがどうなるのか、そして当該サブフレームでいずれかのＲＥ位置（すなわち、周波数とＯＦＤＭシンボルインデックス）で送信されるのかを知らせてくれる。
【０１８６】
具体的に、各ＣＳＩ−ＲＳ（資源）構成のための以下のようにパラメータが上位階層シグナリングを通じて設定される。
【０１８７】
−  送信モード１０が設定された場合、ＣＳＩ−ＲＳ資源構成識別子
【０１８８】
−  ＣＳＩ−ＲＳポート個数（ａｎｔｅｎｎａ  ｐｏｒｔｓＣｏｕｎｔ）：ＣＳＩ−ＲＳ送信のために使用されるアンテナポートの個数を示すパラメータ（例えば、１ＣＳＩ−ＲＳポート、２ＣＳＩ−ＲＳポート、４ＣＳＩ−ＲＳポート、８ＣＳＩ−ＲＳポート）
【０１８９】
−  ＣＳＩ−ＲＳ構成（ｒｅｓｏｕｒｃｅＣｏｎｆｉｇ）（表３及び表４参照）：ＣＳＩ−ＲＳ割当資源位置に関するパラメータ
【０１９０】
−  ＣＳＩ−ＲＳサブフレーム構成（ｓｕｂｆｒａｍｅＣｏｎｆｉｇ、すなわちＩ＿ＣＳＩ−ＲＳ）（表５参照）：ＣＳＩ−ＲＳが送信されるサブフレーム周期及び／又はオフセットに関するパラメータ
【０１９１】
−  送信モード９が設定された場合、ＣＳＩフィードバックのための送信パワー（Ｐ＿Ｃ）：フィードバックのための参照ＰＤＳＣＨ送信パワーに対するＵＥの仮定と関連して、ＵＥがＣＳＩフィードバックを導出し、１ｄＢ段階サイズに［−８，１５］ｄＢ範囲内で値を取る時、Ｐ＿ＣはＰＤＳＣＨ  ＲＥ当りエネルギー（ＥＰＲＥ：Ｅｎｅｒｇｙ  Ｐｅｒ  Ｒｅｓｏｕｒｃｅ  Ｅｌｅｍｅｎｔ）とＣＳＩ−ＲＳ  ＥＰＲＥの割合で仮定される。
【０１９２】
−  送信モード１０が設定された場合、各ＣＳＩプロセスに対してＣＳＩフィードバックのための送信パワー（Ｐ＿Ｃ）。ＣＳＩプロセスに対してＣＳＩサブフレームセットＣ＿ＣＳＩ、０、及びＣ＿ＣＳＩ、１が上位階層により設定されれば、Ｐ＿ＣはＣＳＩプロセスの各ＣＳＩサブフレームセット別に設定される。
【０１９３】
−  任意ランダム（ｐｓｅｕｄｏ−ｒａｎｄｏｍ）シーケンス発生器パラメータ（ｎ＿ＩＤ）
【０１９４】
−  送信モード１０が設定された場合、ＱＣＬ（ＱｕａｓｉＣｏ−Ｌｏｃａｔｅｄ）タイプＢ  ＵＥ仮定のためのＱＣＬスクランブリング識別子（ｑｃｌ−ＳｃｒａｍｂｌｉｎｇＩｄｅｎｔｉｔｙ−ｒ１１）、ＣＲＳポートカウント（ｃｒｓ−ＰｏｒｔｓＣｏｕｎｔ−ｒ１１）、ＭＢＳＦＮサブフレーム設定リスト（ｍｂｓｆｎ−ＳｕｂｆｒａｍｅＣｏｎｆｉｇＬｉｓｔ−ｒ１１）パラメータを含む上位階層パラメータ（‘ｑｃｌ−ＣＲＳ−Ｉｎｆｏ−ｒ１１’）
【０１９５】
ＵＥが導出したＣＳＩフィードバック値が［−８，１５］ｄＢ範囲内の値を有する時、Ｐ＿ＣはＣＳＩ−ＲＳ  ＥＰＲＥに対するＰＤＳＣＨ  ＥＰＲＥの割合で仮定される。ここで、ＰＤＳＣＨ  ＥＰＲＥはＣＲＳ  ＥＰＲＥに対するＰＤＳＣＨ  ＥＰＲＥの割合がρ＿Ａであるシンボルに該当する。
【０１９６】
サービングセルの同一なサブフレームでＣＳＩ−ＲＳとＰＭＣＨが共に設定されない。
【０１９７】
フレーム構造タイプ２で４個のＣＲＳアンテナポートが設定された場合、ＵＥは一般ＣＰの場合は［２０−３１］セット（表３参照）、または拡張ＣＰの場合は［１６−２７］セット（表４参照）に属するＣＳＩ−ＲＳ構成インデックスが設定されない。
【０１９８】
ＵＥはＣＳＩ−ＲＳ資源構成のＣＳＩ−ＲＳアンテナポートが遅延拡散（ｄｅｌａｙ  ｓｐｒｅａｄ）、ドップラー拡散（Ｄｏｐｐｌｅｒ  ｓｐｒｅａｄ）、ドップラーシフト（Ｄｏｐｐｌｅｒ  ｓｈｉｆｔ）、平均利得（ａｖｅｒａｇｅ  ｇａｉｎ）、及び平均遅延（ａｖｅｒａｇｅ  ｄｅｌａｙ）に対してＱＣＬ関係を有すると仮定することができる。
【０１９９】
送信モード１０、そしてＱＣＬタイプＢが設定されたＵＥは、ＣＳＩ−ＲＳ資源構成に該当するアンテナポート０−３とＣＳＩ−ＲＳ資源構成に該当するアンテナポート１５−２２がドップラー拡散（Ｄｏｐｐｌｅｒ  ｓｐｒｅａｄ）、ドップラーシフト（Ｄｏｐｐｌｅｒ  ｓｈｉｆｔ）に対してＱＣＬ関係と仮定することができる。
【０２００】
送信モード１−９が設定されたＵＥの場合、サービングセルに対してＵＥは１つのＺＰ  ＣＳＩ−ＲＳ資源構成が設定できる。送信モード１０が設定されたＵＥの場合、サービングセルに対してＵＥは１つまたはそれ以上のＺＰ  ＣＳＩ−ＲＳ資源構成が設定できる。
【０２０１】
上位階層シグナリングを通じてＺＰ  ＣＳＩ−ＲＳ資源構成のための以下のようなパラメータが設定できる。
【０２０２】
−  ＺＰ  ＣＳＩ−ＲＳ構成リスト（ｚｅｒｏＴｘＰｏｗｅｒＲｅｓｏｕｒｃｅＣｏｎｆｉｇＬｉｓｔ）（表３及び表４参照）：ゼロ−パワーＣＳＩ−ＲＳ構成に関するパラメータ
【０２０３】
−  ＺＰ  ＣＳＩ−ＲＳサブフレーム構成（ｅｒｏＴｘＰｏｗｅｒＳｕｂｆｒａｍｅＣｏｎｆｉｇ、すなわちＩ＿ＣＳＩ−ＲＳ）（表５参照）：ゼロ−パワーＣＳＩ−ＲＳが送信されるサブフレーム周期及び／又はオフセットに関するパラメータ
【０２０４】
サービングセルの同一なサブフレームでＺＰ  ＣＳＩ−ＲＳとＰＭＣＨが同時に設定されない。
【０２０５】
送信モード１０が設定されたＵＥの場合、サービングセルに対して１つまたはそれ以上のＣＳＩ−ＩＭ（Ｃｈａｎｎｅｌ−Ｓｔａｔｅ  Ｉｎｆｏｒｍａｔｉｏｎ−ｉｎｔｅｒｆｅｒｅｎｃｅ  Ｍｅａｓｕｒｅｍｅｎｔ）資源構成が設定できる。
【０２０６】
上位階層シグナリングを通じて各ＣＳＩ−ＩＭ資源構成のための以下のようなパラメータが設定できる。
【０２０７】
−  ＺＰ  ＣＳＩ−ＲＳ構成（表３及び表４参照）
【０２０８】
−  ＺＰ  ＣＳＩ  ＲＳサブフレーム構成（Ｉ＿ＣＳＩ−ＲＳ）（表５参照）
【０２０９】
ＣＳＩ−ＩＭ資源構成は設定されたＺＰ  ＣＳＩ−ＲＳ資源構成のうちのいずれか１つと同一である。
【０２１０】
サービングセルの同一なサブフレーム内のＣＳＩ−ＩＭ資源とＰＭＣＨが同時に設定されない。
【０２１１】
サウンディング参照信号（ＳＲＳ：Ｓｏｕｎｄｉｎｇ  Ｒｅｆｅｒｅｎｃｅ  Ｓｉｇｎａｌ）
【０２１２】
ＳＲＳは、主に上向きリンクの周波数−選択的スケジューリングを行うためにチャネル品質測定に使用され、上向きリンクデータ及び／又は制御情報の送信と関連しない。しかし、これに限定されず、ＳＲＳは、電力制御の向上または最近にスケジュールされていない端末等の様々なスタート−アップ（ｓｔａｒｔ−ｕｐ）機能を支援するための様々な他の目的のために使用されることができる。スタート−アップ機能の一例に、初期の変調及び符号化方式（ＭＣＳ：Ｍｏｄｕｌａｔｉｏｎ  ａｎｄ  Ｃｏｄｉｎｇ  Ｓｃｈｅｍｅ）、データ送信のための初期の電力制御、タイミング前進（ｔｉｍｉｎｇ  ａｄｖａｎｃｅ）及び周波数半−選択的（ｓｅｍｉ−ｓｅｌｅｃｔｉｖｅ）スケジューリングが含まれ得る。このとき、周波数半−選択的スケジューリングは、サブフレームの１番目のスロットに選択的に周波数資源を割り当て、２番目のスロットでは、他の周波数で擬似ランダム（ｐｓｅｕｄｏ−ｒａｎｄｏｍｌｙ）に跳躍して周波数資源を割り当てるスケジューリングをいう。
【０２１３】
また、ＳＲＳは、上向きリンクと下向きリンクとの間の無線チャネルが相互的（ｒｅｃｉｐｒｏｃａｌ）な仮定下に、下向きリンクチャネル品質を測定するために使用されることができる。このような仮定は、上向きリンクと下向きリンクとが同じ周波数スペクトルを共有し、時間領域では、分離された時分割デュプレックス（ＴＤＤ：Ｔｉｍｅ  Ｄｉｖｉｓｉｏｎ  Ｄｕｐｌｅｘ）システムで特に有効である。
【０２１４】
セル内でいずれかの端末によって送信されるＳＲＳのサブフレームは、セル−特定放送信号によって表すことができる。４ビットセル−特定「ｓｒｓＳｕｂｆｒａｍｅＣｏｎｆｉｇｕｒａｔｉｏｎ」パラメータは、ＳＲＳが各無線フレームを介して送信され得る１５つの可能なサブフレームの配列を表す。このような配列によって、運用シナリオ（ｄｅｐｌｏｙｍｅｎｔ  ｓｃｅｎａｒｉｏ）にしたがってＳＲＳオーバーヘッド（ｏｖｅｒｈｅａｄ）の調整に対する流動性を提供するようになる。
【０２１５】
このうち、１６番目の配列は、セル内で完全にＳＲＳのスイッチをオフ（ＯＦＦ）し、これは、主に高速端末をサービングするサービングセルに適合する。
【０２１６】
図９は、本発明が適用され得る無線通信システムにおけるサウンディング参照信号シンボルを含む上向きリンクサブフレームを例示する。
【０２１７】
図９に示すように、ＳＲＳは、配列されたサブフレーム上で常に最後のＳＣ−ＦＤＭＡシンボルを介して送信される。したがって、ＳＲＳとＤＭＲＳは、他のＳＣ−ＦＤＭＡシンボルに位置するようになる。
【０２１８】
ＰＵＳＣＨデータ送信は、ＳＲＳ送信のための特定のＳＣ−ＦＤＭＡシンボルでは許容されず、結果的に、サウンディング（ｓｏｕｎｄｉｎｇ）オーバーヘッドが最も高い場合、すなわち、全てのサブフレームにＳＲＳシンボルが含まれる場合でも、サウンディングオーバーヘッドは約７％を超過しない。
【０２１９】
各ＳＲＳシンボルは、与えられた時間単位と周波数帯域に関する基本シーケンス（ランダムシーケンスまたはＺａｄｏｆｆ−Ｃｈ（ＺＣ）に基づいたシーケンスセット）によって生成され、同一セル内の全ての端末は、同じ基本シーケンスを使用する。このとき、同じ周波数帯域と同一の時間で同一セル内の複数の端末からのＳＲＳ送信は、基本シーケンスの互いに異なる循環移動（ｃｙｃｌｉｃ  ｓｈｉｆｔ）により直交（ｏｒｔｈｏｇｏｎａｌ）されて互いに区別される。
【０２２０】
それぞれのセル毎に互いに異なる基本シーケンスが割り当てられることによって互いに異なるセルからのＳＲＳシーケンスが区別され得るが、互いに異なる基本シーケンス間に直交性は保障されない。
【０２２１】
さらに多い通信機器が、さらに大きい通信容量を要求することにより、既存の無線アクセス技術（ＲＡＴ：Ｒａｄｉｏ  Ａｃｃｅｓｓ  Ｔｅｃｈｎｏｌｏｇｙ）に比べて向上した移動広帯域（ｍｏｂｉｌｅ  ｂｒｏａｄｂａｎｄ）通信に対する必要性が台頭されている。また、複数の機器及び事物を連結して、いつ、どこでも様々なサービスを提供するマッシブ（ｍａｓｓｉｖｅ）ＭＴＣ（Ｍａｃｈｉｎｅ  Ｔｙｐｅ  Ｃｏｍｍｕｎｉｃａｔｉｏｎｓ）も次世代通信で考慮される主要イッシューのうちの１つである。さらに、信頼性（ｒｅｌｉａｂｉｌｉｔｙ）及びレイテンシ（ｌａｔｅｎｃｙ）に敏感なサービス／ＵＥを考慮した通信システムデザインが議論されている。
【０２２２】
このように進歩した移動広帯域通信（ｅｎｈａｎｃｅｄ  ｍｏｂｉｌｅ  ｂｒｏａｄｂａｎｄ  ｃｏｍｍｕｎｉｃａｔｉｏｎ）、ｍａｓｓｉｖｅ  ＭＴＣ、ＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎ）などを考慮した次世代ＲＡＴの導入が議論されており、本発明では、都合上、当該技術を新しいＲＡＴ（ｎｅｗ  ＲＡＴ）と称する。
【０２２３】
自己完結（Ｓｅｌｆ−ｃｏｎｔａｉｎｅｄ）サブフレーム構造
【０２２４】
図１０は、本発明が適用され得る無線通信システムで自己完結（Ｓｅｌｆ−ｃｏｎｔａｉｎｅｄ）サブフレーム構造を例示する図である。
【０２２５】
ＴＤＤシステムでデータ送信レイテンシ（ｌａｔｅｎｃｙ）を最小化するために、第五世代（５Ｇ：５  ｇｅｎｅｒａｔｉｏｎ）  ｎｅｗ  ＲＡＴでは、図１０のような自己完結（ｓｅｌｆ−ｃｏｎｔａｉｎｅｄ）サブフレーム構造を考慮している。
【０２２６】
図１０においてハッチングされた領域（シンボルインデックス０）は、下向きリンク（ＤＬ）制御領域を示し、黒色部分（シンボルインデックス１３）は、上向きリンク（ＵＬ）制御領域を示す。陰影表示がない領域は、ＤＬデータ送信のために使用されることができ、または、ＵＬデータ送信のために使用されることもできる。このような構造の特徴は、１個のサブフレーム内でＤＬ送信とＵＬ送信とが順次進行されて、サブフレーム内でＤＬデータが送信され、ＵＬ  ＡＣＫ／ＮＡＣＫも受信されることができる。結果的に、データ送信エラー発生時にデータ再送信までかかる時間を減らすようになり、これによって最終データ伝達のｌａｔｅｎｃｙを最小化できる。
【０２２７】
このようなｓｅｌｆ−ｃｏｎｔａｉｎｅｄサブフレーム構造において基地局とＵＥが送信モードから受信モードへの切り換え過程または受信モードから送信モードへの切り換え過程のための時間ギャップ（ｔｉｍｅ  ｇａｐ）が必要である。このために、ｓｅｌｆ−ｃｏｎｔａｉｎｅｄサブフレーム構造でＤＬからＵＬに切り換えられる時点の一部ＯＦＤＭシンボルがガード区間（ＧＰ：ｇｕａｒｄ  ｐｅｒｉｏｄ）に設定されるようになる。
【０２２８】
アナログビームフォーミング（Ａｎａｌｏｇ  ｂｅａｍｆｏｒｍｉｎｇ）
【０２２９】
ミリメートル波（Ｍｉｌｌｉｍｅｔｅｒ  Ｗａｖｅ、ｍｍＷ）では、波長が短くなり、同一面積に複数個のアンテナ要素（ａｎｔｅｎｎａ  ｅｌｅｍｅｎｔ）の設置が可能である。すなわち、３０ＧＨｚ帯域で波長は１ｃｍであって、４×４（４ｂｙ４）ｃｍのパネル（ｐａｎｅｌ）に０．５ラムダ（ｌａｍｂｄａ）（すなわち、波長）間隔で２−次元配列形態で合計６４（８×８）のａｎｔｅｎｎａ  ｅｌｅｍｅｎｔ設置が可能である。したがって、ｍｍＷでは、複数個のａｎｔｅｎｎａ  ｅｌｅｍｅｎｔを使用してビームフォーミング（ＢＦ：ｂｅａｍｆｏｒｍｉｎｇ）利得を高めてカバレッジを増加させたり、収率（ｔｈｒｏｕｇｈｐｕｔ）を高めようとする。
【０２３０】
この場合、ａｎｔｅｎｎａ  ｅｌｅｍｅｎｔ別に送信パワー及び位相調節が可能なようにトランシーバユニット（ＴＸＲＵ：Ｔｒａｎｓｃｅｉｖｅｒ  Ｕｎｉｔ）を有すると、周波数資源別に独立したビームフォーミングが可能である。しかし、１００余個のａｎｔｅｎｎａ  ｅｌｅｍｅｎｔの全てにＴＸＲＵを設置するには、価格の側面で実効性が落ちるという問題を有するようになる。したがって、１つのＴＸＲＵに複数個のａｎｔｅｎｎａ  ｅｌｅｍｅｎｔをマッピングし、アナログ位相シフタ（ａｎａｌｏｇ  ｐｈａｓｅ  ｓｈｉｆｔｅｒ）でビーム（ｂｅａｍ）の方向を調節する方式が考慮されている。このようなａｎａｌｏｇ  ＢＦ方式は、全帯域において１つのｂｅａｍ方向だけを作ることができ、周波数選択的ＢＦができないという短所がある。
【０２３１】
デジタル（Ｄｉｇｉｔａｌ）ＢＦとａｎａｌｏｇ  ＢＦの中間形態として、Ｑ個のａｎｔｅｎｎａ  ｅｌｅｍｅｎｔより少ない個数であるＢ個のＴＸＲＵを有するハイブリッドビームフォーミング（ｈｙｂｒｉｄ  ＢＦ）を考慮できる。この場合、Ｂ個のＴＸＲＵとＱ個のａｎｔｅｎｎａ  ｅｌｅｍｅｎｔの連結方式によって差はあるが、同時に送信できるｂｅａｍの方向は、Ｂ個以下に制限されるようになる。
【０２３２】
以下、図面を参照してＴＸＲＵとａｎｔｅｎｎａ  ｅｌｅｍｅｎｔとの連結方式の代表的な一例を説明する。
【０２３３】
図１１は、本発明が適用され得る無線通信システムにおけるトランシーバユニットモデルを例示する。
【０２３４】
ＴＸＲＵ仮想化（ｖｉｒｔｕａｌｉｚａｔｉｏｎ）モデルは、ＴＸＲＵの出力信号とａｎｔｅｎｎａ  ｅｌｅｍｅｎｔｓの出力信号との関係を表す。ａｎｔｅｎｎａ  ｅｌｅｍｅｎｔとＴＸＲＵとの相関関係によって図１１（ａ）のように、ＴＸＲＵ仮想化（ｖｉｒｔｕａｌｉｚａｔｉｏｎ）モデルオプション−１：サブ−配列分割モデル（ｓｕｂ−ａｒｒａｙ  ｐａｒｔｉｔｉｏｎ  ｍｏｄｅｌ）と、図１１（ｂ）のように、ＴＸＲＵ仮想化モデルオプション−２：全域連結（ｆｕｌｌ−ｃｏｎｎｅｃｔｉｏｎ）モデルとに区分されることができる。
【０２３５】
図１１（ａ）に示すように、サブ−配列分割モデル（ｓｕｂ−ａｒｒａｙ  ｐａｒｔｉｔｉｏｎ  ｍｏｄｅｌ）の場合、ａｎｔｅｎｎａ  ｅｌｅｍｅｎｔは、多重のアンテナ要素グループに分割され、各ＴＸＲＵは、グループのうち、１つと連結される。この場合、ａｎｔｅｎｎａ  ｅｌｅｍｅｎｔは、１つのＴＸＲＵにのみ連結される。
【０２３６】
図１１（ｂ）に示すように、全域連結（ｆｕｌｌ−ｃｏｎｎｅｃｔｉｏｎ）モデルの場合、多重のＴＸＲＵの信号が結合されて、単一のアンテナ要素（または、アンテナ要素の配列）に伝達される。すなわち、ＴＸＲＵが全てのアンテナｅｌｅｍｅｎｔに連結された方式を表す。この場合、アンテナｅｌｅｍｅｎｔは、全てのＴＸＲＵに連結される。
【０２３７】
図１１においてｑは、１つの列（ｃｏｌｕｍｎ）内のＭ個の同じ偏波（ｃｏ−ｐｏｌａｒｉｚｅｄ）を有するアンテナ要素等の送信信号ベクトルである。ｗは、広帯域ＴＸＲＵ仮想化加重値ベクトル（ｗｉｄｅｂａｎｄ  ＴＸＲＵ  ｖｉｒｔｕａｌｉｚａｔｉｏｎ  ｗｅｉｇｈｔ  ｖｅｃｔｏｒ）であり、Ｗは、アナログ位相シフタ（ａｎａｌｏｇ  ｐｈａｓｅ  ｓｈｉｆｔｅｒ）によりかけられる位相ベクトルを表す。すなわち、Ｗによりａｎａｌｏｇ  ｂｅａｍｆｏｒｍｉｎｇの方向が決定される。ｘは、Ｍ＿ＴＸＲＵ個のＴＸＲＵの信号ベクトルである。
【０２３８】
ここで、アンテナポートとＴＸＲＵとのマッピングは、一対一（１−ｔｏ−１）または一対多（１−ｔｏ−ｍａｎｙ）でありうる。
【０２３９】
図１１においてＴＸＲＵとアンテナ要素との間のマッピング（ＴＸＲＵ−ｔｏ−ｅｌｅｍｅｎｔ  ｍａｐｐｉｎｇ）は、１つの例示を表すだけであり、本発明がこれに限定されるものではなく、ハードウェア観点でこの他に、様々な形態で実現されることができるＴＸＲＵとアンテナ要素との間のマッピングにも本発明が同様に適用され得る。
【０２４０】
チャネル状態情報（ＣＳＩ：Ｃｈａｎｎｅｌ  Ｓｔａｔｅ  Ｉｎｆｏｒｍａｔｉｏｎ）フィードバック
【０２４１】
３ＧＰＰ  ＬＴＥ／ＬＴＥ−Ａシステムでは、ユーザ機器（ＵＥ）がチャネル状態情報（ＣＳＩ）を基地局（ＢＳまたはｅＮＢ）に報告するように定義された。
【０２４２】
ＣＳＩは、ＵＥとアンテナポートとの間に形成される無線チャネル（あるいは、リンクともいう）の品質を表すことができる情報を通称する。例えば、ランク指示子（ＲＩ：Ｒａｎｋ  Ｉｎｄｉｃａｔｏｒ）、プリコーディング行列指示子（ＰＭＩ：Ｐｒｅｃｏｄｉｎｇ  Ｍａｔｒｉｘ  Ｉｎｄｉｃａｔｏｒ）、チャネル品質指示子（ＣＱＩ：Ｃｈａｎｎｅｌ  Ｑｕａｌｉｔｙ  Ｉｎｄｉｃａｔｏｒ）などがこれに該当する。
【０２４３】
ここで、ＲＩは、チャネルのランク（ｒａｎｋ）情報を表し、これは、ＵＥが同一時間−周波数資源を介して受信するストリームの個数を意味する。この値は、チャネルの長い周期（ｌｏｎｇ  ｔｅｒｍ）フェーディング（ｆａｄｉｎｇ）により従属されて決定されるので、ＰＭＩ、ＣＱＩより一般的により長い周期にてＵＥからＢＳにフィードバックされる。ＰＭＩは、チャネル空間特性を反映した値であり、信号対干渉雑音比（ＳＩＮＲ：Ｓｉｇｎａｌ−ｔｏ−Ｉｎｔｅｒｆｅｒｅｎｃｅ−ｐｌｕｓ−Ｎｏｉｓｅ  Ｒａｔｉｏ）などのメトリック（ｍｅｔｒｉｃ）を基準にＵＥが選好するプリコーディングインデックスを表す。ＣＱＩは、チャネルの強さを表す値であり、一般的に、ＢＳがＰＭＩを用いたときに得られる受信ＳＩＮＲを意味する。
【０２４４】
３ＧＰＰ  ＬＴＥ／ＬＴＥ−Ａシステムにおいて基地局は、複数個のＣＳＩプロセス（ｐｒｏｃｅｓｓ）をＵＥに設定し、各プロセスに対するＣＳＩを報告されることができる。ここで、ＣＳＩプロセスは、基地局からの信号品質測定のためのＣＳＩ−ＲＳと干渉測定のためのＣＳＩ−干渉測定（ＣＳＩ−ＩＭ：ＣＳＩ−Ｉｎｔｅｒｆｅｒｅｎｃｅ  Ｍｅａｓｕｒｅｍｅｎｔ）資源で構成される。
【０２４５】
参照信号（ＲＳ：Ｒｅｆｅｒｅｎｃｅ  Ｓｉｇｎａｌ）仮想化（ｖｉｒｔｕａｌｉｚａｔｉｏｎ）
【０２４６】
ｍｍＷでａｎａｌｏｇ  ｂｅａｍｆｏｒｍｉｎｇによって１つの時点に１つのａｎａｌｏｇ  ｂｅａｍ方向のみにＰＤＳＣＨ送信されることができる。この場合、当該方向にある一部少数のＵＥにのみ基地局からデータ送信が可能なようになる。したがって、必要に応じてアンテナポート別にａｎａｌｏｇ  ｂｅａｍ方向を異なるように設定することにより、いくつかのａｎａｌｏｇ  ｂｅａｍ方向にある複数のＵＥに同時にデータ送信が行われ得る。
【０２４７】
図１２は、本発明が適用され得る無線通信システムにおいて、トランシーバユニット別サービス領域を例示する図である。
【０２４８】
図１２では、２５６  ａｎｔｅｎｎａ  ｅｌｅｍｅｎｔを４等分して４個のｓｕｂ−ａｒｒａｙを形成し、先の図１１のように、ｓｕｂ−ａｒｒａｙにＴＸＲＵを連結した構造を例に挙げて説明する。
【０２４９】
各ｓｕｂ−ａｒｒａｙが２−次元（ｄｉｍｅｎｓｉｏｎ）配列形態で合計６４（８×８）のａｎｔｅｎｎａ  ｅｌｅｍｅｎｔが構成されれば、特定ａｎａｌｏｇ  ｂｅａｍｆｏｒｍｉｎｇにより１５度の水平角領域と１５度の垂直角領域に該当する地域をカバーできる。すなわち、基地局がサービスすべき地域を複数個の領域に分けて、１回に１つずつサービスするようになる。
【０２５０】
以下の説明においてＣＳＩ−ＲＳアンテナポート（ａｎｔｅｎｎａ  ｐｏｒｔ）とＴＸＲＵは、一対一（１−ｔｏ−１）マッピングされたと仮定する。したがって、ａｎｔｅｎｎａ  ｐｏｒｔとＴＸＲＵとは、以下の説明において同じ意味を有する。
【０２５１】
図１２（ａ）のように、全てのＴＸＲＵ（アンテナポート、ｓｕｂ−ａｒｒａｙ）（すなわち、ＴＸＲＵ０、１、２、３）が同一ａｎａｌｏｇ  ｂｅａｍｆｏｒｍｉｎｇ方向（すなわち、領域１（ｒｅｇｉｏｎ１））を有すれば、より高い分解能（ｒｅｓｏｌｕｔｉｏｎ）を有するｄｉｇｉｔａｌ  ｂｅａｍを形成して、当該地域の収率（ｔｈｒｏｕｇｈｐｕｔ）を増加させることができる。また、当該地域に送信データのランク（ｒａｎｋ）を増加させて当該地域のｔｈｒｏｕｇｈｐｕｔを増加させることができる。
【０２５２】
図１２（ｂ）及び図１２（ｃ）のように、各ＴＸＲＵ（アンテナポート、ｓｕｂ−ａｒｒａｙ）（すなわち、ポート（ｐｏｒｔ）０、１、２、３）が異なるａｎａｌｏｇ  ｂｅａｍｆｏｒｍｉｎｇ方向（すなわち、ｒｅｇｉｏｎ１またはｒｅｇｉｏｎ２）を有すれば、より広い領域に分布されたＵＥに当該サブフレーム（ＳＦ：ｓｕｂｆｒａｍｅ）で同時にデータ送信が可能となる。
【０２５３】
図１２（ｂ）及び図１２（ｃ）の例示のように、４個のアンテナポートのうち、２個は、領域１にあるＵＥ１にＰＤＳＣＨ送信のために使用され、残りの２個は、領域２にあるＵＥ２にＰＤＳＣＨ送信のために使用されることができる。
【０２５４】
特に、図１２（ｂ）では、ＵＥ１に送信されるＰＤＳＣＨ１とＵＥ２に送信されるＰＤＳＣＨ２とが空間分割多重化（ＳＤＭ：Ｓｐａｔｉａｌ  Ｄｉｖｉｓｉｏｎ  Ｍｕｌｔｉｐｌｅｘｉｎｇ）された例示を示す。これと異なり、図１２（ｃ）のように、ＵＥ１に送信されるＰＤＳＣＨ１とＵＥ２に送信されるＰＤＳＣＨ２とが周波数分割多重化（ＦＤＭ：Ｆｒｅｑｕｅｎｃｙ  Ｄｉｖｉｓｉｏｎ  Ｍｕｌｔｉｐｌｅｘｉｎｇ）されて送信されることもできる。
【０２５５】
全てのアンテナポートを使用して１つの領域をサービスする方式とアンテナポートを分けていくつかの領域を同時にサービスする方式のうち、セル収率（ｃｅｌｌ  ｔｈｒｏｕｇｈｐｕｔ）を最大化するために、ＵＥにサービスするランク（ｒａｎｋ）、そして変調及びコーディング技法（ＭＣＳ：Ｍｏｄｕｌａｔｉｏｎ  ａｎｄ  Ｃｏｄｉｎｇ  Ｓｃｈｅｍｅ）によって選好される方式が変わり得る。また、各ＵＥに送信するデータの量によって選好される方式が変わり得る。
【０２５６】
基地局は、全てのアンテナポートを使用して１つの領域をサービスするときに得られるｃｅｌｌ  ｔｈｒｏｕｇｈｐｕｔまたはスケジューリングメトリック（ｓｃｈｅｄｕｌｉｎｇ  ｍｅｔｒｉｃ）を計算し、アンテナポートを分けて２つの領域をサービスするときに得られるｃｅｌｌ  ｔｈｒｏｕｇｈｐｕｔまたはｓｃｈｅｄｕｌｉｎｇ  ｍｅｔｒｉｃを計算する。基地局は、各方式を介して得られるｃｅｌｌ  ｔｈｒｏｕｇｈｐｕｔまたはｓｃｈｅｄｕｌｉｎｇ  ｍｅｔｒｉｃを比較して最終送信方式を選択できる。結果的に、サブフレーム単位（ＳＦ−ｂｙ−ＳＦ）でＰＤＳＣＨ送信に参加するアンテナポートの個数が変動され得る。基地局がアンテナポートの個数によるＰＤＳＣＨの送信ＭＣＳを計算し、スケジューリングアルゴリズムに反映するために、これに適合したＵＥからのＣＳＩフィードバックが要求される。
【０２５７】
ビーム参照信号（ＢＲＳ：Ｂｅａｍ  Ｒｅｆｅｒｅｎｃｅ  Ｓｉｇｎａｌ）
【０２５８】
ビーム参照信号（ＢＲＳ）は、１つまたはそれ以上のアンテナポート（ｐ＝｛０、１、．．．、７｝上で送信されることができる。
【０２５９】
参照信号シーケンス「ｒ＿ｌ（ｍ）」は、下記の数式１４のように定義されることができる。
【０２６０】
【数１４】
0006826204.tif 000022
【０２６１】
ここで、ｌ＝０、１、．．．、１３は、ＯＦＤＭシンボル番号である。Ｎ＿ＲＢ＾ｍａｘ、ＤＬは、最も大きい下向きリンクバンド設定を表し、Ｎ＿ｓｃ＾ＲＢの倍数で表現される。Ｎ＿ｓｃ＾ＲＢは、周波数ドメインで資源ブロックのサイズを表し、サブキャリアの数で表現される。
【０２６２】
数式１４においてｃ（ｉ）は、擬似−乱数（ｐｓｅｕｄｏ−ｒａｎｄｏｍ）シーケンスとして予め定義されることができる。擬似−乱数シーケンス発生器は、下記の数式１５を用いてＯＦＤＭシンボル毎の開始の際に初期化されることができる。
【０２６３】
【数１５】
0006826204.tif 000023
【０２６４】
ここで、Ｎ＿ＩＤ＾ｃｅｌｌは、物理階層セル識別子を表す。ｎ＿ｓ＝ｆｌｏｏｒ（ｌ／７）であり、ｆｌｏｏｒ（ｘ）は、ｘ以下の最大整数を導出する床関数（ｆｌｏｏｒ  ｆｕｎｃｔｉｏｎ）を表す。ｌ’＝ｌｍｏｄ７であり、ｍｏｄは、モジュロ（ｍｏｄｕｌｏ）演算を表す。
【０２６５】
ビーム補正参照信号（ＢＲＲＳ：Ｂｅａｍ  Ｒｅｆｉｎｅｍｅｎｔ  Ｒｅｆｅｒｅｎｃｅ  Ｓｉｇｎａｌ）
【０２６６】
ビーム補正参照信号（ＢＲＲＳ）は、最大８個のアンテナポート（ｐ＝６００、．．．、６０７）上で送信されることができる。ＢＲＲＳの送信及び受信は、ｘＰＤＣＣＨ上の下向きリンク資源割当内でスケジューリングされることができる。
【０２６７】
参照信号シーケンス「ｒ＿ｌ、ｎｓ（ｍ）」は、下記の数式１６のように定義されることができる。
【０２６８】
【数１６】
0006826204.tif 000024
【０２６９】
ここで、ｎ＿ｓは、無線フレーム内のスロット番号である。ｌは、スロット内のＯＦＤＭシンボル番号である。ｃ（ｉ）は、擬似−乱数（ｐｓｅｕｄｏ−ｒａｎｄｏｍ）シーケンスとして予め定義されることができる。擬似−乱数シーケンス発生器は、下記の数式１７を用いてＯＦＤＭシンボル毎の開始の際に初期化されることができる。
【０２７０】
【数１７】
0006826204.tif 000025
【０２７１】
ここで、Ｎ＿ＩＤ＾ＢＲＲＳは、ＲＲＣシグナリングを介してＵＥに設定される。
【０２７２】
下向きリンク位相雑音補償参照信号（ＤＬ  Ｐｈａｓｅ  Ｎｏｉｓｅ  Ｃｏｍｐｅｎｓａｔｉｏｎ  Ｒｅｆｅｒｅｎｃｅ  Ｓｉｇｎａｌ）
【０２７３】
ｘＰＤＳＣＨと連関した位相雑音補償参照信号は、ＤＣＩ内でシグナリングによってアンテナポート（等）ｐ＝６０及び／又はｐ＝６１上で送信されることができる。また、ｘＰＤＳＣＨと連関した位相雑音補償参照信号は、ｘＰＤＳＣＨ送信が当該アンテナポートと連関するときにのみ位相雑音補償のための有効な参照として存在し得る。また、ｘＰＤＳＣＨと連関した位相雑音補償参照信号は、当該ｘＰＤＳＣＨがマッピングされた物理資源ブロック及びシンボル上でのみ送信されることができる。また、ｘＰＤＳＣＨと連関した位相雑音補償参照信号は、ｘＰＤＳＣＨ割当によって全てのシンボルで同一でありうる。
【０２７４】
いずれかのアンテナポートｐ∈｛６０、６１｝において、参照信号シーケンス「ｒ（ｍ）」は、下記の数式１８のように定義される。
【０２７５】
【数１８】
0006826204.tif 000026
【０２７６】
ここで、ｃ（ｉ）は、擬似−乱数（ｐｓｅｕｄｏ−ｒａｎｄｏｍ）シーケンスとして予め定義されることができる。擬似−乱数シーケンス発生器は、下記の数式１９を用いてサブフレーム毎の開始の際に初期化されることができる。
【０２７７】
【数１９】
0006826204.tif 000027
【０２７８】
ここで、ｎ＿ＳＣＩＤは、異なるように特定されない限り、０である。ｘＰＤＳＣＨ送信において、ｎ＿ＳＣＩＤは、ｘＰＤＳＣＨ送信と連関したＤＣＩフォーマット内で与えられる。
【０２７９】
ｎ＿ＩＤ＾（ｉ）（ここで、ｉ＝０、１）は、次のように与えられる。ｎ＿ＩＤ＾ＰＣＲＳ、ｉの値が上位階層により提供されないと、ｎ＿ＩＤ＾（ｉ）は、Ｎ＿ＩＤ＾ｃｅｌｌと同じである。それとも、ｎ＿ＩＤ＾（ｉ）は、ｎ＿ＩＤ＾ＰＣＲＳ、ｉと同じである。
【０２８０】
新しいＲＡＴ（ＮＲ：Ｎｅｗ  ＲＡＴ）上向きリンク（ＵＬ：Ｕｐｌｉｎｋ）ＭＩＭＯ（Ｍｕｌｔｉ−Ｉｎｐｕｔ  Ｍｕｌｔｉ−Ｏｕｔｐｕｔ）のために、次のような技術が議論されている。
【０２８１】
i）データチャネルのための上向きリンク送信／受信技法
【０２８２】
・非−互恵性（Ｎｏｎ  ｒｅｃｉｐｒｏｃｉｔｙ）基盤ＵＬ  ＭＩＭＯ（例えば、ＰＭＩ基盤）
【０２８３】
・互恵性（ｒｅｃｉｐｒｏｃｉｔｙ）基盤ＵＬ  ＭＩＭＯ（例えば、ＵＥが下向きリンクＲＳ測定基盤でプレコーダ（ｐｒｅｃｏｄｅｒ）を導出する）（部分的な（ｐａｒｔｉａｌ）ｒｅｃｉｐｒｏｃｉｔｙ含む）
【０２８４】
・多重ユーザ（ＭＵ：Ｍｕｌｔｉ  Ｕｓｅｒ）−ＭＩＭＯ支援
【０２８５】
・開ループ（Ｏｐｅｎ−ｌｏｏｐ）／閉ループ（Ｃｌｏｓｅ−ｌｏｏｐ）単一／多重ポイント空間多重化（ＳＭ：Ｓｐａｔｉａｌ  Ｍｕｌｔｉｐｌｅｘｉｎｇ）
【０２８６】
例えば、多重ポイントＳＭの場合、多重レイヤ（ｍｕｌｔｉ  ｌａｙｅｒ）が互いに異なる送信受信ポイント（ＴＲＰ：Ｔｒａｎｓｍｉｔ  Ｒｅｃｅｐｔｉｏｎ  Ｐｏｉｎｔ）により一緒に（ｊｏｉｎｔｌｙ）または独立的に受信される。
【０２８７】
多重ポイントＳＭの場合、多重ポイントが連合（ｃｏｏｒｄｉｎａｔｉｏｎ）され得る。
【０２８８】
・単一／多重パネル（ｐａｎｅｌ）空間ダイバーシティ（ｓｐａｔｉａｌ  ｄｉｖｅｒｓｉｔｙ）
【０２８９】
・ＵＬアンテナ／パネルスイッチング（ＵＥ側面）
【０２９０】
・アナログ実現のためのＵＬビームフォーミング管理
【０２９１】
・前記技術等の組み合わせ
【０２９２】
ii）次のような機能を考慮したＵＬＲＳ設計
【０２９３】
・サウンディング（ｓｏｕｎｄｉｎｇ）
【０２９４】
・復調（Ｄｅｍｏｄｕｌａｔｉｏｎ）
【０２９５】
・位相ノイズ補償（Ｐｈａｓｅ  ｎｏｉｓｅ  ｃｏｎｐｅｎｓａｔｉｏｎ）
【０２９６】
iii）ＵＬ  ＭＩＭＯのコンテクスト内のＵＬ送信パワー／タイミングアドバンス（ｔｉｍｉｎｇ  ａｄｖａｎｃｅ）制御
【０２９７】
iv）ＵＬ制御情報を運ぶための送信技法（等）
【０２９８】
v）他のＵＬ  ＭＩＭＯ及び関連技術が制限されない。
【０２９９】
ＵＬ  ＭＩＭＯ送信のための次のような側面が支援されなければならない。
【０３００】
i）ｒｅｃｉｐｒｏｃｉｔｙ補正された（ｃａｌｉｂｒａｔｅｄ）ＵＥ、ｒｅｃｉｐｒｏｃｉｔｙ非−補正された（ｎｏｎ−ｃａｌｉｂｒａｔｅｄ）ＵＥ、及びｎｏｎ−ｒｅｃｉｐｒｏｃｉｔｙ／ｐａｒｔｉａｌ  ｒｅｃｉｐｒｏｃｉｔｙ場合に対する送信技法／方法
【０３０１】
・必要であれば、ＵＬ  ｒｅｃｉｐｒｏｃｉｔｙ基盤動作と連関したシグナリングが導入される。例えば、補正（ｃａｌｉｂｒａｔｉｏｎ）正確性を指示するＵＥ能力（ｃａｐａｂｉｌｉｔｙ）
【０３０２】
・ｎｏｎ−ｒｅｃｉｐｒｏｃｉｔｙとｒｅｃｉｐｒｏｃｉｔｙ  ｎｏｎ−ｃａｌｉｂｒａｔｅｄ  ＵＥを区別するか否かについて議論される予定である。
【０３０３】
・送信技法／方法の数は、追加に議論されることができる。
【０３０４】
ii）次の候補技法／方法のうち、少なくとも１つが支援される。
【０３０５】
・候補１：コードブック基盤送信
【０３０６】
大きいシステム帯域幅のために、デジタルドメイン（ｄｉｇｉｔａｌ  ｄｏｍａｉｎ）で周波数選択的（ｓｅｌｅｃｔｉｖｅ）及び周波数非−選択的（ｎｏｎ−ｓｅｌｅｃｔｉｖｅ）プリコーディングが考慮され得る。周波数選択的プリコーディングの支援は、ＮＲ波形（ｗａｖｅｆｏｒｍ）（等）の決定によって決定される。大きいシステム帯域幅の値を今後議論する。
【０３０７】
例えば、ＬＴＥと類似した（ａｎａｌｏｇｏｕｓ）基地局−中心（ＢＳ（Ｂａｓｅ  Ｓｔａｔｉｏｎ）−ｂａｓｅｄ）メカニズム
【０３０８】
例えば、ＵＥ−補助（ＵＥ−ａｉｄｅｄ）及びＢＳ−中心（ＢＳ−ｃｅｎｔｒｉｃ）メカニズム：ＵＥは、ＤＬ  ＲＳ測定に基づいて、予め定義されたコードブックから候補ＵＬプレコーダをＢＳに推薦する。そして、ＢＳは、コードブックから用いる最終のプレコーダを決定する。
【０３０９】
例えば、ＵＥ−中心（ＵＥ−ｃｅｎｔｒｉｃ）及びＢＳ−補助（ＢＳ−ａｉｄｅｄ）メカニズム：ＢＳは、ＣＳＩ（例えば、チャネル応答、間接−関連情報）をＵＥに提供する。そして、ＵＥは、ＢＳから受信した情報に基づいて最終のプレコーダを決定する。
【０３１０】
・候補２：非−コードブック（ｎｏｎ−ｃｏｄｅｂｏｏｋ）基盤送信
【０３１１】
大きいシステム帯域幅のために、デジタルドメイン（ｄｉｇｉｔａｌ  ｄｏｍａｉｎ）で周波数選択的（ｓｅｌｅｃｔｉｖｅ）及び周波数非−選択的（ｎｏｎ−ｓｅｌｅｃｔｉｖｅ）プリコーディングが考慮され得る。周波数選択的プリコーディングの支援は、ＮＲ波形（ｗａｖｅｆｏｒｍ）（等）の決定によって決定される。大きいシステム帯域幅の値を今後議論する。
【０３１２】
例えば、ｃａｌｉｂｒａｔｅｄ  ＵＥだけのためのｒｅｃｉｐｒｏｃｉｔｙ基盤（ＤＬ  ＲＳ基盤）送信
【０３１３】
例えば、ＵＥ−ａｉｄｅｄ及びＢＳ−ｃｅｎｔｒｉｃメカニズム：ＵＥは、ＤＬ  ＲＳ測定に基づいて候補ＵＬプレコーダをＢＳに推薦する。そして、ＢＳは、最終のプレコーダを決定する。
【０３１４】
例えば、ＵＥ−ｃｅｎｔｒｉｃ及びＢＳ−ａｉｄｅｄメカニズム：ＢＳは、ＣＳＩ（例えば、チャネル応答、干渉−関連情報）をＵＥに提供する。そして、ＵＥは、ＢＳから受信した情報に基づいて最終のプレコーダを決定する。
【０３１５】
・他の送信技法／方法が制限されない。
【０３１６】
i）周波数選択的／非−選択的プリコーディングのためのＵＬプレコーダシグナリングに対する議論
【０３１７】
・例題１：ＤＬ制御及び／又はデータチャネルを介しての単一または多重ＰＭＩのシグナリング
【０３１８】
多重のＰＭＩは、単一のＤＣＩまたは多重−レベルＤＣＩ（第１レベルＤＣＩは、第２レベルＤＣＩの位置指示を含む）を介してシグナリングされることができる。
【０３１９】
・例題２：ＴＤＤの場合、ＵＥでＤＬ  ＲＳ基盤のプレコーダ計算
【０３２０】
周波数選択的プリコーディングの実現は、ＲＡＮ１決定（例えば、ＮＲフレーム構造、波形（等））によって決定される。
【０３２１】
他のシステム設計側面への影響（例えば、ＤＬ制御チャネルデコード性能／複雑度）が考慮されなければならない。
【０３２２】
ii）プレコーダ循環（ｃｙｃｌｉｎｇ）を含むプリコーディングされた送信のために、ＵＬ周波数選択的プリコーディングの使用に対する議論
【０３２３】
iii）周波数選択的プリコーディングの場合、次のような側面を考慮したＵＬプリコーディング単位（ｇｒａｎｕｌａｒｉｔｙ）（すなわち、ＵＬサブバンドサイズ）に対する議論
【０３２４】
・暗黙的な（ｉｍｐｌｉｃｉｔ）（標準規格による定義）または明示的な（ｅｘｐｌｉｃｉｔ）（ｅＮＢ／ＵＥによる決定）シグナリング支援
【０３２５】
・ＤＬと整列（ａｌｉｇｎ）するか否か
【０３２６】
iv）評価は、ＵＬ  ｗａｖｅｆｏｒｍなどによるキュービックメトリック（ＣＭ：Ｃｕｂｉｃ  Ｍｅｔｒｉｃ）分析のようなＵＬ特定（ＵＥ  ｓｐｅｃｉｆｉｃ）の側面を含むべきである。
【０３２７】
v）周波数非−選択的プリコーディングに対する議論は、最優先順位（ｈｉｇｈｅｒ−ｐｒｉｏｒｉｔｙ）である。
【０３２８】
既存のＬＴＥ標準では、ＵＥのＵＬ−ＭＩＭＯ送信のための上向きリンクグラント（ＵＬ  ｇｒａｎｔ）（例えば、ＤＣＩフォーマット４）を基地局がＵＥに送信するとき、プリコーディング情報を共に伝達（例えば、ＤＣＩフォーマットに含む）する。これにより、ＵＥは、指示された（単一広帯域（ｓｉｎｇｌｅ  ｗｉｄｅｂａｎｄ））プレコーダ（ｐｒｅｃｏｄｅｒ）をスケジューリングされた物理資源ブロック（ＰＲＢ：Ｐｈｙｓｉｃａｌ  Ｒｅｓｏｕｒｃｅ  Ｂｌｏｃｋ）（等）に適用してＵＬ送信を行う。
【０３２９】
上述したように、ＵＬでも周波数選択的なプレコーダ（ｆｒｅｑｕｅｎｃｙ  ｓｅｌｅｃｔｉｖｅ  ｐｒｅｃｏｄｅｒ）を指示するための方法が議論されている。これによってサブバンド（ｓｕｂｂａｎｄ）別により最適化されたＵＬ  ｐｒｅｃｏｄｅｒを適用させることにより、送信収率性能を改善できる。
【０３３０】
しかし、ＤＬと異なり、ＵＬは、基地局がＵＬ  ｇｒａｎｔ時に、このようなｓｕｂｂａｎｄ  ｐｒｅｃｏｄｅｒを直接指示しなければならず、これは、ｓｕｂｂａｎｄ個数に比例して過度な制御チャネルオーバーヘッド（ｏｖｅｒｈｅａｄ）を引き起こす恐れがある。
【０３３１】
したがって、本発明では、上向きリンク関連した（ＵＬ−ｒｅｌａｔｅｄ）ＤＣＩ  ｏｖｅｒｈｅａｄを最小化させながら、前記ＵＬ  ｓｕｂｂａｎｄ  ｐｒｅｃｏｄｉｎｇを適用できるようにする方法を提案する。
【０３３２】
本発明では、基本的に、特定ＵＬ  ｐｒｅｃｏｄｅｒ「Ｐ」をＰ＝Ｕ１＊Ｕ２形態などに区分して説明する。ここで、Ｕ１は、相対的に広帯域（ｗｉｄｅｂａｎｄ）（及び／又は長期（ｌｏｎｇ−ｔｅｒｍ））ｐｒｅｃｏｄｅｒ属性であり、Ｕ２は、相対的にサブバンド（ｓｕｂｂａｎｄ）（及び／又は短期（ｓｈｏｒｔ−ｔｅｒｍ））ｐｒｅｃｏｄｅｒ属性に分離され得るように区分することができる。
【０３３３】
ただし、本発明がこれに限定されるものではなく、単一ＰＭＩ（例えば、ＴＰＭＩ）、ｐｒｅｃｏｄｅｒ基盤でも以下に説明する本発明の動作が行われ得る。
【０３３４】
Ｕ１情報は、ｓｕｂｂａｎｄにわたって共通（ｃｏｍｍｏｎ）されるように指示し、Ｕ２情報だけをｓｕｂｂａｎｄ別に指示する形態でＵＬスケジューリング時に（または、これと連関して）ＵＥに指示され得るようにする方法を提案する。
【０３３５】
例えば、正常なＰが６ビットであり、Ｕ１が４ビット、Ｕ２が２ビットである状況を仮定すれば、本発明において提案する階層化された構造を適用しなくては、各ｓｕｂｂａｎｄ別に６ビット割当下、全てのｓｕｂｂａｎｄに対するＵＬ  ｐｒｅｃｏｄｅｒを指示しなければならない。合計ｓｕｂｂａｎｄ数がＮであるとすれば、合計６Ｎビットが当該ＵＬ  ｐｒｅｃｏｄｅｒ指示に消費される。それに対し、本発明の提案方式によれば、６＋２Ｎ  ｂｉｔｓが消費されるので、ｓｕｂｂａｎｄ数Ｎが増加することで、ｃｏｎｔｒｏｌ  ｃｈａｎｎｅｌ  ｏｖｅｒｈｅａｄ低減に大きく寄与するようになる。
【０３３６】
本明細書において説明の都合上、特定周波数軸資源単位を「サブバンド（ｓｕｂｂａｎｄ）」と称するが、これに本発明が限定されるものではなく、特定周波数軸資源単位を通称する用語と理解されなければならない。例えば、ｓｕｂｂａｎｄという用語は、ＲＢ、ＰＲＢ、ＰＲＢグループ（例えば、ＰＲＧ（ＰＲＢ  Ｇｒｏｕｐ））などと本発明の全ての／一部の説明で互いに変更／混用されることができる。
【０３３７】
Ｕ１情報関連
【０３３８】
仮に、チャネル特性上、各ｓｕｂｂａｎｄ別に密接な−間隔のビーム（ｃｌｏｓｅｌｙ−ｓｐａｃｅｄ  ｂｅａｍ）の中で、適切に選択的に特定ビームが指示されることが有利な環境でなく、各ｓｕｂｂａｎｄ別に広い−間隔のビーム（ｗｉｄｅｌｙ−ｓｐａｃｅｄ  ｂｅａｍ）の中で選択されるようにすることが有利な環境など（例えば、開ループ（ｏｐｅｎ−ｌｏｏｐ）方式と類似し、端末速度が大きい場合など）のためには、Ｕ１コードブックがｗｉｄｅｌｙ−ｓｐａｃｅｄ  ｂｅａｍで構成されることもできる。
【０３３９】
前述した例示においてＵ１が４ビットであるということは、合計１６つの相違したＵ１情報が指示され得るということを意味する。それぞれのＵ１情報は、前記Ｕ２で選択する対象になる特定ビームベクトル（ｂｅａｍ  ｖｅｃｔｏｒ）を含むことができる。一例に、ＵＥのＵＬ送信アンテナポート数（例えば、このアンテナポート数の分だけ事前にＵＥがＳＲＳ形態等で送信することができる）の分だけの離散フーリエ変換（ＤＦＴ：Ｄｉｓｃｒｅｔｅ  Ｆｏｕｒｉｅｒ  Ｔｒａｎｓｆｏｒｍ）ベクトル等の集合でそれぞれのＵ１が構成され得る。
【０３４０】
このとき、それぞれのＵ１インデックスは、密接な−間隔のビームグループ（ｃｌｏｓｅｌｙ−ｓｐａｃｅｄ  ｂｅａｍ  ｇｒｏｕｐ）形態で設計されることができる。つまり、基地局が当該ＵＥをＵＬスケジューリングするとき、指示しようとする最終特定ビーム方向を含んで周辺候補ビームベクトルでＵ１を構成して指示することが有用である。すなわち、Ｕ１は、相対的に広帯域（及び／又は長期）ｐｒｅｃｏｄｅｒ属性であるから、各ｓｕｂｂａｎｄ別に最適化された最終ビームを選択／指示するための対象になるビームがＵ１に含まれるほど有利なので、このような効果が適宜表れることができるように、各Ｕ１情報が設計されることが好ましい。
【０３４１】
本発明では「密接な−間隔のビームグループ（ｃｌｏｓｅｌｙ−ｓｐａｃｄ  ｂｅａｍ  ｇｒｏｕｐ）」、「広い−間隔のビームグループ（ｗｉｄｅｌｙ−ｓｐａｃｅｄ  ｂｅａｍ  ｇｒｏｕｐ）」、及び／又は「特定形態（例えば、ｅＮＢにより設定される）で構成されたビームグループ」などの相違したコードブックが少なくとも１つ定義／設定され得る。そして、基地局が前記ＵＬスケジューリング時に（例えば、ＤＣＩにより）あるいはそれに先立ち、別のシグナリングでいずれかのＵ１及び／又はＵ２コードブックを端末が適用すべきであるかを設定／指示できる。つまり、このようなＵ１コードブック自体も１つで固定されることができるが、本発明のように、基地局の設定／指示により変更／活性／再活性することができるようにする機能を支援することで、より柔軟なコードブック運用を可能なようにするという長所がある。
【０３４２】
Ｕ２情報関連
【０３４３】
前述した例示においてＵ２が２ビットということは、合計４つの相違したＵ２情報が指示され得るということを意味する。前記先に指示されたＵ１インデックスに該当するビームグループが４個の特定ビームベクトルを含むことができ、それぞれのＵ２情報は、このビームのうち、最終的に各ｓｕｂｂａｎｄ別に適用するビームが何であるか、前記２ビット選択インデックス方式で各ｓｕｂｂａｎｄ別に指示することができる。
【０３４４】
また、前述した例示においてＵ１が４ビットであるとき、Ｕ２が２ビット超過であることもある。例えば、Ｕ２が４ビットであれば、合計４つの相違したＵ２情報が指示され得るように「ビーム選択（ｂｅａｍ  ｓｅｌｅｃｔｏｒ）」のために２ビットが割り当てられ、当該選択されたビームを位相−一致（ｃｏ−ｐｈａｓｉｎｇ）形態で連結する（一例に、ＱＰＳＫ（Ｑｕａｄｒａｔｕｒｅ  Ｐｈａｓｅ  Ｓｈｉｆｔ  Ｋｅｙｉｎｇ）「ｃｏ−ｐｈａｓｉｎｇ」）２ビットが割り当てられることにより、合計Ｕ２が４ビットに設定され得る。このようなｃｏ−ｐｈａｓｉｎｇは、端末の特定（２つの）送信アンテナポートグループ間に互いに交差−偏波（ｃｒｏｓｓ−ｐｏｌａｒｉｚｅｄ）アンテナ形態などで構成されて、同一ビームを前記ポートグループ間にグループ−位相（ｇｒｏｕｐ−ｐｈａｓｅ）を適用することにより、ｃｏ−ｐｈａｓｉｎｇ形態でｐｒｅｃｏｄｅｒを構成させる方式で適用されることができる。
【０３４５】
また、「ｃｏ−ｐｈａｓｉｎｇ」のために１ビットのみを割り当て、一例に、ＢＰＳＫ（Ｂｉｎａｒｙ  Ｐｈａｓｅ  Ｓｈｉｆｔ  Ｋｅｙｉｎｇ）ｃｏ−ｐｈａｓｉｎｇが適用され得るし、「ビーム選択（ｂｅａｍ  ｓｅｌｅｃｔｏｒ）」のビット長さ（ｂｉｔ  ｗｉｄｔｈ）も端末の送信アンテナポート構成及びＵ１／Ｕ２コードブック構造によって変形／変更され得ることは自明である。
【０３４６】
このような前記Ｕ２情報は、各ｓｕｂｂａｎｄ別にマッピング／指示され、これは、当該ＵＥにスケジューリングされるＵＬ資源割当（ＲＡ：Ｒｅｓｏｕｒｃｅ  Ａｌｌｏｃａｔｉｏｎ）フィールドと連動されて共に設定／指示されることができる。
【０３４７】
例えば、当該ＵＬ  ｇｒａｎｔメッセージの資源割当情報が特定ＰＲＢビットマップ形態で構成されるならば（例えば、ビットマップの各ビットが「１」であれば、当該ＰＲＢ（すなわち、当該ビット位置に対応するＰＲＢ）がスケジューリングされたＰＲＢに含まれ、「０」であれば、含まれない）、これを単に「１」または「０」のビットマップで構成せず、各ＰＲＢインデックス別にＫビット情報を入れることができるように拡張することができる。すなわち、ビットマップ内のＫビット別に１つのＰＲＢに対応し得る。このように、本発明の一実施形態では、各ＰＲＢ別に当該２＾Ｋ状態（ｓｔａｔｅ）を介して前記Ｕ２情報を伝達できるようにする構造を提案する。
【０３４８】
例えば、Ｋ＝２であれば、各ＰＲＢ別に特定基本状態（ｄｅｆａｕｌｔ  ｓｔａｔｅ）として、次のように定義／設定されることができる。
【０３４９】
・「００」は、「当該ＰＲＢがスケジューリングされたＰＲＢに含まれない」を指示する
【０３５０】
・「０１」は、「当該ＰＲＢがスケジューリングされたＰＲＢに含まれ、Ｕ１内の１番目のｐｒｅｃｏｄｅｒを適用する」を指示する
【０３５１】
・「１０」は、「当該ＰＲＢがスケジューリングされたＰＲＢに含まれ、Ｕ１内の２番目のｐｒｅｃｏｄｅｒを適用する」を指示する
【０３５２】
・「１１」は、「当該ＰＲＢがスケジューリングされたＰＲＢに含まれ、Ｕ１内の３番目のｐｒｅｃｏｄｅｒを適用する」を指示する
【０３５３】
上記のようなエンコード（ｅｎｃｏｄｉｎｇ）方式は、１つの例示に過ぎず、「０１」、「１０」、「１１」などのような状態（ｓｔａｔｅ）の説明（ｄｅｓｃｒｉｐｔｉｏｎ）は、他の形態で定義されることができ、または、ＲＲＣシグナリングのような上位階層信号により基地局が変更／設定することもできる。このように、各状態（ｓｔａｔｅ）に対する説明が基地局により設定可能なパラメータ（例えば、ＲＲＣシグナリングにより）形態として定義／支援されれば、基地局の設定柔軟性（ｆｌｅｘｉｂｉｌｉｔｙ）を向上できるという長所がある。
【０３５４】
上記のように、スケジューリング情報とＵ２情報が１つのビットマップ内でジョイントエンコードされることにより、スケジューリング情報を伝達するためのビットマップとＵ２情報を伝達するためのビットマップとを各々構成する場合に比べてシグナリングオーバーヘッドを減らすことができるという効果がある。
【０３５５】
また、ＲＡフィールドは、１ビット単位のビットマップに維持し、前記ｓｕｂｂａｎｄ別（ＰＲＢ／ＰＲＧ別）Ｕ２情報を伝達するＫビット単位のビットマップを別のフィールドで共に提供（または、別のＤＣＩで（独立的時点に）別に提供）する形態も適用されることができる。すなわち、ＲＡフィールドで指示しているスケジューリングされたＰＲＢ領域に特定ＰＲＢ（等）単位で対応する各ｓｕｂｂａｎｄ別にＫビット（Ｕ２）ｐｒｅｃｏｄｅｒ情報を指示する別のフィールドが定義／設定され得る。
【０３５６】
（リンク適応（ＬＡ：Ｌｉｎｋ  Ａｄａｐｔａｔｉｏｎ）用）特定上向きリンク参照信号（ＵＬＲＳ）（例えば、ＳＲＳ等）との連係動作関連
【０３５７】
・本発明において提案された動作等と（一部）連係して、前記ＵＬ  ｐｒｅｃｏｄｅｒを基地局で決定するために、端末により特定上向きリンクＲＳ（例えば、ＳＲＳ等）送信が設定／実施され得る。
【０３５８】
以下、説明の都合上、上向きリンクＲＳをＳＲＳと称して説明するが、本発明がこれに限定されるものではない。
【０３５９】
１）クラスＢ  ＵＬ−ＬＡ  ＵＥ（プリコーディングされた（Ｐｒｅｃｏｄｅｄ）ＳＲＳ送信を始めとしてＵＬ−ＬＡプロセス動作）：
【０３６０】
このようなＳＲＳと関連して、ＵＥは、特定ｐｒｅｃｏｄｅｄ  ＳＲＳ（または、ビームフォーミングされたＳＲＳ）を送信するように定義／設定されることができる。この場合、当該特定ポート（等）のｐｒｅｃｏｄｅｄ  ＳＲＳを基地局が測定して、先に提案されたＵ１及び／又はＵ２情報を基地局が決定できる。次に、基地局は、これを伴ったＵＬスケジューリンググラント（例えば、Ｕ１の場合、別に分離されたＤＣＩ（フィールド）あるいは別の特定制御情報伝達用メッセージコンテナを介して（階層１（Ｌ１：Ｌａｙｅｒ  １）及び／又は階層２（Ｌ２：Ｌａｙｅｒ  ２）シグナリングにより）端末に別に伝達されることもできる）を端末に送信することができる。これにより、本発明において考慮する周波数選択的なＵＬ−ＭＩＭＯスケジューリングが開始され得る。
【０３６１】
このように、特定プリコーディングされなかった（Ｎｏｎ−ｐｒｅｃｏｄｅｄ）ＳＲＳの送信手順無しで（すなわち、省略して）ｐｒｅｃｏｄｅｄ  ＳＲＳ送信を始めとしてＵＬリンク適応（ＵＬ−ＬＡ）プロセスが開始される形態をクラスＢ  ＵＬ−ＬＡ動作（または、ＵＥ）と称することができる。
【０３６２】
言い替えれば、当該特定ｐｒｅｃｏｄｅｄ  ＳＲＳを介してＵＥが既に特定方向に、例えば、アナログビームフォーミングを適用したｐｒｅｃｏｄｅｄ／ビームフォーミングされた（ｂｅａｍｆｏｒｍｅｄ）ＳＲＳポート（等）を送信できる。そして、このような（アナログ）ｂｅａｍｆｏｒｍｅｄ  ＳＲＳポート（等）を基地局が測定して、これに対して適切なＵ１及び／又はＵ２を導出した後、これを上記のような方法にてＵＥに知らせることにより、ＵＥをＵＬ送信に適用させることができる。
【０３６３】
より特徴的に、ＵＥがこのようにｐｒｅｃｏｄｅｄ／ｂｅａｍｆｏｒｍｅｄ  ＳＲＳに適用すべき当該ビームフォーミングベクトル（ｂｅａｍｆｏｒｍｉｎｇ  ｖｅｃｔｏｒ）（等）／係数（ｃｏｅｆｆｉｃｉｅｎｔ）（等）は、次のように決定されることができる。まず、基地局が送信するＤＬ特定ＲＳ（例えば、ＲＲＭ−ＲＳ（Ｒａｄｉｏ  Ｒｅｓｏｕｒｃｅ  Ｍａｎａｇｅｍｅｎｔ−ＲＳ）、ＢＲＳ、ＢＲＲＳ等）をＵＥが測定できる。そして、ＵＥが最適の（ｂｅｓｔ）「サービング−ビーム（ｓｅｒｖｉｎｇ−ｂｅａｍ）」を探し（これを報告することもできる）、これに対するＵＥが自分の（ペアされた（ｐａｉｒｅｄ））最適の（ｂｅｓｔ）「Ｒｘ−受信−ビーム（Ｒｘ−ｒｅｃｅｉｖｉｎｇ−ｂｅａｍ）」を決定できる。そして、ＵＥは、ＤＬ／ＵＬチャネル互恵性（ｒｅｃｉｐｒｏｃｉｔｙ）特性（または、ビームペアリンク（ｂｅａｍ  ｐａｉｒ  ｌｉｎｋ））を用いて、このような最適の（ｂｅｓｔ）「Ｒｘ−受信−ビーム（Ｒｘ−ｒｅｃｅｉｖｉｎｇ−ｂｅａｍ）」を逆に（例えば、エルミート（Ｈｅｒｍｉｔｉａｎ）を取って）、自分のｐｒｅｃｏｄｅｄ／ｂｅａｍｆｏｒｍｅｄ  ＳＲＳ送信の際、当該ビームフォーミングベクトル／係数（等）を適用してＳＲＳを送信できる。すなわち、ＳＲＳ送信は、特定ＤＬ  ＲＳ（例えば、最適の（ｂｅｓｔ）「サービング−ビーム（ｓｅｒｖｉｎｇ−ｂｅａｍ）」）の受信のために使用された空間的フィルタリング（ｓｐａｔｉａｌ  ｆｉｌｔｅｒｉｎｇ）と同一のｓｐａｔｉａｌ  ｆｉｌｔｅｒｉｎｇで行われることができる。このようなＵＥの動作が予め定義されたり、ＵＥに設定されることができる。
【０３６４】
または、必ず前記最適の（ｂｅｓｔ）「サービング−ビーム（ｓｅｒｖｉｎｇ−ｂｅａｍ）」に対応する「Ｒｘ−受信−ビーム（Ｒｘ−ｒｅｃｅｉｖｉｎｇ−ｂｅａｍ）」のみを適用するように限定されないことがある。例えば、ＵＥが２番目に最適の（ｓｅｃｏｎｄ−ｂｅｓｔ）「サービング−ビーム（ｓｅｒｖｉｎｇ−ｂｅａｍ）」に対応する「Ｒｘ−受信−ビーム（Ｒｘ−ｒｅｃｅｉｖｉｎｇ−ｂｅａｍ）」を適用したｐｒｅｃｏｄｅｄ／ｂｅａｍｆｏｒｍｅｄ  ＳＲＳを送信するように、基地局が指示／トリガーできるように動作が支援されることもできる。
【０３６５】
上記のような方式が一般化されて、３番目に最適の（ｔｈｉｒｄ−ｂｅｓｔ）「サービング−ビーム（ｓｅｒｖｉｎｇ−ｂｅａｍ）」に対応する、または、４番目に最適の（ｆｏｕｒｔｈ−ｂｅｓｔ）「サービング−ビーム（ｓｅｒｖｉｎｇ−ｂｅａｍ）」に対応する、．．．のような方式で、ＵＥが当該何番目の「サービング−ビーム（ｓｅｒｖｉｎｇ−ｂｅａｍ）」であるかを認知できるようにする特定識別子（例えば、ビーム状態情報（ＢＳＩ：Ｂｅａｍ  Ｓｔａｔｅ  Ｉｎｆｏｒｍａｔｉｏｎ）等）が基地局からＵＥに指示されることができる。このような形態で前記ｐｒｅｃｏｄｅｄ／ｂｅａｍｆｏｒｍｅｄ  ＳＲＳ送信の際、ＵＥが適用すべきビームフォーミングベクトル／係数（等）が設定／指示され得る。
【０３６６】
言い替えれば、ＵＥは、ＳＲＳ送信の際、特定ＤＬ  ＲＳの受信のために使用された空間的フィルタリング（ｓｐａｔｉａｌ  ｆｉｌｔｅｒｉｎｇ）と同一のｓｐａｔｉａｌ  ｆｉｌｔｅｒｉｎｇを用いて送信することができる。すなわち、それぞれのＤＬ  ＲＳ別に端末は、ＤＬ  ＲＳ受信のために最適であるｓｐａｔｉａｌ  ｆｉｌｔｅｒｉｎｇを実現でき、基地局は、端末が特定ＤＬ  ＲＳ受信のために使用したｓｐａｔｉａｌ  ｆｉｌｔｅｒｉｎｇと同一のｓｐａｔｉａｌ  ｆｉｌｔｅｒｉｎｇで特定ＳＲＳ資源の送信を行うように指示することができる。
【０３６７】
または、前記ｐｒｅｃｏｄｅｄ  ＳＲＳ送信の際、ＵＥが適用すべきビームフォーミングベクトル／係数（等）を基地局が直接ＵＥに設定／指示する方法も適用可能である（例えば、基地局実現によって、例えば、他の特定方法を介してのチャネル互恵性（ｃｈａｎｎｅｌ  ｒｅｃｉｐｒｏｃｉｔｙ）に基づいて、このような情報を基地局が取得できる場合等）。このようなビームフォーミングベクトル／係数（等）は、当該ｐｒｅｃｏｄｅｄ  ＳＲＳの送信をトリガーする特定ＤＣＩなどの制御チャネルを介して基地局がＵＥに直接知らせることができ、あるいは、別に分離された特定階層１（Ｌ１：Ｌａｙｅｒ  １）、階層２（Ｌ２：Ｌａｙｅｒ  ２）、及び／又は階層３（Ｌ３：Ｌａｙｅｒ  ３）（例えば、ＲＲＣによる半−静的）シグナリングを介して基地局がＵＥに知らせることができる。
【０３６８】
つまり、このような動作が可能な前記クラスＢ  ＵＬ−ＬＡ  ＵＥは、i）「チャネル互恵性補正された（ｃｈａｎｎｅｌ−ｒｅｃｉｐｒｏｃｉｔｙ  ｃａｌｉｂｒａｔｅｄ）ＵＥ」（例えば、ＮＲ（または、５Ｇ）ＵＥ、３ＧＰＰリリース（ｒｅｌｅａｓｅ）−１５含む、それ以後のＵＥ等）、ii）「ＵＥのＴＸ（Ｔｒａｎｓｍｉｔｔｅｒ）（及び／又はＴＲＸ（Ｔｒａｎｓｍｉｔｔｅｒ  ａｎｄ  Ｒｅｃｅｉｖｅｒ））アンテナ／ポート（等）に全体的に−デジタル−ビームフォーミングが可能でないＵＥ」、iii）「アナログ−ビームフォーミングをＵＬ  ＴＸポート（等）に適用するＵＥ」、及び／又はiv）「ＴＤＤで動作するＵＥ」に限定されることができる。
【０３６９】
そして／または、ＵＥがこれと関連した自分の特定能力（ｃａｐａｂｉｌｉｔｙ）と関連した情報（例えば、前記クラスＢ関連支援可能可否等）を事前に基地局に提供することにより、上記の動作／プロセスが設定／開始され得る。
【０３７０】
２）クラスＡ  ＵＬ−ＬＡ  ＵＥ（Ｎｏｎ−ｐｒｅｃｏｄｅｄ  ＳＲＳ送信を始めとしてＵＬ−ＬＡプロセス動作）：
【０３７１】
または、このようなＳＲＳと関連して、ＵＥは、Ｎｏｎ−ｐｒｅｃｏｄｅｄ  ＳＲＳ（または、ビームフォーミングされなかったＳＲＳ）を送信するように定義／設定されることができる。この場合、当該特定ポート（等）のｎｏｎ−ｐｒｅｃｏｄｅｄ  ＳＲＳを基地局が測定して、先に提案されたＵ１及び／又はＵ２情報を基地局が決定できる。次に、基地局は、これを伴ったＵＬスケジューリンググラント（例えば、Ｕ１の場合、別に分離されたＤＣＩ（フィールド）あるいは別の特定制御情報伝達用メッセージコンテナを介して（Ｌ１及び／又はＬ２シグナリングにより）ＵＥに別に伝達されることもできる）をＵＥに送信することができる。これにより、本発明において考慮する周波数選択的なＵＬ−ＭＩＭＯスケジューリングが開始され得る。
【０３７２】
このように、特定Ｎｏｎ−ｐｒｅｃｏｄｅｄ  ＳＲＳの送信だけでＵＬ−ＬＡプロセスが開始され、このような特定ポート（等）のｎｏｎ−ｐｒｅｃｏｄｅｄ  ＳＲＳを基地局が測定して、決定したＵ１及び／又はＵ２などの最終ＵＬ  ｐｒｅｃｏｄｅｒを基地局がＵＬスケジューリングの際にＵＥに知らせる形態をクラスＡ  ＵＬ−ＬＡ動作（または、ＵＥ）と称することができる。
【０３７３】
より特徴的に、このようなクラスＡ  ＵＥは、ＵＥのＴＸ（及び／又はＴＲＸ）アンテナ（等）／ポート（等）が全体的な−デジタル−ビームフォーミング（ｆｕｌｌｙ−ｄｉｇｉｔａｌ−ｂｅａｍｆｏｒｍｉｎｇ）が可能なＵＥという意味を有することができる。
【０３７４】
つまり、このような動作が可能な前記クラスＡ  ＵＬ−ＬＡ  ＵＥは、i）「チャネル互恵性が補正されなかった（ｃｈａｎｎｅｌ−ｒｅｃｉｐｒｏｃｉｔｙ  ｎｏｎ−ｃａｌｉｂｒａｔｅｄ  ＵＥ）」（例えば、ＬＴＥ／ＬＴＥ−Ａ  ＵＥ、３ＧＰＰリリース（ｒｅｌｅａｓｅ）−１４までのＵＥ）、ii）「全体的に−デジタル−ビームフォーミング（ｆｕｌｌｙ−ｄｉｇｉｔａｌ−ｂｅａｍｆｏｒｍｉｎｇ）が可能なＵＥ」、及び／又はiii）「ＦＤＤ（及び／又はＴＤＤ）で動作するＵＥ」等に限定されることもできる。
【０３７５】
そして／または、ＵＥがこれと関連した自分の特定能力（ｃａｐａｂｉｌｉｔｙ）と関連した情報（例えば、前記クラスＡ関連支援可能可否等）を事前に基地局に提供することにより、上記の動作／プロセスが設定／開始されることもできる。
【０３７６】
３）クラスＣ  ＵＬ−ＬＡ  ＵＥ（（Ｓ１ポート（等））Ｎｏｎ−ｐｒｅｃｏｄｅｄ  ＳＲＳ送信を始めとして基地局からの特定ビームフォーミング情報を受信されて、これを適用した（Ｓ２（＜＝Ｓ１）ポート（等）ｐｒｅｃｏｄｅｄ  ＳＲＳ送信を開始してＵＬ−ＬＡプロセス動作）：
【０３７７】
または、このようなＳＲＳと関連して、ＵＥが特定（Ｓ１ポート（等））Ｎｏｎ−ｐｒｅｃｏｄｅｄ  ＳＲＳを１次的に（長い（ｌｏｎｇ−ｔｅｒｍ）周期を有して）送信するように設定／指示することにより、基地局が１次的なビームフォーミングベクトル（等）／係数（等）を導出できる。そして、基地局は、これをＵＥに指示することにより、ＵＥが２次的な特定（Ｓ２（＜＝Ｓ１）ポート（等））Ｐｒｅｃｏｄｅｄ  ＳＲＳを送信するように定義／設定されることができる。この場合にも、先の１）の方法と比較して前記１次的なＮｏｎ−ｐｒｅｃｏｄｅｄ  ＳＲＳによる概略的なビーム（ｃｏａｒｓｅ  ｂｅａｍ）推定動作が追加されるという相違だけを有することができる。言い替えれば、当該（Ｓ２（＜＝Ｓ１）ポート（等））Ｐｒｅｃｏｄｅｄ  ＳＲＳを基地局が測定して、前記提案されたＵ１及び／又はＵ２情報を基地局が決定できる。次に、基地局は、これを伴ったＵＬスケジューリンググラント（例えば、Ｕ１の場合、別に分離されたＤＣＩ（フィールド）あるいは別の特定制御情報伝達用メッセージコンテナを介して（Ｌ１及び／又はＬ２シグナリングにより）ＵＥに別に伝達されることもできる）を送信できる。これにより、本発明において考慮する周波数選択的なＵＬ−ＭＩＭＯスケジューリングが開始され得る。
【０３７８】
このとき、前記「（Ｎｏｎ−ｐｒｅｃｏｄｅｄ  ＳＲＳを基地局が受信して）導出されたビームフォーミングベクトル（等）／係数（等）を当該Ｐｒｅｃｏｄｅｄ  ＳＲＳに適用するようにＵＥに設定／指示」する方法として、基地局は、当該ｐｒｅｃｏｄｅｄ  ＳＲＳの送信をトリガーする特定ＤＣＩなどの制御チャネルを介してＵＥに直接知らせることができ、あるいは、基地局は、別に分離された特定Ｌ１、Ｌ２、及び／又はＬ３（例えば、ＲＲＣによる半静的）シグナリングを介してＵＥに知らせることができる。
【０３７９】
このように、ＵＥの特定Ｎｏｎ−ｐｒｅｃｏｄｅｄ  ＳＲＳの送信を伴い、これに対してＵＥが基地局からのビームフォーミング適用関連情報を受信し、これを適用した特定ｐｒｅｃｏｄｅｄ  ＳＲＳの送信が開始され、当該ｐｒｅｃｏｄｅｄ  ＳＲＳを基地局が測定して、決定したＵ１及び／又はＵ２などの最終ＵＬ  ｐｒｅｃｏｄｅｒを基地局がＵＬスケジューリングの際にＵＥに知らせる形態をクラスＣ  ＵＬ−ＬＡ動作（または、ＵＥ）と称することができる。
【０３８０】
より特徴的に、このようなクラスＣ  ＵＥは、ＵＥのＴＸ（及び／又はＴＲＸ）アンテナ（等）／ポート（等）が全体的に−デジタル−ビームフォーミングが可能なＵＥという意味を有することができる。
【０３８１】
つまり、このような動作が可能な前記クラスＣ  ＵＬ−ＬＡ  ＵＥは、i）「チャネル互恵性が補正されなかった（ｃｈａｎｎｅｌ−ｒｅｃｉｐｒｏｃｉｔｙ  ｎｏｎ−ｃａｌｉｂｒａｔｅｄ）ＵＥ」、ii）「ＵＥのＴＸ（及び／又はＴＲＸ）アンテナ（等）／ポート（等）に全体的に−デジタル−ビームフォーミングが可能でないＵＥ」、iii）「アナログ−ビームフォーミングをＵＬ  ＴＸポート（等）に適用するＵＥ」、及び／又はiv）「ＦＤＤ（及び／又はＴＤＤ）で動作するＵＥ」等に限定されることもできる。
【０３８２】
そして／または、ＵＥがこれと関連した自分の特定能力（ｃａｐａｂｉｌｉｔｙ）と関連した情報（例えば、前記クラスＣ関連支援可能可否等）を事前に基地局に提供することにより、上記の動作／プロセスが設定／開始されることもできる。
【０３８３】
・そして／または、事前に特定ＳＲＳ資源（等）がＵＥに設定され、ＵＥは、各ＳＲＳ資源（ｒｅｓｏｕｒｃｅ）別設定に基づいて別のｐｒｅｃｏｄｅｄ  ＳＲＳを送信するように設定されることができる。このとき、各ＳＲＳ  ｒｅｓｏｕｒｃｅ当りＳＲＳポート（ｐｏｒｔ）数は１であるか、それ以上でありうる。
【０３８４】
すなわち、ＵＥは、各ＳＲＳ  ｒｅｓｏｕｒｃｅに該当するＳＲＳポート数及び当該設定に基づいてＳＲＳ送信を行うことができる。
【０３８５】
このとき、ＳＲＳポートに適用するビームフォーミングベクトル（ｂｅａｍｆｏｒｍｉｎｇ  ｖｅｃｔｏｒ）（等）／係数（ｃｏｅｆｆｉｃｉｅｎｔ）（等）は、基地局指示にしたがうか、あるいはＵＥが任意に（基地局−トランスペアレント（ｅＮＢ−ｔｒａｎｓｐａｒｅｎｔ）に、または任意に（ｒａｎｄｏｍ））選択して、各ＳＲＳ  ｒｅｓｏｕｒｃｅ別にｐｒｅｃｏｄｅｄ  ＳＲＳを送信できる。この場合、基地局は、このような各ＳＲＳ  ｒｅｓｏｕｒｃｅに対するＳＲＳ測定を介して最も受信品質の良いＳＲＳ  ｒｅｓｏｕｒｃｅを先に選別し、このようなＳＲＳ  ｒｅｓｏｕｒｃｅ内のＳＲＳポート（ｐｏｒｔ）（等）に対して前記Ｕ１及び／又はＵ２を導出してＵＥに指示することができる。すなわち、基地局は、当該ＳＲＳ  ｒｅｓｏｕｒｃｅ内のＳＲＳポート（等）に適用するＵ１及び／又はＵ２を導出してＵＥに指示することができる。
【０３８６】
この場合、前記提案されたＵ１及び／又はＵ２情報だけでなく、前記最適のＳＲＳ資源指示子（ＳＲＩ：ＳＲＳ  ｒｅｓｏｕｒｃｅ  ｉｎｄｉｃａｔｏｒ）を伴ったＵＬスケジューリンググラント（ｓｃｈｅｄｕｌｉｎｇ  ｇｒａｎｔ）（例えば、Ｕ１及び／又はＳＲＩの場合、別に分離されたＤＣＩ（フィールド）あるいは別の特定制御情報伝達用メッセージコンテナを介して（例えば、Ｌ１、Ｌ２、及び／又はＬ３（例えば、ＲＲＣによる半静的）シグナリング）によりＵＥに別に伝達されることもできる）がＵＥに送信されることにより、本発明において考慮する周波数−選択的なＵＬ−ＭＩＭＯスケジューリングが開始され得る。
【０３８７】
言い替えれば、基地局がＵＥに多重のＳＲＳ資源を設定し、ＵＥは、各ＳＲＳ資源別に互いに異なるビーム方向性を有するｐｒｅｃｏｄｅｄ  ＳＲＳを基地局に送信できる。そして、基地局は、ＵＥに上向きリンクスケジューリンググラント（ＤＣＩ）内の以前の時間インスタンス（ｉｎｓｔａｎｃｅ）でＵＥにより送信されたＳＲＩとプリコーディング指示（例えば、Ｕ１及び／又はＵ２、またはＴＰＭＩ（Ｔｒａｎｓｍｉｔｔｅｄ  Ｐｒｅｃｏｄｉｎｇ  Ｍａｔｒｉｘ  Ｉｎｄｉｃａｔｏｒ）を含んで送信することができる。このとき、プリコーディング指示は、ＳＲＩにより選択されたＳＲＳ資源内のＳＲＳポートにわたって（または、ＳＲＳポート上に）適用される選好プレコーダを指示するために使用されることができる（Ｔｈｅ  Ｐｒｅｃｏｄｉｎｇ  ｉｎｄｉｃａｔｉｏｎ  ｍａｙ  ｂｅ  ｕｓｅｄ  ｔｏ  ｉｎｄｉｃａｔｅ  ｐｒｅｆｅｒｒｅｄ  ｐｒｅｃｏｄｅｒ  ｏｖｅｒ  ｔｈｅ  ＳＲＳ  ｐｏｒｔｓ  ｉｎ  ｔｈｅ  ｓｅｌｅｃｔｅｄ  ＳＲＳ  ｒｅｓｏｕｒｃｅ  ｂｙ  ｔｈｅ  ＳＲＩ）。
【０３８８】
例えば、特定ＳＲＳ  ｒｅｓｏｕｒｃｅが１−ポートＳＲＳを送信するように設定されたとすれば、仮に、ＵＥがＸ個の送信アンテナ（等）／ポート（等）を実現している場合、ＵＥは、特定Ｘ×１（すなわち、Ｘ−ｂｙ−１）ビームフォーミングベクトル／係数を適用して一種の「ランク１  ｐｒｅｃｏｄｅｄ  ＳＲＳ」を送信するように定義／設定されたものでありうる。
【０３８９】
同様に、特定ＳＲＳ  ｒｅｓｏｕｒｃｅがｖ（＞１）−ポートＳＲＳを送信するように設定されたとすれば、仮に、ＵＥがＸ（＞＝ｖ）個の送信アンテナ（等）／ポート（等）を実現している場合、ＵＥは、特定Ｘ×ｖ（すなわち、Ｘ−ｂｙ−ｖ）ビームフォーミングベクトル／係数を適用して一種の「ランク  ｖ  ｐｒｅｃｏｄｅｄ  ＳＲＳ」を送信するように定義／設定されたものでありうる。
【０３９０】
すなわち、前記ＳＲＳ  ｒｅｓｏｕｒｃｅ別に設定された当該「ＳＲＳポート数＝（ターゲット）ランク（ｒａｎｋ）数」の特徴がありうる。
【０３９１】
したがって、基地局が上記のようなＳＲＩをＵＥに設定／指示するようになる場合、このようなＳＲＩが一種のランク指示子（ｒａｎｋ  ｉｎｄｉｃａｔｉｏｎ）の意味も含むことと認識されることができる。そして、このような指示されたランクに基づいて、当該ＵＬ  ｇｒａｎｔ内の他のフィールド解釈時に適用するように定義／設定されることができる。
【０３９２】
言い替えれば、各ＳＲＳ資源別にＳＲＳアンテナポート数が予め定義されたり、設定されることができ（例えば、ＲＲＣなど、上位階層シグナリングにより）、基地局がＳＲＩを含むＵＬ  ｇｒａｎｔをＵＥに送信するとき、ＵＥの上向きリンクデータ（例えば、ＰＵＳＣＨ）送信のためのランク数は、ＳＲＩにより指示されたＳＲＳ資源に対応するアンテナポート数に決定されることができる。
【０３９３】
さらに他の一例に、前記ＳＲＩの情報指示を省略し、ＵＬ  ｇｒａｎｔなどで指示されるランク指示（フィールド）を介して前記いずれかのＳＲＳ資源インデックスが指示されているかが自動に連動されることができ、当該暗黙的に（ｉｍｐｌｉｃｉｔｌｙ）−指示されるＳＲＳ資源インデックスが適用されたｐｒｅｃｏｄｅｒをＵＥがＵＬ送信の際に適用するように動作が定義されたりあるいは設定／指示されることができる（ただし、このときは、特定ランク当り、これに連動されるＳＲＳ  ｒｅｓｏｕｒｃｅが１個ずつのみ一対一連結（ｌｉｎｋａｇｅ）されているように限定されることが好ましい）。
【０３９４】
または、より柔軟なＵＬ  ｓｃｈｅｄｕｌｉｎｇ関連シグナリングのために、基地局がＵＥにランク指示（例えば、ＴＲＩ（Ｔｒａｎｓｍｉｔｔｅｄ  Ｒａｎｋ  Ｉｎｄｉｃａｔｉｏｎ））だけでなく、ＳＲＩも共に独立に知らせるように定義されたり、ＵＥに設定されることもできる。これは代表的に、特定ターゲットランク毎に１個またはそれ以上のＳＲＳ資源（等）が設定され得る場合に該当し得る。このように、基地局が特定ランクに複数個のＳＲＳ  ｒｅｓｏｕｒｃｅｓを設定する理由では、同一ランクに対する相違したビームフォーミングベクトル（等）／係数（等）をＵＥが適用し、ＳＲＳを数回送信してみるようにするためでありうる。すなわち、同じランクに対して相違したビーム係数が適用されたｐｒｅｃｏｄｅｄ  ＳＲＳを基地局が全て測定することにより、当該ランクを最終選択する場合にも、いずれかのＵＬ  ｐｒｅｃｏｄｅｒがさらに（性能の側面で）有利であるかを判断し、これを指示できるという柔軟性（ｆｌｅｘｉｂｉｌｉｔｙ）を提供できるという長所がある。
【０３９５】
そして／または、前記ＵＥが特定「ビームフォーミングベクトル（等）／係数（等）を当該ｐｒｅｃｏｄｅｄ  ＳＲＳに適用するとき」、このような「ビームフォーミングベクトル（等）／係数（等）」を広帯域（ｗｉｄｅｂａｎｄ）属性で送信帯域にわたって共通的なビームフォーミングベクトル（等）／係数（等）に適用するように定義されたり、ＵＥに設定されることができる。
【０３９６】
または、送信帯域にわたって周波数−選択的に特定サブバンド（または、ＰＲＢ（グループ））単位に相違した／独立的なビームフォーミングベクトル（等）／係数（等）を適用する形態で当該ＳＲＳ  ｒｅｓｏｕｒｃｅに対するサブバンドｐｒｅｃｏｄｅｄ  ＳＲＳを送信する動作が定義されたり、ＵＥに設定されることもできる。
【０３９７】
また、当該ｐｒｅｃｏｄｅｄ  ＳＲＳを広帯域プリコーディングを適用するようにするか、サブバンドプリコーディングを適用するようにするかの可否も、基地局がＵＥにＬ１（ＤＣＩにより）、Ｌ２（ＭＡＣ制御要素（ＣＥ：Ｃｏｎｔｒｏｌ  Ｅｌｅｍｅｎｔ）により）、及び／又はＬ３（ＲＲＣにより）シグナリングで指定することができる。
【０３９８】
このとき、特定「周波数−選択的な（サブバンド）ビームフォーミングベクトル（等）／係数（等）」を特定ｐｒｅｃｏｄｅｄ  ＳＲＳ送信の際に適用するようにするのにおいても、次のような動作が定義されたり、ＵＥに設定されることができる。
【０３９９】
i）当該「周波数−選択的な（サブバンド）ビームフォーミングベクトル（等）／係数（等）」を基地局が（別にあるいは当該ＳＲＳ送信指示／トリガリング時に）知らせ、これをＵＥがしたがうようにすることができる。
【０４００】
ii）あるいは、ＵＥが任意に（基地局−トランスペアレント（ｅＮＢ−ｔｒａｎｓｐａｒｅｎｔ）に、任意に（ｒａｎｄｏｍ））選択して、各ＳＲＳ  ｒｅｓｏｕｒｃｅ別に（周波数−選択的な）ｐｒｅｃｏｄｅｄ  ＳＲＳを送信できる。
【０４０１】
iii）あるいは基地局が送信するＤＬ特定ＲＳ（例えば、ＲＲＭ−ＲＳ、ＢＲＳ、ＢＲＲＳ等）ポートＹ（例えば、Ｙ＝１）個を測定することにより、ＵＥが最適の（ｂｅｓｔ）「サービング−ビーム（ｓｅｒｖｉｎｇ−ｂｅａｍ）」を探すことができる（または、探し、これを報告できる）。これと共に（あるいは、当該ビーム管理（ｂｅａｍ  ｍａｎａｇｅｍｅｎｔ）過程以後に）、これに対するＵＥが自分の（ペアされた（ｐａｉｒｅｄ））ｂｅｓｔ「ＲＸ−受信−ビーム（Ｒｘ−ｒｅｃｅｉｖｉｎｇ−ｂｅａｍ）」を決定するとき、前記各サブバンド別に周波数−選択的に（ＵＥのＴＲＸアンテナ（等）／ポート（等）個数Ｘ個だけの次元（ｄｉｍｅｎｓｉｏｎ）で）Ｘ×Ｙ（すなわち、Ｘ−ｂｙ−Ｙ）プレコーダ／ビームフォーマ（ｂｅａｍｆｏｒｍｅｒ）ベクトル／係数を決定し、これを逆に（例えば、Ｈｅｒｍｉｔｉａｎを取って）、当該ｐｒｅｃｏｄｅｄ  ＳＲＳ送信時に適用することができる。
【０４０２】
このようなＲＲＭ−ＲＳ形態（例えば、ＢＲＳ、ＢＲＲＳ等）が使用されるときは、Ｙ＝１に限定されて、ＵＥの送信ＳＲＳがランク１  ｐｒｅｃｏｄｅｄ  ＳＲＳにのみ限定されることができる。
【０４０３】
また、いずれかの特定ＲＲＭ−ＲＳ（例えば、ＢＲＳ、ＢＲＲＳ等）に対して前記Ｘ−ｂｙ−Ｙ  ｐｒｅｃｏｄｅｒを計算するか、ＵＥに明示的に指示されることができる。また、当該特定ＲＲＭ−ＲＳ（例えば、ＢＲＳ、ＢＲＲＳ等）（ポート（等））がＱＣＬ（Ｑｕａｓｉ  Ｃｏ−ｌｏｃａｔｅｄ）シグナリング形態として指示されることもできる。
【０４０４】
iv）あるいは、基地局が送信するＤＬ特定（ＣＳＩ測定用）ＲＳ（例えば、ＣＳＩ−ＲＳ）ポート（または、資源、例えば、ＣＳＩ−ＲＳ資源別にＣＳＩ−ＲＳポートが決められ得る）Ｚ（＞＝１）個を測定することにより、ＵＥが自分の（ｐａｉｒｅｄ）ｂｅｓｔ「Ｒｘ−ｒｅｃｅｉｖｉｎｇ−ｂｅａｍ」を決定できる。このとき、ＵＥは、前記各サブバンド別に周波数−選択的に（ＵＥのＴＲＸアンテナ（等）／ポート（等）個数Ｘ個だけの次元で）Ｘ−ｂｙ−Ｚ  ｐｒｅｃｏｄｅｒ／ｂｅａｍｆｏｒｍｅｒベクトル／係数を決定し、これを逆に（例えば、Ｈｅｒｍｉｔｉａｎを取って）、当該ｐｒｅｃｏｄｅｄ  ＳＲＳ送信時に適用することができる。このような動作が定義されたり、ＵＥに設定されることができる。
【０４０５】
言い替えれば、ＵＥは、特定サブバンドでＳＲＳ送信の際、特定ＤＬ  ＲＳの受信のために使用された空間的フィルタリング（ｓｐａｔｉａｌ  ｆｉｌｔｅｒｉｎｇ）と同一のｓｐａｔｉａｌ  ｆｉｌｔｅｒｉｎｇを用いて送信することができる。すなわち、それぞれのＤＬ  ＲＳ別に端末は、ＤＬ  ＲＳ受信のために最適であるｓｐａｔｉａｌ  ｆｉｌｔｅｒｉｎｇを実現でき、基地局は、端末が特定ＤＬ  ＲＳ受信のために使用したｓｐａｔｉａｌ  ｆｉｌｔｅｒｉｎｇと同一のｓｐａｔｉａｌ  ｆｉｌｔｅｒｉｎｇで特定サブバンドでＳＲＳ資源の送信を行うように指示することができる。
【０４０６】
このように、ＣＳＩ−ＲＳが使用されるときは、Ｚ＞１に限定されるか、柔軟にＺ＞＝１に定義されたり、ＵＥに設定されることができる。上記のＲＲＭ−ＲＳ（例えば、ＢＲＳ、ＢＲＲＳ）を使用しない理由は、これが単一ポートに限定されることがあり、ランク１のみに制限され得るので、ランク＞１を支援するためにＣＳＩ−ＲＳが使用されることが効果的でありうる。
【０４０７】
また、いずれかの特定ＣＳＩ−ＲＳ（ポート（等））に対して前記Ｘ−ｂｙ−Ｚ  ｐｒｅｃｏｄｅｒを計算するか、ＵＥに明示的に指示されることができる。また、当該特定ＣＳＩ−ＲＳ（ポート（等））がＱＣＬシグナリング形態で指示されることもできる。そして／または、当該ＣＳＩ−ＲＳ（ポート（等））がいずれかのＲＲＭ−ＲＳ（例えば、ＢＲＳ、ＢＲＲＳ）とのＱＣＬ連結（ｌｉｎｋａｇｅ）があるかが共にまたは別に事前に定義されたり、ＵＥに設定されることもできる。
【０４０８】
・前記ＳＲＳと連関した提案動作は、全て（あるいは、一部）、前記Ｕ１及び／又はＵ２構造によらない（例えば、単一ＰＭＩ（例えば、ＴＰＭＩ）、ｐｒｅｃｏｄｅｒ基盤方式）にも適用され得ることは自明である。例えば、特定単一ＵＬプレコーダＵを決定するためにも、前記（ＳＲＳ資源（等）に基盤した設定による）ｎｏｎ−ｐｒｅｃｏｄｅｄ／ｐｒｅｃｏｄｅｄ  ＳＲＳ送信に対して特定ＵＬプレコーダ指示が与えられるなどの動作で変形／適用されることができる。
【０４０９】
・先に使用した「ＳＲＳ資源」の表現は、都合上付与した名称であり、このように、実際ＳＲＳ資源単位当り、特定インデックスが付与される形態でＵＥにシグナリング／指示されることもできる。または、ＵＥが送信可能な（全体）ＳＲＳポート（等）に対して特定グルーピングによりグループ化された特定／一部／仮想化されたポート（等）を束ねて前記「ＳＲＳ資源」という概念を代替したさらに他の名称／パラメータによって本発明の動作が適用され得る。
【０４１０】
追加提案事項
【０４１１】
前記動作において、サブバンド別Ｕ２情報は全て削除する形態で（半（ｓｅｍｉ）−）開ループ（ＯＬ：Ｏｐｅｎ  Ｌｏｏｐ）ＵＬ送信がＵＥに設定／指示されることができる。
【０４１２】
例えば、基地局は、特定（別の）シグナリングで（または、前記Ｕ１インデックスのうち、いずれか１つを用いて）このようにＵ２情報がない形態のＵＬ  ｇｒａｎｔをＵＥに送信することができ、これがＵＥに特定（Ｓｅｍｉ−）ＯＬ  ＵＬ送信を指示することと動作されることができる。
【０４１３】
このように、ＵＥに設定／指示されれば、ＵＥは、ＵＬ  ｇｒａｎｔ内にＵ２情報が存在しても当該情報は無視できる。
【０４１４】
または、このように設定／指示されれば、当該（ＵＬ−関連）ＤＣＩは、Ｕ２情報が存在し得たペイロード（ｐａｙｌｏａｄ）が削除され得る。この場合、ＵＥがＵ２情報が存在する場合に対比して当該ＤＣＩの全体ペイロードサイズが減った形態で相違したペイロードサイズに対するブラインド検出（ＢＤ：ｂｌｉｎｄ  ｄｅｔｅｃｔｉｏｎ）を行うように定義されたり、設定されることができる。
【０４１５】
また、Ｕ１及び／又はＵ２のうち、特定（空間（ｓｐａｔｉａｌ））次元方向のプレコーダ（等）情報だけを削除する形態で（Ｓｅｍｉ−）ＯＬ  ＵＬ送信が指示されることもできる。
【０４１６】
例えば、ＵＥが垂直（ｖｅｒｔｉｃａｌ）方向にはチャネル変化が少ないと判断され、水平（ｈｏｒｉｚｏｎｔａｌ）方向には、相対的にチャネル変化が激しいならば、ｈｏｒｉｚｏｎｔａｌ方向成分の特定プレコーダ（等）情報が削除される形態（または、無視したり、他の情報に代替されることができる）で前記Ｕ１及び／又はＵ２情報がＵＬ  ｓｃｈｅｄｕｌｉｎｇと連係して指示されることができる。この場合、ＵＥは、当該部分は特定予め定義された／指示されたＯＬ−ｐｒｅｃｏｄｉｎｇ方式によってプレコーダサイクリング（ｐｒｅｃｏｄｅｒ  ｃｙｃｌｉｎｇ）などのＯＬ技法を適用してＵＬ送信することができる。また、ＵＥは、Ｕ１及び／又はＵ２情報が提供された特定（ｓｐａｔｉａｌ）次元に対しては、指示を受けたとおりにプレコーダ（等）部分を適用してＵＬ送信することができる。
【０４１７】
上記のように、特定（ｓｐａｔｉａｌ）次元のプレコーダ（等）情報が削除されて指示されれば、当該ペイロード部分が削除され得る。この場合、ＵＥが既存に対比して当該ＤＣＩの全体ペイロードが減った形態で相違したペイロードサイズに対するＢＤを行うように定義されたり、設定されることができる。
【０４１８】
以上で、Ｕ１、Ｕ２などのペイロードサイズ及び該当情報のマッピングは（これに連動して）、事前に送信した当該ＵＥのＵＬ（リンク適応（ｌｉｎｋ  ａｄａｐｔａｔｉｏｎ）用）特定ＲＳ（例えば、ＳＲＳ）ポート数に対応して定義されたり、ＵＥに設定／指示されることができる。
【０４１９】
ＵＬ  ＭＩＭＯ設計フレームワーク（ｆｒａｍｅｗｏｒｋ）
【０４２０】
ＬＴＥ  ＵＬ  ＭＩＭＯで、ネットワークは、ＵＥにｐｒｅｃｏｄｅｒを指示し、ＵＥは、指示されたｐｒｅｃｏｄｅｒを適用してＤＭＲＳ及びデータを送信する。ＮＲ  ＵＬ  ＭＩＭＯで、ＤＭＲＳ及び物理データチャネルの両方に同じｐｒｅｃｏｄｅｒが適用されるプリコーディングされた（ｐｒｅｃｏｄｅｄ）ＲＳ基盤送信がＤＭＲＳオーバーヘッド側面で依然として好ましい。これは、ほとんどの場合、送信者（ｓｃａｔｔｅｒｅｒ）の不足によってＴＸＲＵの数より送信ランクが小さいはずであるためである。
【０４２１】
したがって、ＤＭＲＳ及び物理データチャネルの両方に同じｐｒｅｃｏｄｅｒが適用されるプリコーディングされた（ｐｒｅｃｏｄｅｄ）ＲＳ基盤送信がＮＲ  ＵＬ  ＭＩＭＯで基盤（ｂａｓｅｌｉｎｅ）となることが好ましい。
【０４２２】
送信技術と関連して、ＵＬ  ＤＭＲＳ基盤空間多重化（単一ユーザ（ＳＵ：Ｓｉｎｇｌｅ  Ｕｓｅｒ）ＭＩＭＯ／ＭＵ−ＭＩＭＯ）を支援するように合意された。ＵＬ協力多重−ポイント（ＣｏＭＰ：Ｃｏｏｒｄｉｎａｔｅｄ  Ｍｕｌｔｉ−Ｐｏｉｎｔ）送信も支援されることができる。すなわち、ＵＬ受信ポイント（等）は、ＵＥにトランスペアレント（ｔｒａｎｓｐａｒｅｎｔ）できる。
【０４２３】
ＵＬ  ＳＵ−ＭＩＭＯにおいて、ｐｒｅｃｏｄｅｒ情報がネットワークによりＵＥにシグナリングされない開ループ（ＯＬ：ｏｐｅｎ  ｌｏｏｐ）技術、そしてｐｒｅｃｏｄｅｒ情報の一部がネットワークによりＵＥにシグナリングされる半−開ループ（ｓｅｍｉ−ＯＬ：ｓｅｍｉ−ｏｐｅｎ−ｌｏｏｐ）技術がｐｒｅｃｏｄｅｒの全ての情報（すなわち、ＰＭＩ及びＲＩ）がネットワークによりＵＥにシグナリングされる既存の閉ループ（ｃｌｏｓｅｄ  ｌｏｏｐ）技術に追加して考慮されることができる。全体または部分的なＤＬ／ＵＬ  ｒｅｃｉｐｒｏｃｉｔｙが有効なとき、ＯＬ及びｓｅｍｉ−ＯＬ  ＭＩＭＯは有用でありうる。ＵＬ  ＭＵ−ＭＩＭＯは、閉ループ運営に基盤することができるが、これに制限されない。
【０４２４】
ＵＬ  ＭＩＭＯ送信技術は、ネットワークからＵＥにシグナリングされるｐｒｅｃｏｄｅｒ情報の完全さ（ｃｏｍｐｌｅｔｅｎｅｓｓ）及び存在によって次のように分類されることができる。
【０４２５】
・Ｃｌｏｓｅｄ  ｌｏｏｐ：全体ｐｒｅｃｏｄｅｒ情報がＵＥにシグナリング
【０４２６】
・Ｏｐｅｎ  ｌｏｏｐ：ｐｒｅｃｏｄｅｒ情報がＵＥにシグナリングされない
【０４２７】
・Ｓｅｍｉ−ｏｐｅｎ  ｌｏｏｐ：ｐｒｅｃｏｄｅｒ情報の一部がＵＥにシグナリング
【０４２８】
また、ＤＬ  ＳＵ−ＭＩＭＯ及びＤＬ  ＭＵ−ＭＩＭＯの両方のために、少なくとも８個の直交したＤＬ  ＤＭＲＳポートを支援するように合意された。ＤＬと同様に、基本的に（ｂａｓｅｌｉｎｅ）、ＵＬ  ＳＵ−ＭＩＭＯ及びＵＬ  ＭＵ−ＭＩＭＯの両方のために、少なくとも４個の直交したＤＭＲＳポートを支援するように提案するためにＬＴＥを参照できる。ＳＵ−ＭＩＭＯ観点で検討すれば、実際環境（すなわち、高周波帯域で制限された数の主光線（ｄｏｍｉｎａｎｔ  ｒａｙ）及びＵＥでの制限された数のＴＸＲＵ）で上位ランク可能性を考慮することにより、既存のＬＴＥより高いレイヤを支援するための動機が明らかでないことがある。しかし、順方向互換性（ｆｏｒｗａｒｄ  ｃｏｍｐａｔｉｂｉｌｉｔｙ）を考慮すれば、最大レイヤを初期から増加させることを考慮できる（例えば、大きいＵＥ類型を考慮して、ＵＬ  ＳＵ−ＭＩＭＯの場合、８レイヤ）。ＭＵ−ＭＭＯ観点で検討すれば、ＮＲは、目標スペクトル効率を達成するために、高い次元（ｈｉｇｈｅｒ  ｏｒｄｅｒ）ＭＵ−ＭＩＭＯを達成するための明らかな動機を有する。しかし、合理的な範囲内でＤＭＲＳオーバーヘッドを管理するために、非−直交ＤＭＲＳポート（例えば、スクランブリングシーケンス）を用いることにより、特定数（例えば、４または８）を超過するＭＵ多重化レイヤを支援することが好ましい。
【０４２９】
したがって、ＳＵ−ＭＩＭＯ及びＭＵ−ＭＩＭＯの両方のために、少なくとも４個の直交したＵＬ  ＤＭＲＳポートが支援されることが好ましい。
【０４３０】
空間多重化のためのコードワード（ｃｏｄｅｗｏｒｄ）の数に関しては、リンク適応柔軟性と制御シグナリングオーバーヘッドとの間のトレードオフ（ｔｒａｄｅ−ｏｆｆ）関係を考慮して、ＬＴＥのように最大２個のコードワードを支援することが合理的でありうる。
【０４３１】
したがって、ＮＲ  ＵＬ  ＭＩＭＯで基本的に２個のコードワードまで支援することが好ましい。
【０４３２】
ＵＬ  ＭＩＭＯのための周波数選択的なプリコーディング
【０４３３】
ｅＭＢＢ（（ｅｎｈａｎｃｅｄ  Ｍｏｂｉｌｅ  ＢｒｏａｄＢａｎｄ））及びＵＲＬＬＣ（ｕｌｔｒａ−ｒｅｌｉａｂｌｅ  ｌｏｗ  ｌａｔｅｎｃｙ  ｃｏｍｍｕｎｉｃａｔｉｏｎ）サービスの場合、少なくとも４０ＧＨｚまでＵＬ  ＮＲ波形が支援されるように特定された低いピーク電力に対する平均電力比（ＰＡＰＲ：Ｐｅａｋ  ｔｏ  Ａｖｅｒａｇｅ  Ｐｏｗｅｒ  Ｒａｔｉｏ）／キュービックメトリック（ＣＭ：Ｃｕｂｉｃ  Ｍｅｔｒｉｃ）技術がない。循環プレフィックス−ＯＦＤＭ（ＣＰ−ＯＦＤＭ：Ｃｙｃｌｉｃ  Ｐｒｅｆｉｘ  ＯＦＤＭ）が勧告されると合意された。
【０４３４】
ＮＲでＣＰ−ＯＦＤＭ波形及び支援可能なシステム帯域幅を考慮するとき、周波数選択的プリコーディングは、ＵＬ  ＭＩＭＯのために導入されたこととみなされることができる。しかし、指示するサブ帯域ＰＭＩなどによって増加された制御チャネルオーバーヘッドは、そういう周波数選択的ＵＬ−ＭＩＭＯプリコーディングを適用するための重要な問題でありうる。ＵＬ関連ＤＣＩとは別に、種々のＰＭＩをシグナリングし、そういうシグナリングを指示するために、ＤＣＩにポインタフィールド（ｐｏｉｎｔｅｒ  ｆｉｅｌｄ）を含むことが考慮され得るが、このような種類の２段階接近法は、１番目の段階でサブバンド単位に多重ＰＭＩの全体情報を提供するためのレイテンシ（ｌａｔｅｎｃｙ）のため、望ましくない場合がある。言い替えれば、そういう周波数選択的ＵＬプレコーダを導入しようという動機は、周波数領域を用いる早いＵＬリンク適応を達成することであるから、プレコーダ情報の全体セットは、ＵＬ送信のためにスケジューリングされるとき、ＵＥに瞬間的に伝達されることが要求される。
【０４３５】
周波数選択的なＵＬ−ＭＩＭＯスケジューリングに対する制御チャネルオーバーヘッド問題を解決するために、このＵＬ場合（例えば、４−Ｔｘ場合）と同様に、ＤＬのように、二重コードブック構造を適用することが検討される必要がある。ＵＬに対して合意されたＣＰ−ＯＦＤＭ構造を考慮すれば、サブバンド当り、最終ＵＬプレコーダ（Ｗ）は、広帯域ＰＭＩ成分（Ｗ＿１）及び対応するサブバンドＰＭＩ成分（Ｗ＿２）に分解されることができる。次に、ＵＬスケジューリングＤＣＩで、Ｗ＿１情報は、一度含まれるのに十分であり、同じＤＣＩ内の資源割当フィールドにより与えられたスケジューリングされたＲＢ領域によって複数のＷ＿２が含まれる必要がある。Ｗ＿１とＷ＿２に対するコードブックを定義する方法は、今後研究のためのものであるが、基本（ｂａｓｅｌｉｎｅ）は、Ｒｅｌ−１２  ＤＬ  ４−Ｔｘコードブックを再使用することが好ましい。既存のＬＴＥ  ２−Ｔｘ  ＤＬコードブックは、２−Ｔｘ  ＵＬ場合に対してそのまま再使用されることができ、全体のサブバンド当り、ＰＭＩがＵＬスケジュールリンググラントで提供される必要がある。また、ＤＦＴ−スプレッド−ＯＦＤＭ（ＤＦＴ−Ｓ−ＯＦＤＭ：ＤＦＴ  ｓｐｒｅａｄ  ＯＦＤＭ）基盤ＵＬ−ＭＩＭＯプレコーダが支援されるか否か、そして、この場合、先に議論されたように、ＣＰ−ＯＦＤＭ基盤ＵＬプレコーダを使用するか、ＤＦＴ−Ｓ−ＯＦＤＭ基盤ＵＬプレコーダを使用してＵＥを設定する方法を検討しなければならない。
【０４３６】
すなわち、ＵＥは、ＣＰ−ＯＦＤＭ基盤コードブック１（例えば、前記二重コードブック構造）とＤＦＳ−Ｓ−ＯＦＤＭ基盤コードブック２（例えば、ＣＭＰ（ｃｕｂｉｃ−ｍｅｔｒｉｃ  ｐｒｅｓｅｒｖｉｎｇ）コードブック等）のうち、少なくとも１つを基地局から設定されることができる。そして、端末は、このうち、いずれかのコードブックに基盤したＵＬ  ｐｒｅｃｏｄｉｎｇを行わなければならないか、Ｌ１（例えば、ＤＣＩにより）、Ｌ２（例えば、ＭＡＣ  ＣＥにより）、及び／又はＬ３（例えば、ＲＲＣにより）で基地局から設定／指示されることができる。
【０４３７】
特徴的には、ＵＥは、ＣＰ−ＯＦＤＭ基盤ＵＬ送信が設定／指示されるときには、コードブック１とコードブック２のうちの１つを基地局から設定／指示（ａｎｄ／ｏｒ  ｓｗｉｔｃｈｉｎｇ）されて適用することができ、逆に、ＤＦＳ−Ｓ−ＯＦＤＭ基盤ＵＬ送信が設定／指示されるときには、常にコードブック２だけを適用できることと限定されることができる。これは、ＤＦＳ−Ｓ−ＯＦＤＭ基盤下では、コードブック１の適用がＰＡＰＲを大きく増幅させるなど、不適切な恐れがあるためである。
【０４３８】
より特徴的には、特定ランク値に連動して前記いずれかのコードブックが適用されるかが定義されたり、ＵＥに設定されることもできる。例えば、ランクＸ（例えば、Ｘ＝１）送信の場合には、ＰＡＰＲイッシューなど、送信パワーの側面で有利なようにコードブック２が適用されるように定義されたり、ＵＥに設定されることができる。それに対し、ランクＹ（例えば、Ｙ＝２）またはそれ以上の場合には、コードブック１が適用されるように設定されることにより（例えば、一般的に、セル−エッジ（ｃｅｌｌ−ｅｄｇｅ）領域でないＵＥ）送信パワーの側面より収率（ｔｈｒｏｕｇｈｐｕｔ）を極大化できるｐｒｅｃｏｄｅｒを適用するように定義されたり、ＵＥに設定することができる。
【０４３９】
このような動作が適用されるならば、前記ＵＬ  ｇｒａｎｔ等を介してランクが指示されるとき、ＵＥは、自動にこれに連動して上記のように、相違したコードブックを適用した状態で指示されたＰＭＩ／ｐｒｅｃｏｄｅｒを解釈／適用することができる。
【０４４０】
前述では、一例に、特定波形（ｗａｖｅｆｏｒｍ）基盤（例えば、ＣＰ−ＯＦＤＭ基盤またはＤＦＳ−Ｓ−ＯＦＤＭ基盤）で設定されることに連動して、特定コードブック（例えば、コードブック１またはコードブック２、．．．）が適用される動作を説明した。
【０４４１】
ただし、これに限定されず、ＵＥのＵＬ送信時、特定波形と関係なく、ＵＥが特定候補コードブック１（例えば、ＤＦＴ基盤コードブック）、コードブック２（例えば、グラスマニアン（ｇｒａｓｓｍａｎｎｉａｎ）コードブック）、またはコードブック３（例えば、ハウスホルダー（ｈｏｕｓｅｈｏｌｄｅｒ）コードブック）などのうち、基地局の指示下に特定コードブックを適用してＵＬ送信を開始するように上記の動作が定義されたり、ＵＥに設定／指示されることもできる。
【０４４２】
より具体的な実施形態として、候補コードブック１は、ＵＥアンテナ構成（ｃｏｎｆｉｇｕｒａｔｉｏｎ）によるアンテナ間配置／間隔が相対的に等間隔及び／又は密接な−間隔（ｃｌｏｓｅｌｙ−ｓｐａｃｅｄ）形態で実現されているときにさらに適したものであって、ＤＦＴ−ベクトルなどを使用する特定ＤＦＴ基盤コードブック（例えば、ＬＴＥ−Ａコードブックを含む二重コードブック構造）形態で定義されたり、ＵＥに設定されることができる。また、候補コードブック２は、ＵＥアンテナ構成（ｃｏｎｆｉｇｕｒａｔｉｏｎ）によるアンテナ間配置／間隔が相対的に不規則的であるか、広い−間隔（ｗｉｄｅｌｙ−ｓｐａｃｅｄ）形態で実現されているときにさらに適したものであって、グラスマニアンコードブックなど、コードベクトル間等間隔（ｅｑｕａｌ  ｄｉｓｔａｎｃｅ）を最大限有することができるように最適化したコードブック形態で定義／設定されることができる。また、候補コードブック３は（ＵＥアンテナ構成によって）、前記コードブック１及びコードブック２などの他の属性及び目的を有した相違したコードブック間に一部コードベクトルを抜粋して作る形態で特定混合形態のコードブック、例えば、ハウスホルダーコードブックなどの形態で定義されたり、ＵＥに設定されることができる。
【０４４３】
つまり、端末は、事前に特定基地局に接続するときに、ＵＥ能力シグナリングを介して自分がＵＬ送信の際に適用できる（前記）特定候補コードブックのうち、少なくとも１つのいずれかのコードブックが実現されているかまたは支援するかを基地局に能力シグナリングするように定義されたり、ＵＥに設定されることができる。そして／または、このように実現／支援されるコードブックが２個以上であるとき、ＵＥは、その中でもＵＥがより選好するコードブックが何であるかを（特定形態で加重値（ｗｅｉｇｈｔｉｎｇ）を付与するふうに細分化された選好度情報を提供することもできる）基地局に知らせることができる。これは、当該ＵＥの前記実現されたアンテナ構成特性に基づくとき、いずれかのコードブックがより適するかが決定され得るし、このように実現／支援されるコードブックのうち、さらに性能の側面で有利な効果を出すコードブックが何であるかと関連した情報を基地局に提供するという効果がある。
【０４４４】
そして、基地局は、このような情報に基づいて、前記ＵＥがＵＬ送信の際に適用するコードブックを設定／指示させる。このとき、端末が実現／支援可能であると能力シグナリングしたコードブックの中では、当該基地局が実現／支援しないコードブックも存在し得る。この場合、基地局は、自分が実現／支援するコードブックだけを（ＵＥが報告した前記コードブック間選好度情報と関係なく）、ＵＥが用いるように設定することもできる。または、基地局も複数のコードブックをＵＥに設定／指示できる能力があるとしても（すなわち、全て実現されているとしても）、当該セルに接続した複数のＵＥのコードブック実現／支援状態、そして／またはコードブック選好度状態などを総合的に考慮して、セル−特定または端末グループ−特定に共通に適用する前記特定コードブックを設定／指示することもできる（例えば、ＵＬ  ＭＵ−ＭＩＭＯ送信などにさらに容易なようにする目的のために）。
【０４４５】
前記特定コードブックをＵＬ送信の際に適用するように基地局が当該端末に設定／指示する方法において、ＲＲＣシグナリング（及び／又はＭＡＣ  ＣＥシグナリング）などによる相対的に準−静的の設定方法も適用可能である。前述したように、特定ＵＬスケジューリンググラントに連動して相対的にさらに動的シグナリング／指示によりいずれかの前記特定コードブックをＵＥに適用させるかを動的に指示することもできる。このような動的指示は、当該ＵＬ  ｇｒａｎｔなど、制御シグナリング内の特定フィールドを介して明示的に及び／又は（特徴フィールド情報と連動して）暗黙的に指示されることができる。
【０４４６】
より特徴的には、前述したように、特定ランク別に連動していずれかのコードブックが適用されるか事前に定義されたり、ＵＥに設定されることもできる。例えば、ランク１  ＵＬ送信をスケジューリングするＵＬ  ｇｒａｎｔが送信されれば、ＵＥは、常にこれに連動された特定コードブック（例えば、コードブック２）を適用してＵＬ送信を開始するように定義されたり、ＵＥに設定されることができる。また、ランクＸ（例えば、Ｘ＞１）ＵＬ送信をスケジューリングするＵＬ  ｇｒａｎｔが送信されれば、ＵＥは、常にこれに連動された特定コードブック（例えば、コードブック１）を適用してＵＬ送信を開始するように定義されたり、ＵＥに設定されることができる。
【０４４７】
したがって、支援されるならば、全体サブバンドＵＬ−ＭＩＭＯプレコーダ（等）は、ＵＬスケジューリンググラント内で直ちに（ｉｎｓｔａｎｔａｎｅｏｕｓｌｙ）ＵＥに提供されることが好ましく、このとき、広帯域成分（ｗｉｄｅｂａｎｄ  ｃｏｍｐｏｎｅｎｔ）は、制御チャネルオーバーヘッド減少のために、一度のみ含まれることができる。
【０４４８】
ＵＬ  ＭＩＭＯのためのプリコーディングされたＳＲＳ基盤送信
【０４４９】
ＵＬリンク適応（ＬＡ：ｌｉｎｋ  ａｄａｐｔａｔｉｏｎ）において、ＬＴＥは、ＵＥがＳＲＳ関連パラメータの相違した複数のセットでＳＲＳを送信するように設定し、ここで、特に、設定されたＳＲＳポート（等）の数がＵＥの総送信（Ｔｘ：ｔｒａｎｓｍｉｔ）アンテナポートより小さいとき、ＵＥは、実現された特定プリコーディング／選択を適用できる。Ｒｅｌ−１３／１４  （ｅ）ＦＤ−ＭＩＭＯ（（ｅｎｈａｎｃｅｄ）  Ｆｕｌｌ  Ｄｉｍｅｎｓｉｏｎ−ＭＩＭＯ）ビームフォーミングされたＣＳＩ−ＲＳ基盤動作と比較するとき、ＵＬ  ＬＡに対するプリコーディング／ビームフォーミングされたＳＲＳ送信は、ＮＲで徹底的に検討されることが好ましい。説明の都合上、次のようにＵＬ  ＬＡプロセスの観点で３つのＵＥクラスが存在し得る：
【０４５０】
１）クラスＢ  ＵＥ（プリコーディングされたＳＲＳ（等）の送信で開始されるＵＬ−ＬＡ）
【０４５１】
・ＵＥは、１つ以上のＳＲＳ資源で設定されることができ、ＴＲＰ（Ｔｒａｎｓｍｉｔ  ａｎｄ  Ｒｅｃｅｐｔｉｏｎ  Ｐｏｉｎｔ）により指示されたビームフォーミングまたはＴＲＰトランスペアレント（ｔｒａｎｓｐａｒｅｎｔ）ビームフォーミングが各ＳＲＳ資源上でのＳＲＳ送信に適用される。
【０４５２】
・ＵＥの送信されたプリコーディングされたＳＲＳ資源（等）の測定に基づいて、ＴＲＰは、ＳＲＳ資源指示子（ＳＲＩ：ＳＲＳ資源指示子）（多重の設定されたＳＲＳ資源等の場合）、ＭＣＳ及び／又はＳＲＩ内のＳＲＳポートにわたって（または、ＳＲＳポート上に）適用されるプレコーダを決定し、ＵＬスケジューリンググラントがＵＥに伝達されるとき、これらをＵＥに指示する。
【０４５３】
２）クラスＡ  ＵＥ（プリコーディングされなかった（ｎｏｎ−ｐｒｅｃｏｄｅｄ）ＳＲＳ（等）の送信で開始されるＵＬ−ＬＡ）
【０４５４】
・ＵＥは、１つのＳＲＳ資源で設定されることができ、ＵＥは、プリコーディングされなかった（ｎｏｎ−ｐｒｅｃｏｄｅｄ）ＳＲＳを送信する。
【０４５５】
・ＵＥの送信されたプリコーディングされなかった（ｎｏｎ−ｐｒｅｃｏｄｅｄ）ＳＲＳポート（等）の測定に基づいて、ＴＲＰは、ＭＣＳ及び／又はＳＲＳポートにわたって（または、ＳＲＳポート上に）適用されるプレコーダを決定し、ＵＬスケジューリンググラントがＵＥに伝達されるとき、これらをＵＥに指示する。
【０４５６】
４−Ｔｘ  ＵＥ及びＣＰ−ＯＦＤＭの場合、上述した二重コードブック構造が周波数−選択的なＵＬ−ＭＩＭＯプレコーダに使用されることができる。
【０４５７】
３）クラスＣ  ＵＥ（プリコーディングされなかった（ｎｏｎ−ｐｒｅｃｏｄｅｄ）ＳＲＳ（等）の送信で開始されるＵＬ−ＬＡ及びＴＲＰの指示によるプリコーディングされたＳＲＳの送信）
【０４５８】
・ＵＥのプリコーディングされなかった（ｎｏｎ−ｐｒｅｃｏｄｅｄ）ＳＲＳ  Ｋ＿１ポート（等）の測定に基づいて、ＴＲＰは、概略的なビームフォーマ（ｃｏａｒｓｅ  ｂｅａｍｆｏｒｍｅｒ）を決定し、これにつながるプリコーディングされたＳＲＳ  Ｋ＿２（≦Ｋ＿１）ポート（等）の送信に適用するようにＵＥに指示する。そして、ＵＥの送信されたプリコーディングされたＳＲＳポート（等）の測定に基づいて、ＴＲＰは、ＭＣＳ及び／又はプレコーダを決定し、ＵＬスケジューリンググラントがＵＥに伝達されるとき、これらを指示する。
【０４５９】
ＵＥにより報告され得る上述した分類されたクラスに基づいて、どの類型のＳＲＳ送信がＵＥにより行われるかを含んで、相違したＵＬ−ＬＡプロセスがＵＥ−特定に設定され得る。プリコーディングされたＳＲＳ送信ケース（例えば、クラスＢ及び／又はクラスＣ）と関連して、複数のＳＲＳ資源がＵＥに設定され得るし、ここで、ＵＥは、それぞれの設定されたＳＲＳ資源上で異なるようにビームフォーミングされたＳＲＳポート（等）を送信する。ＴＲＰは、そういうビームフォーマ情報（ｂｅａｍｆｏｒｍｅｒ  ｉｎｆｏｒｍａｔｉｏｎ）をＵＥに指示することができ、またはＵＥは、ＳＲＳ送信のために、ＴＲＰトランスペアレントビームフォーマ（ｔｒａｎｓｐａｒｅｎｔ  ｂｅａｍｆｏｒｍｅｒ）を適用するように許容されることができる。そして、ＵＬスケジューリンググラントがＵＥに与えられるとき、ＴＲＰは、スケジューリングされたＵＬ送信のために、ＵＥが指示されたＳＲＳ資源に対応するＳＲＳ送信に使用されたことと同一のビームフォーマ（ｂｅａｍｆｏｒｍｅｒ）を適用するようにＳＲＳ資源指示子をＵＥに指示することができる。また、選択されたＳＲＳ資源上で、ＴＲＰは、指示されたＳＲＳ資源内のＳＲＳポート（等）を介してデジタルプリコーディング情報（例えば、ＵＬ  ＰＭＩ）をさらに指示できる。各ＳＲＳ資源に対して設定されたＳＲＳポートの数は、ＵＥのＵＬ送信で目標ランクとして解釈され得ることに注目すべきである。したがって、ＴＲＰは、ランク１ないし４をカバーするために、各ＳＲＳ資源は、互いに異なるランクに相応する多重のＳＲＳ資源を設定できる（例えば、ｖ番目のＳＲＳ資源のために設定されたｖ−ポートＳＲＳ（ここで、ｖ＝１、２、３、４））。
【０４６０】
したがって、ＵＬリンク適応プロセスの側面で互いに異なるＵＥクラスに基づいて、プリコーディングされなかった（ｎｏｎ−ｐｒｅｃｏｄｅｄ）及び／又はプリコーディングされた（ｐｒｅｃｏｄｅｄ）ＳＲＳ送信関連手順がさらに検討される必要がある。
【０４６１】
図１３は、本発明の一実施形態に係る上向きリンク送受信方法を例示する図である。
【０４６２】
図１３では、本発明の動作を簡単に例示したものであり、これについてのより詳細な説明は、上述した動作にしたがうことができる。
【０４６３】
図１３に示すように、ＵＥは、基地局から下向きリンク制御情報（ＤＣＩ）を受信する（Ｓ１３０３）。
【０４６４】
ＤＣＩは、ＳＲＳ資源指示（ＳＲＩ：ＳＲＳ  Ｒｅｓｏｕｒｃｅ  Ｉｎｄｉｃａｔｉｏｎ）、プリコーディング指示（例えば、Ｕ１及び／又はＵ２、またはＴＰＭＩ）、及び／又はランク指示（例えば、ＴＲＩ）を含むことができる。
【０４６５】
例えば、プリコーディング指示は、広帯域属性を有する第１プリコーディング指示（すなわち、Ｕ１）及びサブバンド別に指示される第２プリコーディング指示（Ｕ２）に区分されることができる。このとき、第２プリコーディング指示（Ｕ２）は、ＵＥにスケジューリングされる上向きリンク資源割当情報とジョイントエンコード（ｊｏｉｎｔ  ｅｎｃｏｄｉｎｇ）されて送信されることができる。すなわち、第２プリコーディング指示（Ｕ２）は、ＵＬ  ＲＡフィールドと連動されて共に設定／指示されることができる。
【０４６６】
ＵＥは、ＳＲＩにより選択されたＳＲＳ資源内で送信されたＳＲＳのアンテナポート上にプリコーディング指示により指示されたプリコーディングを適用して基地局に上向きリンクを送信する（Ｓ１３０４）。
【０４６７】
前記上向きリンク送信のためのランク数は、ＤＣＩにより明示的に指示されることができ、または、ＤＣＩ内のＳＲＩにより選択されたＳＲＳ資源内で送信されたＳＲＳのアンテナポートの数に暗黙的に決定されることもできる。
【０４６８】
一方、先のＳ１３０３ステップ以前に、ＵＥは、基地局から下向きリンク参照信号（ＤＬＲＳ）（例えば、ＣＳＩ−ＲＳ等）を受信できる（Ｓ１３０１）。
【０４６９】
また、ＵＥは、ＵＥに設定された１つ以上のＳＲＳ資源別にプリコーディングされたＳＲＳを基地局に送信することができる（Ｓ１３０２）。
【０４７０】
この場合、基地局は、各ＳＲＳ資源に対するＳＲＳ測定を介して最も受信品質が良いＳＲＳ資源を選択し、選択されたＳＲＳ資源内のＳＲＳポート（ｐｏｒｔ）（等）に対してプリコーディング指示（例えば、Ｕ１及び／又はＵ２、またはＴＰＭＩ）を導出してＵＥに指示することができる。
【０４７１】
また、プリコーディングされたＳＲＳ送信のために適用されるビームフォーミングベクトル（ｂｅａｍｆｏｒｍｉｎｇ）及び／又はビームフォーミング係数（ｂｅａｍｆｏｒｍｉｎｇ  ｃｏｅｆｆｉｃｉｅｎｔ）は、制御チャネルシグナリングにより基地局により設定されたり、またはＵＥが任意に決定できる。
【０４７２】
また、ＳＲＳ資源内のプリコーディングされたＳＲＳ送信のために適用されるビームフォーミングベクトル（ｂｅａｍｆｏｒｍｉｎｇ）及び／又はビームフォーミング係数（ｂｅａｍｆｏｒｍｉｎｇ  ｃｏｅｆｆｉｃｉｅｎｔ）は、ＤＬ  ＲＳ（例えば、ＣＳＩ−ＲＳ等）の受信のために用いたビームフォーミングベクトル（ｂｅａｍｆｏｒｍｉｎｇ）及び／又はビームフォーミング係数（ｂｅａｍｆｏｒｍｉｎｇ  ｃｏｅｆｆｉｃｉｅｎｔ）に基づいて決定されることができる。
【０４７３】
より具体的に、基地局が送信するＤＬ  ＲＳをＵＥが測定して、最適の（ｂｅｓｔ）「サービング−ビーム（ｓｅｒｖｉｎｇ−ｂｅａｍ）」を探すことができる（また、これを報告することもできる）。そして、ＵＥは、最適の（ｂｅｓｔ）「サービング−ビーム（ｓｅｒｖｉｎｇ−ｂｅａｍ）」に対する自分の（ペアされた（ｐａｉｒｅｄ））最適の（ｂｅｓｔ）「Ｒｘ−受信−ビーム（Ｒｘ−ｒｅｃｅｉｖｉｎｇ−ｂｅａｍ）」を決定できる。そして、ＵＥは、ＤＬ／ＵＬチャネル互恵性（ｒｅｃｉｐｒｏｃｉｔｙ）特性（または、ビームペアリンク（ｂｅａｍ  ｐａｉｒ  ｌｉｎｋ））を用いて、このような最適の（ｂｅｓｔ）「Ｒｘ−受信−ビーム（Ｒｘ−ｒｅｃｅｉｖｉｎｇ−ｂｅａｍ）」を逆に（例えば、エルミート（Ｈｅｒｍｉｔｉａｎ）を取って）自分のｐｒｅｃｏｄｅｄ／ｂｅａｍｆｏｒｍｅｄ  ＳＲＳ送信の際、当該ビームフォーミングベクトル／係数（等）を適用してｐｒｅｃｏｄｅｄ  ＳＲＳを送信できる。すなわち、ｐｒｅｃｏｄｅｄ  ＳＲＳ送信は、特定ＤＬ  ＲＳ（例えば、最適の（ｂｅｓｔ）「サービング−ビーム（ｓｅｒｖｉｎｇ−ｂｅａｍ）」）の受信のために使用された空間的フィルタリング（ｓｐａｔｉａｌ  ｆｉｌｔｅｒｉｎｇ）と同一のｓｐａｔｉａｌ  ｆｉｌｔｅｒｉｎｇで行われることができる。
【０４７４】
仮に、ＤＬ−ＲＳがＣＳＩ−ＲＳである場合、プリコーディングされたＳＲＳ送信のために適用されるビームフォーミングベクトル（ｂｅａｍｆｏｒｍｉｎｇ）及び／又はビームフォーミング係数（ｂｅａｍｆｏｒｍｉｎｇ  ｃｏｅｆｆｉｃｉｅｎｔ）を決定するために用いられるＣＳＩ−ＲＳ資源は、基地局により指示されることができる。
【０４７５】
また、ＵＥがＳＲＳ資源内で行われるプリコーディングＳＲＳ送信は、サブバンド別に独立的に行われることができる。
【０４７６】
例えば、ＳＲＳ資源内でプリコーディングされたＳＲＳ送信のために、各サブバンド別に独立的なビームフォーミングベクトル（ｂｅａｍｆｏｒｍｉｎｇ）及び／又はビームフォーミング係数（ｂｅａｍｆｏｒｍｉｎｇ  ｃｏｅｆｆｉｃｉｅｎｔ）が適用され得る。
【０４７７】
また、ＳＲＳ資源内のサブバンド別にプリコーディングされたＳＲＳ送信のために適用されるビームフォーミングベクトル（ｂｅａｍｆｏｒｍｉｎｇ）及び／又はビームフォーミング係数（ｂｅａｍｆｏｒｍｉｎｇ  ｃｏｅｆｆｉｃｉｅｎｔ）は、ＤＬ  ＲＳ（例えば、ＣＳＩ−ＲＳ等）の受信のために用いたビームフォーミングベクトル（ｂｅａｍｆｏｒｍｉｎｇ）及び／又はビームフォーミング係数（ｂｅａｍｆｏｒｍｉｎｇ  ｃｏｅｆｆｉｃｉｅｎｔ）に基づいて決定されることができる。
【０４７８】
より具体的に、基地局が送信するＤＬ  ＲＳをＵＥが測定して、最適の（ｂｅｓｔ）「サービング−ビーム（ｓｅｒｖｉｎｇ−ｂｅａｍ）」を探すことができる（また、これを報告することもできる）。そして、ＵＥは、最適の（ｂｅｓｔ）「サービング−ビーム（ｓｅｒｖｉｎｇ−ｂｅａｍ）」に対する自分の（ペアされた（ｐａｉｒｅｄ））最適の（ｂｅｓｔ）「Ｒｘ−受信−ビーム（Ｒｘ−ｒｅｃｅｉｖｉｎｇ−ｂｅａｍ）」を決定できる。そして、ＵＥは、ＤＬ／ＵＬチャネル互恵性（ｒｅｃｉｐｒｏｃｉｔｙ）特性（または、ビームペアリンク（ｂｅａｍ  ｐａｉｒ  ｌｉｎｋ））を用いて、このような最適の（ｂｅｓｔ）「Ｒｘ−受信−ビーム（Ｒｘ−ｒｅｃｅｉｖｉｎｇ−ｂｅａｍ）」を逆に（例えば、エルミート（Ｈｅｒｍｉｔｉａｎ）を取って）自分のｐｒｅｃｏｄｅｄ／ｂｅａｍｆｏｒｍｅｄ  ＳＲＳ送信の際、当該ビームフォーミングベクトル／係数（等）を適用して、各サブバンド別にｐｒｅｃｏｄｅｄ  ＳＲＳを送信できる。すなわち、特定サブバンドでｐｒｅｃｏｄｅｄ  ＳＲＳ送信は、特定ＤＬ  ＲＳ（例えば、最適の（ｂｅｓｔ）「サービング−ビーム（ｓｅｒｖｉｎｇ−ｂｅａｍ）」）の受信のために使用された空間的フィルタリング（ｓｐａｔｉａｌ  ｆｉｌｔｅｒｉｎｇ）と同一のｓｐａｔｉａｌ  ｆｉｌｔｅｒｉｎｇで行われることができる。
【０４７９】
この場合、仮に、ＤＬ−ＲＳがＣＳＩ−ＲＳである場合、プリコーディングされたＳＲＳ送信のために適用されるビームフォーミングベクトル（ｂｅａｍｆｏｒｍｉｎｇ）及び／又はビームフォーミング係数（ｂｅａｍｆｏｒｍｉｎｇ  ｃｏｅｆｆｉｃｉｅｎｔ）を決定するために用いられるＣＳＩ−ＲＳ資源は、基地局により指示されることができる。
【０４８０】
ＮＲ  ＵＬ／ＤＬ  ＭＩＭＯのために、次のような技術が議論されている。
【０４８１】
次のような下向きリンクの第１階層（Ｌ１：Ｌａｙｅｒ  １）／第２階層（Ｌ２：Ｌａｙｅｒ  ２）ビーム管理手順が１つ以上の送受信ポイント（ＴＲＰ：Ｔｒａｎｓｍｉｓｓｉｏｎ／Ｒｅｃｅｐｔｉｏｎ  Ｐｏｉｎｔ）内で支援される：
【０４８２】
・Ｐ−１は、ＴＲＰ  Ｔｘ（Ｔｒａｎｓｍｉｓｓｉｏｎ）ビーム（等）／ＵＥ  Ｒｘ（Ｒｅｃｅｐｔｉｏｎ）ビーム（等）の選択を支援するために、互いに異なるＴＲＰ  Ｔｘビーム上でＵＥ測定を可能なようにするために使用される。
【０４８３】
ＴＲＰでビームフォーミングのために、Ｐ−１は、互いに異なるビーム等のセットからＴＲＰ内（ｉｎｔｒａ  ＴＲＰ）／ＴＲＰ間（ｉｎｔｅｒ  ＴＲＰ）Ｔｘビームスウィップ（ｓｗｅｅｐ）を含む。
【０４８４】
ＵＥでビームフォーミングのために、Ｐ−１は、互いに異なるビーム等のセットからＵＥ  Ｒｘビームスウィップ（ｓｗｅｅｐ）を含む。
【０４８５】
ＴＲＰ  Ｔｘビーム及びＵＥ  Ｒｘビームは、結合して（ｊｏｉｎｔｌｙ）または連続して（ｓｅｑｕｅｎｔｉａｌｌｙ）決定されることができる。
【０４８６】
・Ｐ−２は、ｉｎｔｅｒ／ｉｎｔｒａ−ＴＲＰ  Ｔｘビーム（等）を変更可能なように互いに異なるＴＲＰ  Ｔｘビーム上でＵＥ測定を可能なようにするために使用される。
【０４８７】
ビーム補正（ｂｅａｍ  ｒｅｆｉｎｅｍｅｎｔ）のために、可能なＰ−１より小さいビーム等のセットが使用され得る。
【０４８８】
Ｐ−２は、Ｐ−１の特殊な場合とみなすことができる。
【０４８９】
・Ｐ−３は、ＵＥがビームフォーミングを使用する場合、ＵＥ  Ｒｘビームの変更のために、同じＴＲＰ  Ｔｘビーム上でＵＥ測定を可能なようにするために使用される。
【０４９０】
Ｉｎｔｒａ−ＴＲＰビーム測定とｉｎｔｅｒ−ＴＲＰビーム測定とが同じ手順で行われることができる。ＵＥは、Ｉｎｔｒａ−ＴＲＰビームであるか、ｉｎｔｅｒ−ＴＲＰビームであるか分からないことがある。
【０４９１】
Ｐ−２及びＰ−３の手順は、結合して（ｊｏｉｎｔｌｙ）及び／又は複数回（ｍｕｌｔｉｐｌｅ  ｔｉｍｅｓ）行われることができる（例えば、ＴＲＰ  Ｔｘ／ＵＥ  Ｒｘビームは、同時に変更されることができる）。
【０４９２】
ＵＥは、多重のＴｘ／Ｒｘビームペア（ｐａｉｒ）を管理できる。
【０４９３】
ビーム管理手順内でさらに他のキャリアから補助情報（ａｓｓｉｓｔａｎｃｅ  ｉｎｆｏｒｍａｔｉｏｎ）が議論中である。
【０４９４】
上述した手順は、いかなる周波数バンド（ｆｒｅｑｕｅｎｃｙ  ｂａｎｄ）でも適用されることができる。また、上述した手順は、ＴＲＰ別に単一／多重のビーム（等）に使用されることができる。
【０４９５】
・上向きリンクビーム管理が新しい無線アクセス技術（ＮＲ：Ｎｅｗ  ＲＡＴ（Ｒａｄｉｏ  Ａｃｃｅｓｓ  Ｔｅｃｈｎｏｌｏｇｙ））で議論される。
【０４９６】
下向きリンクビーム管理と類似した手順が定義され得る。例えば、次のとおりである：
【０４９７】
Ｕ−１は、ＵＥ  Ｔｘビーム（等）／ＴＲＰ  Ｒｘビーム（等）の選択を支援するために、互いに異なるＵＥ  Ｔｘビーム上でＴＲＰ測定を可能なようにするために用いられる。
【０４９８】
これは、全ての場合に必須的に使用されないことがある。
【０４９９】
Ｕ−２は、ｉｎｔｅｒ／ｉｎｔｒａ−ＴＲＰ  Ｒｘビーム（等）を変更／選択するために、互いに異なるＴＲＰ  Ｒｘビーム上でＴＲＰ測定を可能なようにするために用いられる。
【０５００】
Ｕ−３は、ＵＥがビームフォーミングを用いる場合、ＵＥ  Ｔｘビームを変更するために、同じＴＲＰ  Ｒｘビーム上でＴＲＰ測定を可能なようにするために用いられる。
【０５０１】
・Ｔｘ／Ｒｘビーム連関（ｃｏｒｒｅｓｐｏｎｄｅｎｃｅ）と関連した情報が支援される。
【０５０２】
・上向きリンクビーム管理は、次に基づいて議論される：
【０５０３】
物理ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）
【０５０４】
サウンディング参照信号（ＳＲＳ：Ｓｏｕｎｄｉｎｇ  Ｒｅｆｅｒｅｎｃｅ  Ｓｉｇｎａｌ）
【０５０５】
復調参照信号（ＤＭ−ＲＳ：Ｄｅｍｏｄｕｌａｔｉｏｎ  Ｒｅｆｅｒｅｎｃｅ  Ｓｉｇｎａｌ）
【０５０６】
他のチャネル及び参照信号も排除されない。
【０５０７】
・Ｔｘ／Ｒｘビーム連関（ｃｏｒｒｅｓｐｏｎｄｅｎｃｅ）を考慮して上向きリンクビーム管理手順が議論される：
【０５０８】
ＴＲＰとＵＥがＴｘ／Ｒｘビーム連関（ｃｏｒｒｅｓｐｏｎｄｅｎｃｅ）を有する場合
【０５０９】
ＴＲＰがＴｘ／Ｒｘビーム連関（ｃｏｒｒｅｓｐｏｎｄｅｎｃｅ）を有さず、そして／または、ＵＥがＴｘ／Ｒｘビーム連関（ｃｏｒｒｅｓｐｏｎｄｅｎｃｅ）を有さない場合
【０５１０】
・ＣＳＩ−ＲＳは、下向きリンクＴｘビームスイーピング（ｓｗｅｅｐｉｎｇ）及びＵＥ  Ｒｘビームスイーピング（ｓｗｅｅｐｉｎｇ）を支援する。
【０５１１】
ＣＳＩ−ＲＳは、Ｐ１、Ｐ２、Ｐ３で使用されることができる。
【０５１２】
・ＮＲ  ＣＳＩ−ＲＳは、次のようなマッピング構造を支援する。
【０５１３】
Ｎ＿Ｐ  ＣＳＩ−ＲＳポート（等）が（サブ）時間ユニット別にマッピングされ得る。
【０５１４】
（サブ）時間ユニットにわたって、同じＣＳＩ−ＲＳアンテナポートがマッピングされ得る。
【０５１５】
ここで、「時間ユニット」は、設定された／参照ヌメロロジー（ｎｕｍｅｒｏｌｏｇｙ）内でＮ＞＝１  ＯＦＤＭシンボルで表すことができる。
【０５１６】
１つの時間ユニットを構成するＯＦＤＭシンボルは、連続的であることもあり、そうでないこともある。
【０５１７】
ポート多重化方法（例えば、ＦＤＭ（Ｆｒｅｑｕｅｎｃｙ  Ｄｉｖｉｓｉｏｎ  Ｍｕｌｔｉｐｌｅｘｉｎｇ）、ＴＤＭ（Ｔｉｍｅ  Ｄｉｖｉｓｉｏｎ  Ｍｕｌｔｉｐｌｅｘｉｎｇ）、ＣＤＭ（Ｃｏｄｅ  Ｄｉｖｉｓｉｏｎ  Ｍｕｌｔｉｐｌｅｘｉｎｇ）、さらに他の結合）が利用され得る。
【０５１８】
各時間ユニットは、サブ−時間ユニットに分割されることができる。
【０５１９】
分割方法は、例えば、ＴＤＭ、ＩＦＤＭＡ（Ｉｎｔｅｒｌｅａｖｅｄ  Ｆｒｅｑｕｅｎｃｙ  Ｄｉｖｉｓｉｏｎ  Ｍｕｌｔｉｐｌｅ  Ａｃｃｅｓｓ、参照ＯＦＤＭシンボル長さと同一であるか、またはより短いＯＦＤＭシンボル長さ（すなわち、サブキャリアスペーシング（ｓｐａｃｉｎｇ）よりさらに大きいサブキャリアスペーシング（ｓｐａｃｉｎｇ））へのＯＦＤＭシンボル−レベル分割が利用され得るし、また、他の方法が排除されない。
【０５２０】
このようなマッピング構造は、多重パネル（ｐａｎｅｌ）／Ｔｘチェーン（ｃｈａｉｎ）を支援するために使用されることができる。
【０５２１】
Ｔｘ及びＲｘビームスイーピング（ｓｗｅｅｐｉｎｇ）のためのＣＳＩ−ＲＳマッピングオプションは、次のとおりである。
【０５２２】
オプション１：Ｔｘビーム（等）は、各時間ユニット内でサブ−時間ユニットにわたって同一である。Ｔｘビーム（等）は、時間ユニット別に相違する。
【０５２３】
オプション２：Ｔｘビーム（等）は、各時間ユニット内のサブ−時間ユニット別に相違する。Ｔｘビーム（等）は、時間ユニットにわたって同一である。
【０５２４】
オプション３（オプション１とオプション２の結合）：１つの時間ユニット内で、Ｔｘビーム（等）は、サブ−時間ユニットにわたって同一である。さらに他の時間ユニット内で、Ｔｘビーム（等）は、サブ−時間ユニット別に相違する。
【０５２５】
Ｔｘスイーピング（ｓｗｅｅｐｉｎｇ）またはＲｘスイーピング（ｓｗｅｅｐｉｎｇ）のみが可能でありうる。
【０５２６】
さらに他のオプションが排除されない。
【０５２７】
上述したマッピング構造が１つまたは多重のＣＳＩ−ＲＳ資源構成（ｃｏｎｆｉｇｕｒａｔｉｏｎ）で設定されることがあり、そうでないこともある。
【０５２８】
ビーム管理（ｂｅａｍ  ｍａｎａｇｅｍｅｎｔ）のための多重ＳＲＳ資源タイプ
【０５２９】
・先に議論／言及したクラスＡ、Ｂ、またはＣ  ＵＬ−ＬＡ  ＵＥｓなどを区分するために及び／又は当該連関動作のために設定される特定ＳＲＳ資源を「タイプ１  ＳＲＳ資源（Ｔｙｐｅ  １  ＳＲＳ  ｒｅｓｏｕｒｃｅ）」に分類／区分することができる。これは、ＵＬデータスケジューリングのために、早いリンク適応を達成するために設定され得るとみなすことができる（特徴付けられることができる）。
【０５３０】
Ｔｙｐｅ  １  ＳＲＳ  ｒｅｓｏｕｒｃｅ内に１つあるいはそれ以上の「ＳＲＳポート（等）のセット（ｓｅｔ  ｏｆ  ＳＲＳ  ｐｏｒｔ（ｓ））」が設定され得る。
【０５３１】
このとき、このような特定Ｔｙｐｅ  １  ＳＲＳ  ｒｅｓｏｕｒｃｅ内に設定される「ＳＲＳポート（等）のセット（ｓｅｔ  ｏｆ  ＳＲＳ  ｐｏｒｔ（ｓ））」は、例えば、特定アナログビーム（ａｎａｌｏｇ  ｂｅａｍ）方向が共通に適用されるが、各ＳＲＳポート別に相違した特定デジタルビーム（ｄｉｇｉｔａｌ  ｂｅａｍ）方向が適用されるように「プリコーディングされたＳＲＳポート（ｐｒｅｃｏｄｅｄ  ＳＲＳ  ｐｏｒｔ）」形態で送信されることもできる（例えば、上述したクラスＢ  ＵＥ関連動作と解釈可能）。また、特定Ｔｙｐｅ  １  ＳＲＳ  ｒｅｓｏｕｒｃｅ内に設定される「ＳＲＳポート（等）のセット（ｓｅｔ  ｏｆ  ＳＲＳ  ｐｏｒｔ（ｓ））」は、各ＳＲＳポート別に追加的なｄｉｇｉｔａｌ  ｂｅａｍ方向を適用せずに、既に共通に適用される特定ａｎａｌｏｇ  ｂｅａｍ方向のみが適用された状態で送信されることもできる（例えば、上述したＣｌａｓｓ  Ａ  ＵＥ関連動作と解釈可能）。
【０５３２】
・上述した「Ｔｙｐｅ  １  ＳＲＳ  ｒｅｓｏｕｒｃｅ」と分離／区別される「タイプ  ２  ＳＲＳ資源（Ｔｙｐｅ  ２  ＳＲＳ  ｒｅｓｏｕｒｃｅ）」が定義されたり、ＵＥに設定されることができる。「Ｔｙｐｅ  ２  ＳＲＳ  ｒｅｓｏｕｒｃｅ」は、ＵＬ  ｂｅａｍ  ｍａｎａｇｅｍｅｎｔのために、例えば、特定選好された（ａｎａｌｏｇ）（Ｔｘ／Ｒｘ）ｂｅａｍ方向を決定／変更／設定／指示するための用途に設定されることとみなすことができる（特徴付けられることができる）。
【０５３３】
このとき、このようなＴｙｐｅ  ２  ＳＲＳ  ｒｅｓｏｕｒｃｅも１つあるいはそれ以上がＵＥに設定されることもできる。この場合、ＵＥは、いくつの（Ｔｙｐｅ  ２）  ＳＲＳ  ｒｅｓｏｕｒｃｅｓを同時に設定され得るかに関する能力（ｃａｐａｂｉｌｉｔｙ）をＵＥ能力シグナリング（ＵＥ  ｃａｐａｂｉｌｉｔｙ  ｓｉｇｎａｌｉｎｇ）などで（初期接続時に）基地局に知らせることができる。これを受信した基地局は、これを違反しない個数に設定を提供することが好ましい。
【０５３４】
１つのＴｙｐｅ  ２  ＳＲＳ  ｒｅｓｏｕｒｃｅ内の１つあるいはそれ以上のＳＲＳポート（等）が設定され得る。ＵＥは、各（Ｔｙｐｅ  ２）  ＳＲＳ  ｒｅｓｏｕｒｃｅ当り（そして／または（Ｔｙｐｅ  ２）  ＳＲＳ  ｒｅｓｏｕｒｃｅ別に）いくつのＳＲＳポート（等）まで設定され得るか能力（例えば、最大値）をＵＥ  ｃａｐａｂｉｌｉｔｙ  ｓｉｇｎａｌｉｎｇなどで（初期接続時）基地局に知らせることができる。そして、これを受信した基地局は、これを違反しない個数に設定を提供することが好ましい。そして／または、前記設定される（全ての）多重の（Ｔｙｐｅ  ２）  ＳＲＳ  ｒｅｓｏｕｒｃｅｓにわたって最大支援される総ＳＲＳポートの個数に対するｃａｐａｂｉｌｉｔｙをＵＥ  ｃａｐａｂｉｌｉｔｙ  ｓｉｇｎａｌｉｎｇなどで（初期接続時）基地局に知らせることができる。これを受信した基地局は、これを違反しない個数に設定を提供することが好ましい。このとき、このようなｃａｐａｂｉｌｉｔｙ  ｓｉｇｎａｌｉｎｇは、各（Ｔｙｐｅ  ２）  ＳＲＳ  ｒｅｓｏｕｒｃｅ別に最大支援される総ＳＲＳポートの個数に関するパラメータを各々独立的に全て基地局に知らせる形態（例えば、ジョイントエンコード（ｊｏｉｎｔ  ｅｎｃｏｄｉｎｇ）形態）で定義されたり、ＵＥに設定されることができる。
【０５３５】
上述したＵＥ  ｃａｐａｂｉｌｉｔｙ  ｓｉｇｎａｌｉｎｇ等を介して、（Ｔｙｐｅ  ２  ＳＲＳ  ｒｅｓｏｕｒｃｅに関する場合）ＵＥは、自分が実現した／支援可能なＵＬ  ｂｅａｍ  ｍａｎａｇｅｍｅｎｔ動作のために１つの時点に共に送信できる（ａｎａｌｏｇ）ｂｅａｍ個数（例えば、ＵＥで実現されたＴＸＲＵの個数によって）関連情報を基地局に提供することができる。したがって、それ以上のＵＬ  ｂｅａｍ  ｍａｎａｇｅｍｅｎｔ手順は、動作が不可なので、基地局は、これに基づいて、いくつかのＵＥ等のこのようなｃａｐａｂｉｌｉｔｙ報告情報を考慮して、適切な（Ｔｙｐｅ  ２）  ＳＲＳ資源（等）／ポート（等）の設定を決定してＵＥに提供できるという長所／効果を有する。
【０５３６】
各設定される（Ｔｙｐｅ  ２）  ＳＲＳ  ｒｅｓｏｕｒｃｅは、細部設定パラメータとして（例えば、ＲＲＣシグナリング及び／又はＬ２（例えば、ＭＡＣ制御要素（ＣＥ：Ｃｏｎｔｒｏｌ  Ｅｌｅｍｅｎｔ））ｓｉｇｎａｌｉｎｇ及び／又はＬ１（例えば、ＤＣＩ）ｓｉｇｎａｌｉｎｇを介して）ＵＥは、周期的に設定されたＳＲＳポート（ｐｏｒｔ）（等）のセットを送信するように動作が限定され得る。または、ＵＥは、または非周期的に（Ｌ１  ｓｉｇｎａｌｉｎｇ（ＤＣＩによる）により）トリガリングされた場合、「オン−デマンド（ｏｎ−ｄｅｍａｎｄ）」方式でＳＲＳポート（等）のセットを送信するように動作が限定されることもできる。
【０５３７】
または、このような周期的な（Ｔｙｐｅ  ２）  ＳＲＳ  ｒｅｓｏｕｒｃｅ及び非周期的な（Ｔｙｐｅ  ２）  ＳＲＳ  ｒｅｓｏｕｒｃｅが混合されて、１つのＵＥに設定されることもできる。これは、最も高い設定柔軟性（ｆｌｅｘｉｂｉｌｉｔｙ）を有することができるという長所がある。このとき、これが可能であるか否かが特定ＵＥ  ｃａｐａｂｉｌｉｔｙ  ｓｉｇｎａｌｉｎｇ等を介して基地局に事前に情報が伝達され得る。また、その他のＳＲＳシーケンス生成パラメータ（等）（ＳＲＳ  ｓｅｑｕｅｎｃｅ  ｇｅｎｅｒａｔｉｎｇ  ｐａｒａｍｅｔｅｒ（ｓ））、ＳＲＳ送信ＲＥパターン情報（ＳＲＳ  ｔｒａｎｓｍｉｔ  ＲＥ  ｐａｔｔｅｒｎ  ｉｎｆｏｒｍａｔｉｏｎ）、コーム−タイプ関連情報（ｃｏｍｂ−ｔｙｐｅ  ｒｅｌａｔｅｄ  ｉｎｆｏｒｍａｔｉｏｎ）、ホッピング関連情報（ｈｏｐｐｉｎｇ  ｒｅｌａｔｅｄ  ｉｎｆｏｒｍａｔｉｏｎ）などのうち、少なくとも１つが各（Ｔｙｐｅ  ２）  ＳＲＳ  ｒｅｓｏｕｒｃｅ別に（独立的に）設定されることができる。
【０５３８】
例えば、１つの（Ｔｙｐｅ  ２）  ＳＲＳ  ｒｅｓｏｕｒｃｅが単一の（ＯＦＤＭ）シンボルで構成されれば（例えば、周期的な設定によることができ、または、非周期的な設定によることもできる）、ＵＥは、当該送信時点に端末のパネル（ｐａｎｅｌ）またはＴＸＲＵ個数と同一の個数だけの（ａｎａｌｏｇ）ｂｅａｍを送信できる。このとき、基地局の受信ビームスキャニング（ｂｅａｍ  ｓｃａｎｎｉｎｇ）のために、ＵＥは、ＳＲＳを多重（ＯＦＤＭ）シンボル（または、特定サブ−時間ユニット）で繰り返して送信するように設定されることもできる。
【０５３９】
・つまり、上記の提案された内容のうち、少なくとも１つが適用された状況を仮定すれば、例えば、ＵＥは、Ｔｙｐｅ  １  ＳＲＳ  ｒｅｓｏｕｒｃｅｓ  ＃１、＃２、＃３、及びＴｙｐｅ  ２  ＳＲＳ  ｒｅｓｏｕｒｃｅｓ  ＃１、＃２、＃３、＃４が設定された状態を仮定できる（すなわち、合計７個のＳＲＳ  ｒｅｓｏｕｒｃｅｓが混合設定される）。
【０５４０】
このとき、ＵＥが１つのＳＲＳ  ｒｅｓｏｕｒｃｅで同じ特定（ａｎａｌｏｇ）ｂｅａｍが適用されたＳＲＳポート（等）を送信するか、または相違した特定（ａｎａｌｏｇ）ｂｅａｍが適用されたＳＲＳポート（等）を送信するか（いかなるタイプのＳＲＳ  ｒｅｓｏｕｒｃｅがＵＥに設定されるか連係して）定義されたり、または基地局により指示（設定）されることができる。
【０５４１】
ＵＥが１つのＳＲＳ  ｒｅｓｏｕｒｃｅで同じ特定（ａｎａｌｏｇ）ｂｅａｍが適用されたＳＲＳポート（等）を送信するように定義／設定される場合、ＵＥは、Ｔｙｐｅ  １  ＳＲＳ  ｒｅｓｏｕｒｃｅ（または、このようなＳＲＳ  ｒｅｓｏｕｒｃｅが前記「Ｔｙｐｅ  ２  ＳＲＳ  ｒｅｓｏｕｒｃｅ」形態で設定されることができ、特定タイプに区分されなかった特定ＳＲＳ  ｒｅｓｏｕｒｃｅでありうる）が設定された場合に該当し得る。特徴的なことは、このような特定単一ＳＲＳ  ｒｅｓｏｕｒｃｅの送信を介してＵＬ  ｂｅａｍ  ｍａｎａｇｅｍｅｎｔと前記「Ｔｙｐｅ  １  ＳＲＳ」関連動作であるＵＬ  ＣＳＩ取得動作が同時に行われ得るという特徴を有する（例えば、同じビームが複数ポートに適用されたので、基地局でＵＬ  ＣＳＩ導出が可能である））。
【０５４２】
それに対し、ＵＥが１つのＳＲＳ  ｒｅｓｏｕｒｃｅで相違した特定（ａｎａｌｏｇ）ｂｅａｍが適用されたＳＲＳポート（等）を送信するように定義／設定される場合、ＵＥは、Ｔｙｐｅ  ２  ＳＲＳ  ｒｅｓｏｕｒｃｅが設定された場合に該当し得る。
【０５４３】
ここで、「特定」（ａｎａｌｏｇ）ｂｅａｍであることは、基地局が直接指示する特定ｂｅａｍを適用する形態に限定されることができる。例えば、Ｔｙｐｅ  １  ＳＲＳ  ｒｅｓｏｕｒｃｅの場合、特定の他のＴｙｐｅ  ２  ＳＲＳ  ｒｅｓｏｕｒｃｅ内の特定ＳＲＳポートインデックスを基地局がＵＥに指示できる。すなわち、当該ＳＲＳポートインデックスに適用された（ａｎａｌｏｇ）ｂｅａｍをそのまま適用してほしいとの形態で明示的に指示される方式が定義されたり、ＵＥに設定されることができる。あるいは、基地局が直接的に特定（ａｎａｌｏｇ）ｂｅａｍインデックスをＵＥに指示する方式も適用されることができる。この場合、ＵＥは、プリコーディングされたＳＲＳ資源上でＳＲＳを送信するとき、ＳＲＳ（例えば、Ｔｙｐｅ  １  ＳＲＳ）は、基地局により指示された他のＳＲＳ（例えば、Ｔｙｐｅ  ２  ＳＲＳ）に適用されたプリコーディング（すなわち、当該ＳＲＳ上で計算されたプレコーダ）に基づいて送信することができる。
【０５４４】
そして／または、「特定」（ａｎａｌｏｇ）ｂｅａｍであることは、基地局−トランスペアレント（ｔｒａｎｓｐａｒｅｎｔ）にＵＥが任意に特定ｂｅａｍを適用できるようにし、前記説明のように、Ｔｙｐｅ  ２  ＳＲＳ  ｒｅｓｏｕｒｃｅの場合は、当該ｒｅｓｏｕｒｃｅ内のＳＲＳポート間には他の領域をカバーする「相違した特定（ａｎａｌｏｇ）ｂｅａｍ」を適用しなければならないと限定されることができる。
【０５４５】
また、ここで、前記「特定１つの設定されたＳＲＳ  ｒｅｓｏｕｒｃｅで同じ特定（ａｎａｌｏｇ）ｂｅａｍが適用されたＳＲＳポート（等）を送信するように」定義または設定される場合に関して、下記のように、このような動作の適用条件がより具体化され得る。
【０５４６】
例えば、「特定１つの設定されたＳＲＳ  ｒｅｓｏｕｒｃｅで少なくとも同一時間時点（ｔｉｍｅ  ｉｎｓｔａｎｃｅ）（例えば、同一（ＯＦＤＭ）シンボル）で送信される多重ＳＲＳポートに対しては、同じ特定（ａｎａｌｏｇ）Ｔｘ  ｂｅａｍを適用しなければならない」というＵＥの動作が定義されたり、設定されることができる。これは、少なくともＵＬ−ＭＩＭＯリンク適応（ＣＳＩ取得）用途のために、このように設定される場合があるので、このときには、同じ特定（ａｎａｌｏｇ）Ｔｘ  ｂｅａｍを多重の設定されたＳＲＳポートらに対して適用するように定義または設定することを意味する。これは、上記のように、同一時間時点（ｔｉｍｅ  ｉｎｓｔａｎｃｅ）（例えば、同一（ＯＦＤＭ）シンボル）で送信される多重のＳＲＳポートに対してのみ限定されることができる（すなわち、当該ＳＲＳ  ｒｅｓｏｕｒｃｅで設定される特定ＳＲＳポート（等）が他の時間時点（ｔｉｍｅ  ｉｎｓｔａｎｃｅ）に送信されるときには（一斉に）、さらに他の（ａｎａｌｏｇ）Ｔｘ  ｂｅａｍを適用するように許容／設定されることもできることを意味できる。また、このような動作の許容可否自体も基地局設定にしたがうこともできる）。
【０５４７】
このような定義／設定（等）だけを単一に定義することにより、ＵＬ−ＭＩＭＯ関連動作が様々に適用／活用されることもできる。すなわち、前記Ｔｙｐｅ  ２  ＳＲＳ  ｒｅｓｏｕｒｃｅなどのような用途として、ＵＬ  ｂｅａｍ  ｍａｎａｇｅｍｅｎｔ用途としてＳＲＳ資源（または、ＳＲＳポート（等））を設定することを所望の場合、例えば、単一ポート（または、少数のポート）が設定された複数のＳＲＳ  ｒｅｓｏｕｒｃｅｓを設定する方式が適用され得るためである（すなわち、ＳＲＳ  ｒｅｓｏｕｒｃｅ間には、ＵＥが相違した（ａｎａｌｏｇ）  Ｔｘ  ｂｅａｍを適用できるので、これによってｂｅａｍ  ｍａｎａｇｅｍｅｎｔ動作を実現させることができる）。
【０５４８】
これにより、本発明では、次のような動作を提案する。
【０５４９】
ＮＲ  ＵＬにおいて、ＳＲＳは、ＵＥ  Ｔｘビームスイーピング（ｓｗｅｅｐｉｎｇ）及び／又はＴＲＰ  Ｒｘビームスイーピング（ｓｗｅｅｐｉｎｇ）を支援する：
【０５５０】
・ＵＥは、ＳＲＳ資源当り、ポート別に相違したＵＥ  Ｔｘビームで設定されることができる（例えば、Ｕ−２のために）。また、ＵＥは、ＳＲＳ資源当り、ポートにわたって同じＵＥ  Ｔｘビームで設定されることができる（例えば、Ｕ−３のために）。
【０５５１】
・ｇＮＢは、ＵＥのために選択されたＳＲＳポート／資源を指示できる。
【０５５２】
また、本発明では、次のような動作を提案する。
【０５５３】
上向きリンクＣＳＩ取得のために、ＵＥは、多重のＳＲＳ資源が設定され得る。
【０５５４】
・ＵＥは、設定されたＳＲＳ資源内のＳＲＳポートを送信するように設定されることができる。ここで、少なくとも次のような２つのオプションが使用され得る：
【０５５５】
オプション１：ＵＥは、ｇＮＢ−トランスペアレント（ｔｒａｎｓｐａｒｅｎｔ）プレコーダを適用する（例えば、ＵＥは、各ＳＲＳポートでＴｘビームを決定する）。
【０５５６】
オプション２：ＵＥは、ｇＮＢ指示によってプレコーダを適用する（例えば、各ＳＲＳポートのためのＴｘビームがｇＮＢにより指示される）。
【０５５７】
・ｇＮＢは、指示されたＳＲＳ資源の同じアンテナポート上でＵＥが上向きリンクデータを送信するための選択されたＳＲＳ資源を指示できる。
【０５５８】
データ送信のためのＰＭＩ（スケジューリンググラント（ｇｒａｎｔ）内で指示されるならば）がさらにアンテナポートにわたって適用されることができる。
【０５５９】
また、本発明では、次のような動作を提案する。
【０５６０】
上向きリンクＣＳＩ取得のために、ＵＥは、多重のＳＲＳ資源が設定され得る。
【０５６１】
・ＵＥは、設定されたＳＲＳ資源内のＳＲＳポートを送信するように設定されることができる。ここで、少なくとも次のような代案のうち、１つが使用され得る：
【０５６２】
代案１：ＵＥは、ｇＮＢ−トランスペアレント（ｔｒａｎｓｐａｒｅｎｔ）プレコーダを適用する（例えば、ＵＥは、各ＳＲＳポートでＴｘビームを決定する）。
【０５６３】
代案２：ＵＥは、ｇＮＢ指示によってプレコーダを適用する（例えば、各ＳＲＳポートのためのＴｘビームがｇＮＢにより指示される）。
【０５６４】
代案３：代案１と代案２の結合（例えば、ｇＮＢは、プレコーダのセットを指示し、ＵＥは、プレコーダのサブセットを決定する）。
【０５６５】
・ｇＮＢは、指示されたＳＲＳ資源の同じアンテナポート上でＵＥが上向きリンクデータを送信するための選択されたＳＲＳ資源を指示できる。
【０５６６】
データ送信のためのＰＭＩ（スケジューリンググラント（ｇｒａｎｔ）内で指示されるならば）がさらにアンテナポートにわたって適用されることができる。
【０５６７】
・上述したように、ＵＥは、ＳＲＳ資源の周期的な（ｐｅｒｉｏｄｉｃ）タイプが設定されれば、周期的な（ｐｅｒｉｏｄｉｃ）ＳＲＳ送信を行うことができる。周期的な（ｐｅｒｉｏｄｉｃ）ＳＲＳ送信のために、ＵＥは、最大Ｎ個のＳＲＳ  ｒｅｓｏｕｒｃｅｓを設定されることができる。また、ＵＥは、各送信周期に該当する送信時点（ｉｎｓｔａｎｃｅ）毎に前記Ｎ個のＳＲＳ  ｒｅｓｏｕｒｃｅｓを交互にＳＲＳを送信するように設定されるか、または特定パターン（ｐａｔｔｅｒｎ）を事前に（または、別に）設定されて、当該パターンに基づいて前記Ｎ個のＳＲＳ  ｒｅｓｏｕｒｃｅｓを分けてＳＲＳを送信するように定義されたり、設定されることができる。
【０５６８】
・また、上述したように、ＵＥは、ＳＲＳ資源の非周期的な（ａｐｅｒｉｏｄｉｃ）タイプが設定されれば、周期的な（ａｐｅｒｉｏｄｉｃ）ＳＲＳ送信を行うことができる。周期的な（ａｐｅｒｉｏｄｉｃ）ＳＲＳ送信のために、ＵＥは、当該ＳＲＳ送信をトリガリングするＤＣＩでいずれかのＳＲＳ  ｒｅｓｏｕｒｃｅ（例えば、ＳＲＳ  ｒｅｓｏｕｒｃｅインデックスまたは識別子（ＩＤ：Ｉｄｅｎｔｉｆｉｅｒ））のＳＲＳを送信するか指定されることができる（すなわち、明示的に指示されることができる）。
【０５６９】
・基地局は、ＰＵＳＣＨスケジューリング時にいずれかの（Ｔｙｐｅ  ２）  ＳＲＳ  ｒｅｓｏｕｒｃｅの（当該ＳＲＳ  ｒｅｓｏｕｒｃｅ内）いずれかのＳＲＳポート（インデックス）に適用された（ａｎａｌｏｇ）ｂｅａｍを（基本的に）適用して（そして／または、追加的に指示されるＰＭＩ関連情報がある場合、このような（ｄｉｇｉｔａｌ）ビームフォーミング（ｂｅａｍｆｏｒｍｉｎｇ）も共に適用して）ＰＵＳＣＨを送信するかを指定されて送信するように動作が定義／設定され得る。
【０５７０】
つまり、前述したように、基地局は、（Ｔｙｐｅ  １）ＳＲＳ  ｒｅｓｏｕｒｃｅに対するＳＲＳポート上でＳＲＳを送信するように設定／指示するときも、当該ＳＲＳポート上でＳＲＳ送信の際、（基本的に）適用すべき（ａｎａｌｏｇ）ビーム情報として、いずれかの（Ｔｙｐｅ  ２）  ＳＲＳ  ｒｅｓｏｕｒｃｅに適用された（または、（当該ＳＲＳ  ｒｅｓｏｕｒｃｅ内）いずれかのＳＲＳポート（インデックス）（グループ）に適用された）（ａｎａｌｏｇ）ｂｅａｍを適用して送信するようにするか明示的に指示することができる。
【０５７１】
言い替えれば、基地局は、ターゲット（ｔａｒｇｅｔ）ＳＲＳ資源（例えば、Ｔｙｐｅ  １  ＳＲＳ資源）上にターゲット（ｔａｒｇｅｔ）ＳＲＳ送信の際に適用すべき（ａｎａｌｏｇ）ビーム情報（すなわち、プレコーダ（ｐｒｅｃｏｄｅｒ）／ビームフォーマ（ｂｅａｍｆｏｒｍｅｒ））をＵＥに指示するとき、ターゲット（ｔａｒｇｅｔ）ＳＲＳ以前に送信されたＳＲＳ資源（例えば、Ｔｙｐｅ  ２  ＳＲＳ資源）上にＳＲＳ送信の際に適用した（ａｎａｌｏｇ）ビーム情報（すなわち、プレコーダ（ｐｒｅｃｏｄｅｒ）／ビームフォーマ（ｂｅａｍｆｏｒｍｅｒ））をＵＥに指示することもできる。すなわち、基地局は、ターゲット（ｔａｒｇｅｔ）ＳＲＳと以前に送信されたＳＲＳとの間の連関（ｌｉｎｋａｇｅ）設定情報として、ターゲット（ｔａｒｇｅｔ）ＳＲＳ以前に送信されたＳＲＳ資源情報をＵＥに指示できる（例えば、ＳＲＩなどを用いて）。
【０５７２】
また、より細分化して、ターゲット（ｔａｒｇｅｔ）ＳＲＳ以前に送信されたＳＲＳ資源（例えば、Ｔｙｐｅ  ２  ＳＲＳ資源）に対する特定ＳＲＳポート（または、ＳＲＳポートグループ）情報をターゲット（ｔａｒｇｅｔ）ＳＲＳ送信の際に適用すべき（ａｎａｌｏｇ）ビーム情報（すなわち、プレコーダ（ｐｒｅｃｏｄｅｒ）／ビームフォーマ（ｂｅａｍｆｏｒｍｅｒ））としてＵＥに指示することもできる。すなわち、基地局は、ターゲット（ｔａｒｇｅｔ）ＳＲＳと以前に送信されたＳＲＳとの間の連関（ｌｉｎｋａｇｅ）設定情報として、ターゲット（ｔａｒｇｅｔ）ＳＲＳ以前に送信されたＳＲＳ資源内の特定ＳＲＳポート（または、ＳＲＳポートグループ）情報をＵＥに指示することもできる。また、基地局は、ＵＬデータ（すなわち、ＰＵＳＣＨ）を送信するように設定／指示するときも、当該ＰＵＳＣＨ送信の際、（基本的に）適用すべき（ａｎａｌｏｇ）ビーム情報として、いずれかの（Ｔｙｐｅ  ２）  ＳＲＳ  ｒｅｓｏｕｒｃｅの（当該ＳＲＳ  ｒｅｓｏｕｒｃｅ内）いずれかのＳＲＳポート（インデックス）（グループ）に適用された（ａｎａｌｏｇ）ビームを適用して（そして／または、追加的に指示されるＰＭＩ関連情報がある場合、このような（ｄｉｇｉｔａｌ）ビームフォーミングも共に適用して）ＰＵＳＣＨを送信するようにするか明示的に指示することができる。
【０５７３】
また、基地局がＵＬデータ（すなわち、ＰＵＳＣＨ）を送信するように設定／指示するときに、当該ＰＵＳＣＨ送信の際、（基本的に）適用すべき（ａｎａｌｏｇ）ビーム情報として、いずれかの（Ｔｙｐｅ  １）ＳＲＳ  ｒｅｓｏｕｒｃｅ送信に適用された（ａｎａｌｏｇ）ビームを適用して（そして／または、追加的に指示されるＰＭＩ関連情報がある場合、このような（ｄｉｇｉｔａｌ）ビームフォーミングも適用して）ＰＵＳＣＨを送信するようにするか明示的に指示することができる。すなわち、Ｔｙｐｅ  １  ＳＲＳ  ｒｅｓｏｕｒｃｅを指示することにより、これに既に適用された特定Ｔｙｐｅ  ２  ＳＲＳ資源／ポートを連係（ｌｉｎｋａｇｅ）する方式で指示することができる。
【０５７４】
このような特定明示的な指示は、Ｌ１シグナリング（例えば、ＤＣＩによる）及び／又はＬ２シグナリング（例えば、ＭＡＣ  ＣＥによる）により制御メッセージがＵＥに伝達されることができる。また、上述したように、特定｛「ＳＲＳ資源インデックス／ＩＤ（特定タイプ指示とともに）」、「指示されたＳＲＳ資源内のポートインデックスまたはポート−選択−コードブック−インデックス」｝のような形態などでペアリングされた情報（ｐａｉｒｅｄ  ｉｎｆｏｒｍａｔｉｏｎ）形態で制御情報がＵＥに伝達され得る。このとき、特定「ポート−選択−コードブック−インデックス」形態で指示される方式にしたがうためには、このための特定選択コードブックが事前に定義されたり、ＵＥに設定され、この中で特定コードブックインデックスが指示され得る。例えば、各コード−ベクトル（ｃｏｄｅ−ｖｅｃｔｏｒ）のサイズは、当該ＳＲＳ  ｒｅｓｏｕｒｃｅ内のポート数と同一であり、各ｃｏｄｅ−ｖｅｃｔｏｒは、特定１つの元素のみ１であり、残りの元素は、全て０である構造で定義されたり、設定されることができる。
【０５７５】
このような動作において、前記連係／連関（ｌｉｎｋａｇｅ）形態で指示される特定（Ｔｙｐｅ  ２）  ＳＲＳ資源（または、ＳＲＳポート／ポートグループ）送信に適用された特定（ａｎａｌｏｇ）  ｂｅａｍをそのまま適用して送信してほしいとの形態の指示情報は、当該指示情報が下された時点（例えば、ｎ番目（＃ｎ）時間インデックスで送信される）、そして／または、その以前時間に対して当該「特定（Ｔｙｐｅ  ２）  ＳＲＳ資源（または、ＳＲＳポート／ポートグループ）送信に適用された最も最近の特定（ａｎａｌｏｇ）  ｂｅａｍ」を適用させる形態で定義／設定されることができる。または、特定時間地点が明示されて、例えば、＃ｎ−ｋ（例えば、ｋ＝０、１、２、．．．などの候補値のうち、事前に／独立的に設定されることができる）時点、そして／または、その以前時間に対して最も最近の（例えば、あるいは最も最近で特定Ｎ番目以前に）送信に適用された（ａｎａｌｏｇ）  ｂｅａｍを適用させる形態で定義されたり、設定されることもできる。
【０５７６】
ＮＲ  ＵＬ  ＭＩＭＯに関連して、次のような技術が議論されている。
【０５７７】
ＵＬリンク適応手順に基づいてプリコーディングされた（ｐｒｅｃｏｄｅｄ）及びプリコーディングされなかった（ｎｏｎ−ｐｒｅｃｏｄｅｄ）ＳＲＳの少なくとも１つが、少なくとも次のような相違した手順が利用されて、ＮＲで支援される：
【０５７８】
・上向きリンクデータスケジューリング（ＭＣＳ／プレコーダ／ランク）は、ＵＥによるプリコーディングされなかった（ｎｏｎ−ｐｒｅｃｏｄｅｄ）ＳＲＳ送信に基づく。
【０５７９】
設定可能なＳＲＳポートの数は、１、２、４、または８である。
【０５８０】
・上向きリンクデータスケジューリング（ＭＣＳ／プレコーダ／ランク）は、ＵＥによるプリコーディングされた（ｐｒｅｃｏｄｅｄ）ＳＲＳ（等）送信に基づく。
【０５８１】
設定可能なＳＲＳポートの数は、１、２、または４である。
【０５８２】
（支援可能であれば）多重のプリコーディングされた（ｐｒｅｃｏｄｅｄ）ＳＲＳ資源が設定され得る。
【０５８３】
ＳＲＳのためのプレコーダは、ＤＬ  ＲＳの測定に基づいてＵＥにより決定されることができる。または、ＳＲＳのためのプレコーダは、ｇＮＢにより指示されることができる。
【０５８４】
・上向きリンクデータスケジューリング（ＭＣＳ／プレコーダ／ランク）は、ＵＥによるプリコーディングされなかった（ｎｏｎ−ｐｒｅｃｏｄｅｄ）及びプリコーディングされた（ｐｒｅｃｏｄｅｄ）ＳＲＳ送信の結合に基づく。
【０５８５】
上述した手順の一部は、ＵＥにトランスペアレント（ｔｒａｎｓｐａｒｅｎｔ）することができる。
【０５８６】
・議論の目的のために、分類「閉−ループ（ｃｌｏｓｅｄ−ｌｏｏｐ）」／「開−ループ（ｏｐｅｎ−ｌｏｏｐ）」を「プリコーディング」及び「プレコーダサイクリング（ｐｒｅｃｏｄｅｒ  ｃｙｃｌｉｎｇ）」の方法−基盤分類に代替する。
【０５８７】
シグナリング及びＵＬ−ＣＳＩ測定は、個別的に処理されることが支援される。
【０５８８】
プリコーディング及びプレコーダサイクリングは、ＵＬ  ＤＭＲＳ−基盤空間多重化（ＳＭ：Ｓｐａｔｉａｌ  Ｍｕｌｔｉｐｌｅｘｉｎｇ）のために考慮されることができる。
【０５８９】
ＣＰ−ＯＦＤＭ波形に対しては、空間周波数ブロックコード（ＳＦＢＣ：Ｓｐａｃｅ  Ｆｒｅｑｕｅｎｃｙ  Ｂｌｏｃｋ  Ｃｏｄｅ）が標準規格によってカバーされ得る。
【０５９０】
・送信ポートが予め決められたＸより大きいとき、周波数選択的なプリコーディングは、ＣＰ−ＯＦＤＭ波形を有するＵＬ  ＭＩＭＯのために支援される。
【０５９１】
次のような例題が議論され得る。
【０５９２】
例題１：与えられた部分帯域幅（ＢＷ：Ｂａｎｄｗｉｄｔｈ）のためのプリコーディング情報は、ｇＮＢにより明示的に指示される。
【０５９３】
プリコーディング情報は、広帯域Ｗ１及びサブバンドＷ２に階層的な指示を介して指示されることができる。
【０５９４】
Ｗ１及びＷ２は、１つのＤＣＩまたは２個の個別的なＤＣＩなどでシグナリングされることができる。
【０５９５】
例題２：ＵＬコードブック内の単一ビームグループは、システム帯域幅の側面でＵＬ送信のために基地局（ＢＳ：Ｂａｓｅ  ｓｔａｔｉｏｎ）により指示される。
【０５９６】
例題２ａ：プレコーダサイクリングは。ビームグループ内で採択される。
【０５９７】
例題２ｂ：ＵＥは、実際送信のためのビームグループ内のいずれかの特定ビーム／プレコーダを決定するか特定の柔軟性（ｆｌｅｘｉｂｉｌｉｔｙ）を有する。
【０５９８】
例題３：互恵（ｒｅｃｉｐｒｏｃｉｔｙ）基盤プリコーディング
【０５９９】
・ＮＲ−ＳＲＳ資源は、時間区間（ｔｉｍｅ  ｄｕｒａｔｉｏｎ）／周波数区間（ｆｒｅｑｕｅｎｃｙ  ｓｐａｎ）内で資源要素（ＲＥ）等のセットとＮ個のアンテナポート（Ｎ≧１）とで構成される。
【０６００】
ＵＥは、Ｋ個（Ｋ≧１）のＮＲ−ＳＲＳ資源が設定され得る。
【０６０１】
Ｋの最大値は、ＵＥ能力を考慮して決定されることができる。
【０６０２】
以下、上述した議論に基づいて、周波数選択的なプリコーディングを伴ったＵＬ−ＭＩＭＯ及びプリコーディングされた（ｐｒｅｃｏｄｅｄ）ＳＲＳ基盤送信について説明する。
【０６０３】
１）周波数選択的なプリコーディング
【０６０４】
ＮＲでＵＬ−ＭＩＭＯのための周波数選択的なプリコーディングを適用するために、サブバンドＰＭＩ（等）を指示することにより増加された制御チャネルオーバーヘッドが深刻な問題となることができる。ＵＬ−関連ＤＣＩから別個に多重のＰＭＩをシグナリングし、そういうシグナリングを指示するためにＤＣＩ内にポインタフィールドが含まれることが考慮され得るが、このような２段階の接近は、１番目の段階として、サブバンド単位の多重のＰＭＩ等の全体情報を提供するためのレイテンシ（ｌａｔｅｎｃｙ）のため、好ましくないことがある。言い替えれば、そういう周波数選択的なＵＬプレコーダを導入する動機は、周波数ドメインを用いる早いＵＬリンク適応を達成するためであるから、プレコーダ情報の全体セットは、それがＵＬ送信のためにスケジューリングされるとき、瞬間的にＵＥに伝達されることが好ましい。したがって、上述した議論で確認された周波数選択的なＵＬ−ＭＩＭＯプリコーディングを支援するために、次のようなオプションを提案する：
【０６０５】
・プリコーディング情報は、広帯域Ｗ１及びサブバンドＷ２を用いて階層的な指示方法を介して指示されることができる。
【０６０６】
・Ｗ１及びＷ２は、１つのＤＣＩ内でシグナリングされることができる。
【０６０７】
より具体的に、周波数選択的なＵＬ−ＭＩＭＯスケジューリングのための制御チャネルオーバーヘッドイッシューを解決するために、ＤＬと同様に、ＵＬ場合にも二重（ｄｕａｌ）コードブック構造を適用することを考慮する必要がある（例えば、４Ｔｘ（Ｔｒａｎｓｍｉｓｓｉｏｎ）ケース）。最終サブバンド別ＵＬプレコーダＷは、広帯域ＰＭＩ要素Ｗ＿１と当該サブバンドＰＭＩ要素Ｗ＿２に分解されることができる。そして、ＵＬスケジューリングＤＣＩ内で、Ｗ＿１情報は、一度含まれれば十分であり、同じＤＣＩ内の資源割当フィールドにより与えられたスケジューリングされた資源ブロック（ＲＢ）によって多重のＷ＿２が含まれることが要求される。Ｗ＿１及びＷ＿２のためのコードブックをどのように定義するか追加議論が必要であるが、リリース（Ｒｅｌ：Ｒｅｌｅａｓｅ）−１２  ＤＬ  ４−Ｔｘコードブックを再使用することが基本でありうる。既存のＬＴＥ  ２−Ｔｘ  ＤＬコードブックは、２−Ｔｘ  ＵＬケースのために再使用されることができ、全体サブバンド別ＰＭＩ（等）は、ＵＬスケジューリンググラント内で提供される必要がある。
【０６０８】
これにより、全体サブバンドＵＬ−ＭＩＭＯプレコーダは、ＵＬスケジューリンググラント内でＵＥに提供されなければならず、広帯域要素は、制御チャネルオーバーヘッドを減らすために一度含まれることができる。
【０６０９】
２）プリコーディングされたＳＲＳ基盤送信
【０６１０】
ＵＬリンク適応（ＬＡ：Ｌｉｎｋ  Ａｄａｐｔａｔｉｏｎ）の場合、ＬＴＥは、ＵＥが互いに異なる多重のＳＲＳ関連パラメータのセットを送信するように設定することを支援し、ここで、ＵＥは、特に設定されたＳＲＳポート（等）の数がＵＥの全体Ｔｘアンテナポートの数より小さいとき、ＳＲＳポート（等）上のプリコーディング／選択はＵＥの実現にしたがう。Ｒｅｌ−１３／１４と比較して、（ｅ）ＦＤ−ＭＩＭＯ（ｅｎｈａｎｃｅｄ  Ｆｕｌｌ  Ｄｉｍｅｎｓｉｏｎ  ＭＩＭＯ）ビームフォーミングされたＣＳＩ−ＲＳ基盤動作と比較して、ＵＬ  ＬＡのためのプリコーディングされた／ビームフォーミングされたＳＲＳ送信は、ＮＲで綿密に説明する必要がある。ＤＬ  ＣＳＩ−ＲＳ資源の２つのタイプ（すなわち、ＭＩＭＯ  ＣＳＩフィードバックのためのタイプ１及びＤＬビーム管理（ｂｅａｍ  ｍａｎａｇｅｍｅｎｔ）のためのタイプ２）と同様に、２つの互いに異なるＳＲＳ資源のタイプが定義される必要がある。すなわち、ＵＬ  ＬＡのためのタイプ１  ＳＲＳ資源及びＵＬビーム管理のためのＳＲＳ資源。
【０６１１】
これにより、互いに異なる動作の目的の側面で、ＮＲは、２つの互いに異なるＳＲＳ資源のタイプが定義されることが好ましい。すなわち、ＵＬ  ＬＡのためのタイプ１及びＵＬビーム管理のためのタイプ２。
【０６１２】
特に、ＵＬ  ＬＡのためのタイプ１  ＳＲＳ資源の場合、ＵＬ  ＬＡプロセスの側面で次のように３つの動作のクラスが定義され得る：
【０６１３】
・クラスＡ（プリコーディングされなかった（ｎｏｎ−ｐｒｅｃｏｄｅｄ）ＳＲＳ送信に基づいたＵＬ−ＬＡ）
【０６１４】
ＵＥは、ＵＥがプリコーディングされなかった（ｎｏｎ−ｐｒｅｃｏｄｅｄ）ＳＲＳを送信するための１つのタイプ１  ＳＲＳ資源が設定され得る。
【０６１５】
ＵＥにより送信されたプリコーディングされなかった（ｎｏｎ−ｐｒｅｃｏｄｅｄ）ＳＲＳポート（等）の測定に基づいて、ＴＲＰは、ＳＲＳポート（等）にわたってＭＣＳ及び／又はプレコーダを決定し、ＵＬスケジューリングがＵＥに伝達されるとき、ＭＣＳ及び／又はプレコーダを指示する。
【０６１６】
仮に、４Ｔｘ  ＵＥ及びＣＰ−ＯＦＤＭの場合、上述した二重（ｄｕａｌ）コードブック構造が周波数選択的なＵＬ−ＭＩＭＯプレコーダのために使用される。
【０６１７】
・クラスＢ（プリコーディングされた（ｐｒｅｃｏｄｅｄ）ＳＲＳ（等）送信に基づいたＵＬ−ＬＡ）
【０６１８】
ＵＥは、１つ以上のタイプ１  ＳＲＳ資源が設定され得る。ＴＲＰにより指示されたビームフォーミングまたはＴＲＰにトランスペアレント（ｔｒａｎｓｐａｒｅｎｔ）したビームフォーミングが各ＳＲＳ資源上でＳＲＳ送信のために適用される。
【０６１９】
・ＵＥにより送信されたプリコーディングされた（ｐｒｅｃｏｄｅｄ）ＳＲＳ資源（等）に基づいて、ＴＲＰは、多重の設定されたＳＲＳ資源の場合、ＳＲＳ資源指示子（ＳＲＩ：ＳＲＳ  ｒｅｓｏｕｒｃｅ  ｉｎｄｉｃａｔｏｒ）、ＳＲＩ内のＳＲＳポート（等）にわたってＭＣＳ及び／又はプレコーダを決定し、ＵＬスケジューリンググラントがＵＥに送信されるとき、ＳＲＩ、ＭＣＳ、及び／又はプレコーダを指示する。
【０６２０】
・クラスＣ（プリコーディングされなかった（ｎｏｎ−ｐｒｅｃｏｄｅｄ）ＳＲＳの送信に基づいたＵＬ−ＬＡ、そして後に、ＴＲＰの指示によるプリコーディングされた（ｐｒｅｃｏｄｅｄ）ＳＲＳ送信）
【０６２１】
ＵＥにより送信されたプリコーディングされなかった（ｎｏｎ−ｐｒｅｃｏｄｅｄ）ＳＲＳ  Ｋ＿１ポート（等）に基づいて、ＴＲＰは、概略的なビームフォーマ（ｃｏａｒｓｅ  ｂｅａｍｆｏｒｍｅｒ）を決定し、続くプリコーディングされた（ｐｒｅｃｏｄｅｄ）ＳＲＳ  Ｋ＿２（≦Ｋ＿１）ポート（等）を送信に適用されるように概略的なビームフォーマ（ｃｏａｒｓｅ  ｂｅａｍｆｏｒｍｅｒ）をＵＥに指示する。そして、ＵＥにより送信されたプリコーディングされた（ｐｒｅｃｏｄｅｄ）  ＳＲＳポート（等）に基づいて、ＴＲＰは、ＭＣＳ及び／又はプレコーダを決定し、ＵＬスケジューリンググラントがＵＥに伝達されるとき、ＭＣＳ及び／又はプレコーダを指示する。
【０６２２】
ＵＥにより上述したクラスのうち、いずれかのクラスを支援するか能力が報告されることに基づいて、いずれかのＳＲＳ送信のクラスがＵＥにより行われるかを含んで、互いに異なるＵＬ−ＬＡプロセスがＵＥ特定に（ＵＥ−ｓｐｅｃｉｆｉｃａｌｌｙ）設定され得るし（例えば、クラスＢ及び／又はＣ）、ＵＥが各設定されたＳＲＳ資源上で互いに異なるようにビームフォーミングされたＳＲＳポート（等）を送信する多重のタイプ１  ＳＲＳ資源がＵＥに設定されることができる。ＴＲＰは、そういうビームフォーマ（ｂｅａｍｆｏｒｍｅｒ）情報をＵＥに指示することができ、またはＵＥは、ＳＲＳ送信に対するＴＲＰトランスペアレント（ｔｒａｎｓｐａｒｅｎｔ）なビームフォーマ（ｂｅａｍｆｏｒｍｅｒ）を適用するように許容されることができる。そして、ＵＬスケジューリンググラントがＵＥに与えられるとき、ＵＥがスケジューリングされたＵＬ送信のために指示されたＳＲＳ資源に相応するＳＲＳ送信に使用される同じビームフォーマ（ｂｅａｍｆｏｒｍｅｒ）を適用すべきＳＲＳ資源指示をＴＲＰがＵＥに指示できる。また、選択されたＳＲＳ資源上で、ＴＲＰは、指示されたＳＲＳ資源内のＳＲＳポート（等）にわたったデジタルプリコーディング情報（例えば、ＵＬ  ＰＭＩ）をさらに指示できる。各ＳＲＳ資源に対するＳＲＳポートの設定された数は、ＵＥのＵＬ送信で対象（ｔａｒｇｅｔ）ランクと解釈されることができる。したがって、ＴＲＰは、それぞれの互いに異なるランクに相応する多重のタイプ１  ＳＲＳ資源を設定できる（例えば、ランク１ないし４をカバーするために、ｖ番目（ｖ＝１、２、３、４）タイプ１  ＳＲＳ資源にｖポートＳＲＳが設定され得る）
【０６２３】
これにより、ＵＬリンク適応プロセスの側面で互いに異なるクラスに基づいて、プリコーディングされなかった（ｎｏｎ−ｐｒｅｃｏｄｅｄ）及び／又はプリコーディングされた（ｐｒｅｃｏｄｅｄ）ＳＲＳ送信関連手順がさらに議論されることが好ましい。
【０６２４】
ＵＬビーム管理（ｂｅａｍ  ｍａｎａｇｅｍｅｎｔ）のためのタイプ２  ＳＲＳ資源がＵＥに設定され、多重のＳＲＳポートが資源内に設定されるとき、ＵＬ  ｂｅａｍ  ｍａｎａｇｅｍｅｎｔを支援するために、互いに異なるアナログビームが設定されたＳＲＳポートに適用されなければならない。例えば、各ＳＲＳの送信時点（ｉｎｓｔａｎｃｅ）がＰ  ＳＲＳポートを有する設定されたタイプ２  ＳＲＳ資源のための単一のＯＦＤＭシンボルを含むと仮定すれば、ＵＥは、互いに異なるＳＲＳポートに各々Ｐ個の互いに異なるアナログビーム方向を適用しなければならず、各ＳＲＳの送信時点（ｉｎｓｔａｎｃｅ）上で同時に送信する。この例示において、ＵＥは、Ｐ個のＴＸＲＵ／パネルで実現されることができ、したがって、ＵＬ  ｂｅａｍ  ｍａｎａｇｅｍｅｎｔのための適切なタイプ２  ＳＲＳ資源（等）上で適切な設定が適用され得るように、ＵＥ能力シグナリングとしてＰの値または関連情報が初期にｇＮＢに伝達される必要がありうる。
【０６２５】
タイプ２  ＳＲＳ資源内の送信されたＳＲＳポートを測定した後に、ｇＮＢは、タイプ１  ＳＲＳ資源（等）に適用したり、スケジューリングされるＵＬデータ送信に直接適用するために使用される選好されるアナログビーム（等）を選択できる。
【０６２６】
これにより、ＮＲは、タイプ２  ＳＲＳ資源内の送信されたＳＲＳポートを測定した後に、タイプ１  ＳＲＳ資源（等）またはスケジューリングされるＵＬデータ送信に適用されるように、ｇＮＢにより選択された選好されるビーム（等）を指示するＵＬ  ｂｅａｍ  ｍａｎａｇｅｍｅｎｔに対するメカニズムを支援することが好ましい。
【０６２７】
ＤＣＩによるＵＬ−ＭＩＭＯスケジューリングは、次のうち、少なくとも１つ以上を含むことができる：
【０６２８】
・ＳＲＳ資源指示子（ＳＲＩ：ＳＲＳ  ｒｅｓｏｕｒｃｅ  ｉｎｄｉｃａｔｏｒ）
【０６２９】
このとき、このフィールドは、多重のＳＲＳ資源がＵＥに設定されるときにのみ存在することもできる。つまり、このような特定条件（例えば、２個以上の（Ｔｙｐｅ  １）  ＳＲＳ  ｒｅｓｏｕｒｃｅｓが設定された場合など）においてのみ、当該ＳＲＩフィールドが設定され得るように、選択的に存在するように定義されることができる。
【０６３０】
または、ｇＮＢが明示的に当該ＳＲＩフィールドの存在可否を上位階層信号（例えば、ＲＲＣシグナリング）に設定することもできる。
【０６３１】
ＳＲＩフィールドのビット長さ（ｂｉｔ  ｗｉｄｔｈ）は、当該ＵＥに総設定された（Ｔｙｐｅ  １）ＳＲＳ  ｒｅｓｏｕｒｃｅ数がＮ個であるというとき、ｃｅｉｌ｛ｌｏｇ２（Ｎ）｝ビットで自動（すなわち、暗黙的に）決定されることができ、または、基地局の設定により決定されることもできる。ここで、ｃｅｉｌ｛ｘ｝は、ｘより小さくない最小の整数を出力する関数を意味する。
【０６３２】
・送信ランク指示子（ＴＲＩ：Ｔｒａｎｓｍｉｔ  Ｒａｎｋ  Ｉｎｄｉｃａｔｏｒ）
【０６３３】
このフィールドの値は、同じＤＣＩ内に指示されたＳＲＩ内で設定されたＳＲＳポート等の数まで可能である。
【０６３４】
・送信ＰＭＩ（ＴＰＭＩ：Ｔｒａｎｓｍｉｔ  ＰＭＩ）
【０６３５】
プリコーディング行列（ＰＭ：Ｐｒｅｃｏｄｉｎｇ  Ｍａｔｒｉｘ）は、同じＤＣＩ内に指示されたＳＲＩ内で設定されたＳＲＳポート等の数に依存する。
【０６３６】
このフィールドは、コードブック−基盤ＵＬ−ＭＩＭＯ技法がＵＥに設定されるときにのみ存在することもできる。つまり、このような特定条件（例えば、コードブック−基盤ＵＬ−ＭＩＭＯモード／動作の場合など）においてのみ、当該ＴＰＭＩフィールドが設定され得るように、選択的に存在するように定義されることができる。または、ｇＮＢが明示的に当該ＴＰＭＩフィールドの存在可否を上位階層信号（例えば、ＲＲＣシグナリング）に設定することもできる。
【０６３７】
また、非−コードブック（ｎｏｎ−ｃｏｄｅｂｏｏｋ）基盤ＵＬ−ＭＩＭＯの場合、コードブック選択は、このＴＰＭＩフィールドのために使用されることができる。
【０６３８】
・ＵＬ  ＭＣＳ指示（ＵＬ  ＭＣＳ  ｉｎｄｉｃａｔｉｏｎ）
【０６３９】
・ＵＬ資源割当（ＵＬ  Ｒｅｓｏｕｒｃｅ  ａｌｌｏｃａｔｉｏｎ）
【０６４０】
１）コードブック（ＣＢ：Ｃｏｄｅｂｏｏｋ）基盤ＵＬのための動作
【０６４１】
方法１）コードブック−基盤ＵＬの場合、ＵＥは、１つのＳＲＳ資源セットのみが設定され得る。
【０６４２】
・ＵＬグラント（ｇｒａｎｔ）内のＳＲＩフィールドを介して１つのＳＲＳ資源がセット内で選択される。
【０６４３】
・ＵＬ  ｇｒａｎｔ内のＳＲＩフィールドは、同じＵＬ  ｇｒａｎｔ内の少なくともＴＰＭＩとは独立的にエンコードされる。
【０６４４】
ＳＲＩフィールドのビットサイズ（ｂｉｔｗｉｄｔｈ）は、「Ｎ＝ｃｅｉｌ（ｌｏｇ２（セット内のＳＲＳ資源の数））」のように決定される。
【０６４５】
このように、ＰＵＳＣＨスケジューリング時に、（ＵＬ  ｇｒａｎｔによって）指示され得る前記ＳＲＩフィールドの指示対象が前記特定ＳＲＳ資源セット内のＳＲＳ  ｒｅｓｏｕｒｃｅ（等）だけで規定する形態などでＳＲＩフィールドが設計され得る。すなわち、（ＣＳＩ取得／リンク適応のための）Ｔｙｐｅ  Ａ  ＳＲＳ  ｒｅｓｏｕｒｃｅだけが設定されたＳＲＳ  ｒｅｓｏｕｒｃｅセットでありうる。
【０６４６】
・このＳＲＳ資源セットは、ＵＬビーム管理（ＢＭ：Ｂｅａｍ  ｍａｎａｇｅｍｅｎｔ）でも再使用されることができる。または、ＵＬ  ＢＭのための個別的なＳＲＳ資源セットがＵＥに設定されることもできる。
【０６４７】
例えば、上記のＴｙｐｅ  Ａ  ＳＲＳ  ｒｅｓｏｕｒｃｅが設定されたＳＲＳ資源セット＃１とするとき、ＵＬ  ＢＭ目的などで別に設定したＳＲＳ資源セット＃２（例えば、Ｔｙｐｅ  Ｂ  ＳＲＳ  ｒｅｓｏｕｒｃｅをグルーピングして設定されたセット＃２）が別に設定されていると仮定する。このとき、ＵＥは、ＳＲＩフィールドサイズ（長さ）を「Ｎ＝ｃｅｉｌ（ｌｏｇ２（セット内のＳＲＳ資源の数））」のように決定するために、どのＳＲＳ資源セットに対して、その中に属したｒｅｓｏｕｒｃｅのみを計算の対象とするかを明確に分からなければならない。
【０６４８】
したがって、このために、どの「セット」に対してＮ値を計算してほしいという別の指示子が基地局から設定されたり、指示されることができる。
【０６４９】
また、どの「セット」に対してＮ値を計算するか特定（予め決められた）規則／定義によって暗黙的に決められることもできる。例えば、設定された最も低いＳＲＳ資源セット（先の例示では、セット＃１）が前記Ｎ値及びそれにより生成される２＾Ｎ状態説明（ｓｔａｔｅ  ｄｅｓｃｒｉｐｔｉｏｎ）（例えば、各状態は、総設定されたＣＳＩ−ＲＳ  ｒｅｓｏｕｒｃｅのうち、１個を選択する状態）を計算／適用するための対象になることと決められることができる。
【０６５０】
方法２）：ｇＮＢは、ＵＬ  ｇｒａｎｔに対するＮビットＳＲＩ状態説明（ｓｔａｔｅ  ｄｅｓｃｒｉｐｔｉｏｎｓ）をＲＲＣにより設定することができる。ここで、同一のまたは互いに異なるＳＲＳ資源セット内に設定されるかとは関係なく、各状態説明（ｓｔａｔｅ  ｄｅｓｃｒｉｐｔｉｏｎｓ）は、ＳＲＳ資源識別子（ＩＤ）（等）を含むことができる。
【０６５１】
方法３）コードブック−基盤ＵＬの場合、ＵＥは、多重のＳＲＳ資源セットが設定され得る。
【０６５２】
・各ＳＲＳ資源セット内で１つのＳＲＳ資源のみが設定され得る。
【０６５３】
・ＵＬ  ｇｒａｎｔ内のＳＲＩフィールドを介して（セット内に属した）１つのＳＲＳ資源のみが選択され得る。
【０６５４】
・ＵＬ  ｇｒａｎｔ内のＳＲＩフィールドは、同じＵＬ  ｇｒａｎｔ内の少なくともＴＰＭＩと独立的にエンコードされることができる。
【０６５５】
ＳＲＩフィールドのビットサイズ（ｂｉｔｗｉｄｔｈ）は、「Ｎ＝ｃｅｉｌ（ｌｏｇ２（ＳＲＳ資源セットの数））」のように決定される。
【０６５６】
先の方法１のケースと同様に、仮に、Ｔｙｐｅ  Ａ  ＳＲＳ  ｒｅｓｏｕｒｃｅが集まって前記「ただ１つのＳＲＳ資源のみを含むＳＲＳ資源セットの数」を構成するようになるということをＵＥが明確に認知するようになり、これに対して、前記ＳＲＩフィールドサイズを「Ｎ＝ｃｅｉｌ（ｌｏｇ２（（ＳＲＳ資源セットの数）））のように決定できるようにする。
【０６５７】
ＵＬ  ＢＭのためのさらに他の別のＳＲＳ資源セット（等）がＵＥに設定され得る。
【０６５８】
２）非−コードブック（ｎｏｎ−ＣＢ）基盤ＵＬのための動作
【０６５９】
方法１）
【０６６０】
ＵＥは、１つのＳＲＳ資源セットが設定され得る。
【０６６１】
各ＳＲＩ状態（ｓｔａｔｅ）は、ｎｏｎ−ＣＢ基盤ＵＬのためのＳＲＳ資源セット内に設定されたＳＲＳ資源の予め決められた組み合わせに相応することができる。
【０６６２】
ＵＬ  ｇｒａｎｔ内のＳＲＳフィールドのビットサイズ（ｂｉｔｗｉｄｔｈ）（すなわち、ビット数）は、「ｃｅｉｌ（ｌｏｇ２（Ｓ＿ｔｏｔ））」のように決定されることができる。ここで、Ｓ＿ｔｏｔは、下記の数式２０のように定義されることができる。
【０６６３】
【数２０】
0006826204.tif 000028
【０６６４】
ここで、ｃｅｉｌ（ｘ）は、ｘより小さくない最小の整数を出力する関数である。Ｎ（または、Ｎ＿ｍａｘで表記されることもできる）は、ＳＲＳ資源セット内のＳＲＳ資源の数を表し、Ｓ＿ｔｏｔは、ＳＲＳ資源セット内のＳＲＳ資源において可能な組み合わせの数を意味する。Ｌ＿ｍａｘは、ｎｏｎ−ＣＢ基盤上向きリンク送信のために支援される最大レイヤの数を表す。
【０６６５】
これは、組み合わせ的（ｃｏｍｂｉｎａｔｏｒｉａｌ）にＮ個のうち、ｋ個のＳＲＩを選択する場合の数を総羅列した後、ｃｅｉｌ（）関数により必要なビットサイズが計算される方式を意味できる。このとき、残りの状態等（すなわち、２＾ビットサイズ−Ｓ＿ｔｏｔ個の状態等）は、保留されるか（ｒｅｓｅｒｖｅｄ）、有効でないもの（ｉｎｖａｌｉｄ）と設定されることができる。ここで、有効でないものと設定されることは、端末が当該状態等で指示を受けることを記載しないと仮定することを意味できる。
【０６６６】
また、ＤＭＲＳフィールド（すなわち、ＤＭＲＳのためのフィールド）が別に存在し、これによって前記指示される総レイヤ数（すなわち、ランク（ｒａｎｋ）値）に対するポート構成（ｐｏｒｔ  ｃｏｎｆｉｇｕｒａｔｉｏｎ）などのようなＤＭＲＳ構成関連状態（等）が別に指示され得る。ここで、ＤＭＲＳフィールドは、ＵＬ−ＤＭＲＳフィールド、ＤＭＲＳ関連フィールド、ＤＭＲＳ構成フィールドなどと称されることもできる。
【０６６７】
また、この場合、端末は、上述したＳＲＩフィールドと上述したＤＭＲＳフィールドとにより互いに異なるレイヤ数が指示されることを期待しないように設定される（すなわち、仮定する）こともできる。
【０６６８】
方法２）
【０６６９】
また、ＳＲＩフィールドとＤＭＲＳフィールド（すなわち、ＤＭＲＳ関連フィールド）とは、ジョイントエンコード（ｊｏｉｎｔ  ｅｎｃｏｄｉｎｇ）されることもできる。
【０６７０】
この場合、前記ジョイントエンコードによる総ビットサイズは、下記の数式２１により決定されることができる。
【０６７１】
[数２１]
ｃｅｉｌ（ｌｏｇ２（Σｋ＝１（ＮＣｋ）Ｄｋ））
【０６７２】
ここで、ｃｅｉｌ（ｘ）は、ｘより小さくない最小の整数を出力する関数である。Ｎは、ＳＲＳ資源セット内のＳＲＳ資源の数を表し、ｘＣｙは、Ｘ個のうち、ｙ個で構成され得る組み合わせの数を表し、Ｄｋは、設定されたＤＭＲＳフィールドでｋ個のレイヤのみなどと連関した状態等の数を表す。
【０６７３】
具体的に、上述した方法１）のような組み合わせ方式で提案されたＳ＿ｔｏｔの場合の数に該当するＳＲＩ状態等に対して、各ｋレイヤ（等）に対応するＳＲＩ状態等のうち、各状態別に前記Ｄｋ個の当該ｋレイヤ（等）に対応するＤＭＲＳ表（ＤＭＲＳ  ｔａｂｌｅ）内のエントリー（ｅｎｔｒｙ）（または、列（ｒｏｗｓ）、状態（ｓｔａｔｅ）、要素（ｅｌｅｍｅｎｔ））をジョイントエンコードして結合することができる。これによって、総状態等の数を拡張し、これに対する総ビットサイズを導出し、ＵＬ  ｇｒａｎｔでＳＲＩフィールド目的（すなわち、用途）及びＤＭＲＳフィールド目的が１つのフィールドで統合されて（基地局により）指示されるように定義、設定及び／又は生成されることができる。ここで、ＤＭＲＳ表は、ＤＭＲＳの設定、指示などのために可能な状態を羅列したことを意味でき、ＵＬ−ＤＭＲＳ表と称されることもできる。
【０６７４】
当該方法の場合、ジョイントエンコードによってＤＣＩビットサイズ（すなわち、ＤＣＩペイロードサイズ）が減少され得るという長所がある。
【０６７５】
方法３）
【０６７６】
方法３では、前述したように、ＵＬ  ｇｒａｎｔ内のＳＲＳフィールドのビットサイズ（ｂｉｔｗｉｄｔｈ）（すなわち、ビット数）は、「ｃｅｉｌ（ｌｏｇ２（Ｓ＿ｔｏｔ））」のように決定されることができることを仮定する。この場合にも、Ｓ＿ｔｏｔは、下記の数式２２のように定義されることができる。
【０６７７】
【数２２】
0006826204.tif 000029
【０６７８】
ここで、ｃｅｉｌ（ｘ）は、ｘより小さくない最小の整数を出力する関数である。Ｎ（または、Ｎ＿ｍａｘで表記されることもできる）は、ＳＲＳ資源セット内のＳＲＳ資源の数を表し、Ｓ＿ｔｏｔは、ＳＲＳ資源セット内のＳＲＳ資源のうち、可能な組み合わせの数を意味する。Ｌ＿ｍａｘは、ｎｏｎ−ＣＢ基盤上向きリンク送信のために支援される最大レイヤの数を表す。
【０６７９】
前述したように、これは、組み合わせ的（ｃｏｍｂｉｎａｔｏｒｉａｌ）にＮ個のうち、ｋ個のＳＲＩを選択する場合の数を総羅列した後、ｃｅｉｌ（）関数により必要なビットサイズが計算される方式を意味できる。このとき、残りの状態等（すなわち、２＾ビットサイズ−Ｓ＿ｔｏｔ個の状態等）は、保留されるか（ｒｅｓｅｒｖｅｄ）、有効でないもの（ｉｎｖａｌｉｄ）と設定されることができる。ここで、有効でないものと設定されることは、端末が当該状態等で指示を受けることを記載しないと仮定することを意味できる。
【０６８０】
ただし、上述した方法とは異なり、ＳＲＩフィールドにより指示される（または、決定される）値に依存してＤＭＲＳフィールドを設定、決定、及び／又は指示する方法が考慮され得る。
【０６８１】
具体的に、上述したＳＲＩフィールドによって総スケジューリングされたレイヤの数（以下、Ｌ＿ｔｏｔ）は、既に指示され得るので、前記伴うＤＭＲＳ表（例：ＤＭＲＳポート構成と関連した表）のうち、当該レイヤ（すなわち、Ｌ＿ｔｏｔレイヤ）に該当する特定サブ−状態（ｓｕｂ−ｓｔａｔｅ）（等）のみを指示できる最小ビットサイズの分だけＤＭＲＳフィールドのサイズに割り当てる方法が考慮され得る。
【０６８２】
言い替えれば、基地局がＤＭＲＳ関連構成を指示するか、端末がＤＭＲＳ関連構成を解釈するために利用（または、選択）するＤＭＲＳ表が、ＳＲＩフィールドにより指示されるＬ＿ｔｏｔ値に応じて各々異なるように設定されることができる。すなわち、ＳＲＩがいかなる状態を指示するかを考慮して、ＤＭＲＳフィールドが互いに異なるように設定され得る。ここで、Ｌ＿ｔｏｔ値は、端末が上向きリンクチャネル（例：上向きリンク共有チャネル、すなわち、ＰＵＳＣＨ）を送信するために、設定及び／又は指示されるランク（ｒａｎｋ）値を意味できる。すなわち、スケジューリングされたレイヤの数は、当該端末の上向きリンク送信のために、設定及び／又は指示されたランク値を意味できる。
【０６８３】
このとき、Ｌ＿ｔｏｔがどの値であるかによって、Ｌ＿ｔｏｔレイヤに該当するＤＭＲＳ状態の個数が異なり得る。例えば、Ｌ＿ｔｏｔが１である場合に、ＤＭＲＳ状態の数は６であり、Ｌ＿ｔｏｔが２である場合に、ＤＭＲＳ状態の数は４でありうる。
【０６８４】
このような点を考慮して、全ての可能なＬ＿ｔｏｔ値に対して最大のＤＭＲＳ状態等が設定及び／又は付与されている場合を支援できる最小ビットサイズの分だけで当該ＤＭＲＳフィールドのサイズを統一してＤＣＩにＤＭＲＳフィールドで割り当てる方法が考慮され得る。一例に、当該端末の上向きリンクチャネル（例：上向きリンク共有チャネル、すなわち、ＰＵＳＣＨ）の送信に適用されるランク候補値のうち、特定候補値に該当するＤＭＲＳ状態等の数をカバーするためのビットサイズを基準として、前記候補値に対するＤＭＲＳ表が設定され得る。
【０６８５】
図１４は、本明細書において提案する方法が適用され得るＤＭＲＳ表及び／又はフィールドの構成方法の一例を示す。図１４は、単に説明の便宜のためのものであり、本発明の範囲を制限するものでない。
【０６８６】
図１４に示すように、端末が上向きリンクチャネル（例：上向きリンク共有チャネル、上向きリンク制御チャネル等）の送信に対して最大４個のレイヤ（すなわち、最大ランク４）を支援する場合を仮定する。また、上向きリンクチャネルの送信に適用されるレイヤ数（すなわち、上述したＬ＿ｔｏｔ）の候補のうち、レイヤ数が１である場合に該当するＤＭＲＳ状態の数が最大である場合を仮定する。
【０６８７】
図１４の（ａ）は、既存のＤＭＲＳ表を示す。既存のＤＭＲＳ表は、支援可能なレイヤ数の各々に対するＤＭＲＳ状態を全て含むことができる。一例に、既存のＤＭＲＳテーブルは、レイヤ数が１である場合のＤＭＲＳ状態等１４０２、レイヤ数が２である場合のＤＭＲＳ状態等１４０４、レイヤ数が３である場合のＤＭＲＳ状態等１４０６、及びレイヤ数が４である場合のＤＭＲＳ状態等１４０８で構成されることができる。ここで、レイヤ数の候補の各々に対するＤＭＲＳ状態等は、各々当該レイヤ数に対するＤＭＲＳサブ状態等と称されることができる。この場合、既存のＤＭＲＳ表を表すためには、レイヤ数の候補に対する全てのＤＭＲＳ状態を表現するために、大きい数のビットサイズが要求され得る。
【０６８８】
これと異なり、図１４の（ｂ）は、本明細書において提案する方法に基づいたＤＭＲＳ表を示す。具体的に、ＤＣＩに含まれたＳＲＩフィールドを介して端末に対して指示される（すなわち、ＳＲＩフィールドによって決定される）レイヤ数によって、ＤＭＲＳ表が各々設定され得る。一例に、レイヤ数が１である場合のＤＭＲＳ状態等１４０２は、ＤＭＲＳ表＃１に含まれ、レイヤ数が２である場合のＤＭＲＳ状態等１４０４は、ＤＭＲＳ表＃２に含まれ、レイヤ数が３である場合のＤＭＲＳ状態等１４０６は、ＤＭＲＳ表＃３に含まれ、レイヤ数が４である場合のＤＭＲＳ状態等１４０８は、ＤＭＲＳ表＃４に含まれることができる。
【０６８９】
このとき、上述したように、各ＤＭＲＳ表のサイズ（すなわち、ＤＭＲＳ表の状態を表現するためのビットサイズ）は、レイヤ数の候補に対して全て同様に設定されることが効率的でありうる。この場合、最も多い数のＤＭＲＳ状態を有したレイヤ数が１である場合が基準になることができ、サイズを統一させるために、各ＤＭＲＳ表に対して保留された値１４１０（等）が追加的に含まれ得る。
【０６９０】
当該方法の場合、既存のＤＭＲＳ表の全体でないＳＲＩにより指示されるレイヤの数（すなわち、ランク値）によって設定されたＤＭＲＳ表を用いるので、ＤＣＩに含まれるＤＭＲＳ関連フィールドのサイズが小さくなりうる。また、上述したように、レイヤの数に関係なく、各ＤＭＲＳ表に対するビットサイズが同様に設定されることにより、端末が当該ＤＣＩをブラインドデコード（ｂｌｉｎｄ  ｄｅｃｏｄｉｎｇ）するとき、試み回数が増加しないという長所がある。すなわち、ＤＣＩに対する端末のブラインドデコードオーバーヘッド及び複雑度（ｃｏｍｐｌｅｘｉｔｙ）が減少され得るという効果がある。
【０６９１】
方法４）
【０６９２】
また、上述した方法３）と異なり、上述したＤＭＲＳフィールドをそのまま置いた状態で、当該ＤＭＲＳフィールドにより指示される特定状態を端末が読む場合、端末は、当該状態に連動されている特定ＤＭＲＳポート構成マッピング情報などを取得でき、同時に、総スケジューリングされたレイヤ数（すなわち、Ｌ＿ｔｏｔ値）を識別できる。
【０６９３】
したがって、これに連動して上述したＳＲＩフィールド部分を当該識別されたＬ＿ｔｏｔ値に対応するレイヤ（すなわち、Ｌ＿ｔｏｔレイヤ）に対する特定ＳＲＩ状態等だけを抽出（ｅｘｔｒａｃｔ）して、ＳＲＩフィールド説明（ＳＲＩ  ｆｉｅｌｄ  ｄｅｓｃｒｉｐｔｉｏｎ）でエンコード（ｅｎｃｏｄｉｎｇ）する方法を提案する。当該方法の場合、複雑度（ｃｏｍｐｌｅｘｉｔｙ）を大きく増加させないながら、適切な水準のＤＣＩオーバーヘッド減少を持ってくることができるという長所がある。
【０６９４】
このとき、Ｌ＿ｔｏｔ値がどの値であるかによって、Ｌ＿ｔｏｔレイヤに該当するＳＲＩ状態の個数が異なり得る。例えば、Ｌ＿ｔｏｔが１である場合に、ＳＲＩ状態の数は４であり、Ｌ＿ｔｏｔが２である場合に、ＳＲＩ状態の数は６でありうる。このような点を考慮して、全ての可能なＬ＿ｔｏｔ値に対して最大のＳＲＩ状態等が設定及び／又は付与されている場合を支援できる最小ビットサイズの分だけで当該ＳＲＩフィールドのサイズを統一して、ＤＣＩにＳＲＩフィールドで割り当てる方法が考慮され得る。
【０６９５】
方法５）
【０６９６】
上述した方法１）及び方法３）などでのＳＲＩフィールドのビットサイズ設定方式（例：ｃｅｉｌ（ｌｏｇ２（Ｓ＿ｔｏｔ））及び数式２０、数式２２基盤の方式）でＳＲＩフィールドを構成する代わりに、当該ＳＲＩフィールドをＮビットのビットマップ（Ｎ−ｂｉｔ  ｂｉｔｍａｐ）で構成する方法が考慮されることもできる。当該方法の場合、ＤＣＩオーバーヘッド減少の側面はさておき、最も簡単な方法で端末及び基地局の実現複雑度（ｉｍｐｌｅｍｅｎｔａｔｉｏｎ  ｃｏｍｐｌｅｘｉｔｙ）を単純化するという長所がある。
【０６９７】
このようにＮビットのビットマップ形態で上述したＳＲＩフィールドを代替構成する部分を伴って、前記提案された方法１）〜４）のうち、少なくとも１つと結合及び／又は一般化して拡張する形態の組み合わせも適用され得ることはもちろんである。
【０６９８】
ＵＬ  ＢＭのためのさらに他の別のＳＲＳ資源セット（等）がＵＥに設定され得る。
【０６９９】
例えば、上記のＴｙｐｅ  Ａ  ＳＲＳ  ｒｅｓｏｕｒｃｅが設定されたＳＲＳ資源セット＃１とするとき、ＵＬ  ＢＭ目的などで別に設定したＳＲＳ資源セット＃２（例えば、Ｔｙｐｅ  Ｂ  ＳＲＳ  ｒｅｓｏｕｒｃｅをグルーピングして設定されたセット＃２）が別に設定されていると仮定する。このとき、ＵＥは、ＳＲＩフィールドサイズ（長さ）を「ｃｅｉｌ（ｌｏｇ２（Ｓ＿ｔｏｔ））」のように決定するために、どのＳＲＳ資源セットに対して、その中に属したｒｅｓｏｕｒｃｅだけを計算の対象とするかを明確に分からなければならない。
【０７００】
したがって、このために、どの「セット」に対してＮ値を計算してほしいという別の指示子が基地局から設定されたり、指示されることができる。
【０７０１】
また、どの「セット」に対してＮ値を計算するか特定（予め決められた）規則／定義によって暗黙的に決められることもできる。例えば、設定された最も低いＳＲＳ資源セット（先の例示では、セット＃１）が前記Ｎ値及びそれにより生成される２＾Ｎ状態説明（ｓｔａｔｅ  ｄｅｓｃｒｉｐｔｉｏｎ）（例えば、各状態は、総設定されたＣＳＩ−ＲＳ  ｒｅｓｏｕｒｃｅのうち、１個を選択する状態）を計算／適用するための対象になることと決められることができる。
【０７０２】
また、ｇＮＢは、ＵＬ  ｇｒａｎｔに対するＮビットＳＲＩ状態説明（ｓｔａｔｅ  ｄｅｓｃｒｉｐｔｉｏｎｓ）をＲＲＣにより設定することができる。ここで、各状態説明（ｓｔａｔｅ  ｄｅｓｃｒｉｐｔｉｏｎ）は、セット内のＳＲＳ資源識別子（等）（最大Ｌ＿ｍａｘ識別子（ＩＤ）まで）を含むことができる。
【０７０３】
図１５は、本明細書において提案する方法が適用され得る無線通信システムで上向きリンク送信を行う端末の動作順序図を示す。図１５は、単に説明の便宜のためのものであり、本発明の範囲を制限するものでない。
【０７０４】
図１５に示すように、端末及び／又は基地局は、上述した方法１）〜５）（特に、方法３）、図１４の方式）に基づいて動作する場合が仮定される。また、前記上向きリンク送信は、非−コードブック（ｎｏｎ−ｃｏｄｅｂｏｏｋ、ｎｏｎ−ＣＢ）基盤で行われる場合が仮定され得る。
【０７０５】
まず、端末は、基地局から上向きリンク共有チャネル（例：ＰＵＳＣＨ）のスケジューリングのための下向きリンク制御情報（ＤＣＩ）を受信できる（ステップＳ１５０５）。一例に、上述したように、当該ＤＣＩは、ＳＲＩを運ぶＳＲＩフィールド及びＤＭＲＳ関連フィールドを含むことができる。このとき、前記上向きリンク送信のためのレイヤの数（例：ランク値）は、前記ＳＲＩフィールドに基づいて決定または指示されることができる。また、前記ＤＭＲＳ関連フィールドのサイズは、前記レイヤの数の候補の各々に対して同様に設定されることができる。
【０７０６】
このとき、上述したように、ＤＭＲＳ関連フィールドは、ＤＭＲＳポート構成のために設定されたフィールドでありうる。また、ＤＭＲＳ関連フィールドのサイズは、前記候補のうち、ＤＭＲＳ状態の数が最大に設定された特定候補に基づいて決定されることができる。一例に、ＤＭＲＳ関連フィールドのサイズは、前記特定候補に対するＤＭＲＳ状態の数を表すための最小ビットサイズに設定されることができる。
【０７０７】
また、前記ＳＲＩフィールドのビットサイズは、前記端末に設定されたＳＲＳ資源セット内のＳＲＳ資源の数及び前記上向きリンク送信のために支援される最大レイヤの数に基づいて決定されることができる。一例に、上述したように、ＳＲＩフィールドのビットサイズは、ｃｅｉｌ（ｌｏｇ２（Ｓ＿ｔｏｔ））及び数式２０、数式２２によって決定されることができる。
【０７０８】
その後、端末は、受信したＤＣＩに基づいて上向きリンク共有チャネルを介して上向きリンク送信を行うことができる（ステップＳ１５１０）。
【０７０９】
これと関連して、当該端末は、図１８及び図１９に示されたような装置で構成されることができる。このような点を考慮するとき、上述した図１５での動作は、図１８及び図１９に示された装置により行われることができる。
【０７１０】
例えば、プロセッサ１８２１（及び／又は、プロセッサ１９１０）は、基地局から上向きリンク共有チャネル（例：ＰＵＳＣＨ）のスケジューリングのための下向きリンク制御情報（ＤＣＩ）を受信するように設定されることができる（ステップＳ１５０５）。また、プロセッサ１８２１（及び／又は、プロセッサ１９１０）は、受信したＤＣＩに基づいて、上向きリンク共有チャネルを介して上向きリンク送信を行うように設定されることができる（ステップＳ１５１０）。
【０７１１】
図１６は、本明細書において提案する方法が適用され得る無線通信システムで上向きリンク受信を行う基地局の動作順序図を示す。図１６は、単に説明の便宜のためのものであり、本発明の範囲を制限するものでない。
【０７１２】
図１６に示すように、端末及び／又は基地局は、上述した方法１）〜５）（特に、方法３）、図１４の方式）に基づいて動作する場合が仮定される。また、前記上向きリンク受信は、非−コードブック（ｎｏｎ−ｃｏｄｅｂｏｏｋ、ｎｏｎ−ＣＢ）基盤で行われる場合が仮定され得る。
【０７１３】
まず、基地局は、端末に上向きリンク共有チャネル（例：ＰＵＳＣＨ）のスケジューリングのための下向きリンク制御情報（ＤＣＩ）を送信できる（ステップＳ１６０５）。一例に、上述したように、当該ＤＣＩは、ＳＲＩを運ぶＳＲＩフィールド及びＤＭＲＳ関連フィールドを含むことができる。このとき、前記上向きリンク送信のためのレイヤの数（例：ランク値）は、前記ＳＲＩフィールドに基づいて決定または指示されることができる。また、前記ＤＭＲＳ関連フィールドのサイズは、前記レイヤの数の候補の各々に対して同様に設定されることができる。
【０７１４】
このとき、上述したように、ＤＭＲＳ関連フィールドは、ＤＭＲＳポート構成のために設定されたフィールドでありうる。また、ＤＭＲＳ関連フィールドのサイズは、前記候補のうち、ＤＭＲＳ状態の数が最大に設定された特定候補に基づいて決定されることができる。一例に、ＤＭＲＳ関連フィールドのサイズは、前記特定候補に対するＤＭＲＳ状態の数を表すための最小ビットサイズに設定されることができる。
【０７１５】
また、前記ＳＲＩフィールドのビットサイズは、前記端末に設定されたＳＲＳ資源セット内のＳＲＳ資源の数及び前記上向きリンク送信のために支援される最大レイヤの数に基づいて決定されることができる。一例に、上述したように、ＳＲＩフィールドのビットサイズは、ｃｅｉｌ（ｌｏｇ２（Ｓ＿ｔｏｔ））及び数式２０、数式２２によって決定されることができる。
【０７１６】
その後、基地局は、送信したＤＣＩに基づいて、上向きリンク共有チャネルを介して上向きリンク受信を行うことができる（ステップＳ１６１０）。
【０７１７】
これと関連して、当該基地局は、図１８に示されたような装置で構成されることができる。このような点を考慮するとき、上述した図１５での動作は、図１８に示された装置により行われることができる。
【０７１８】
例えば、プロセッサ１８１１は、端末に上向きリンク共有チャネル（例：ＰＵＳＣＨ）のスケジューリングのための下向きリンク制御情報（ＤＣＩ）を送信するように設定されることができる（ステップＳ１６０５）。また、プロセッサ１８１１は、送信したＤＣＩに基づいて、上向きリンク共有チャネルを介して上向きリンク受信を行うように設定されることができる（ステップＳ１６１０）。
【０７１９】
図１５及び／又は図１６のように、端末及び／又は基地局が動作する場合、既存のＤＭＲＳ関連構成（例：ＤＭＲＳ表）全体でないＳＲＩにより指示されるレイヤの数（すなわち、ランク値）によって設定されたＤＭＲＳ構成を用いるので、ＤＣＩに含まれるＤＭＲＳ関連フィールドのサイズが小さくなりうる。また、上述したように、レイヤの数に関係なく、各ＤＭＲＳ構成に対するビットサイズが同様に設定されることにより、端末が当該ＤＣＩをブラインドデコード（ｂｌｉｎｄ  ｄｅｃｏｄｉｎｇ）するとき、試み回数が増加しないという長所がある。すなわち、ＤＣＩに対する端末のブラインドデコードオーバーヘッド及び複雑度（ｃｏｍｐｌｅｘｉｔｙ）が減少され得るという効果がある。また、基地局の側面でもＤＣＩオーバーヘッドが減少されるという長所がある。
【０７２０】
前述したＣＢ基盤ＵＬモードとｎｏｎ−ＣＢ基盤ＵＬモード自体が上位階層により設定／スイッチングされ得る。したがって、前記「最下位セット（ｌｏｗｅｓｔ  ｓｅｔ）」と決められると、現在ＣＢ基盤ＵＬが可能な状態であれば、当該ｌｏｗｅｓｔ  ｓｅｔは、上記のＴｙｐｅ  Ａ対象セットになり、現在ｎｏｎ−ＣＢ基盤ＵＬが可能な状態であれば、当該ｌｏｗｅｓｔ  ｓｅｔは、上記のＴｙｐｅ  Ａ対象セットになることと動作されることができる。このとき、最下位（ｌｏｗｅｓｔ）は、１つの例示であり、「最上位（ｈｉｇｈｅｓｔ）」または特定「予め定義された／決定されたインデクシングされた（ｉｎｄｅｘｅｄ）」セットが該当し得る。
【０７２１】
次のようなＵＬ−ＭＩＭＯ  ＣＳＩ取得クラスが定義され得る：
【０７２２】
・クラスＡ（Ｎｏｎ−ｐｒｅｃｏｄｅｄ）
【０７２３】
ＵＥは、ｎｏｎ−ｐｒｅｃｏｄｅｄであるＭ（＞１）ポートを有する１つのＳＲＳ資源で設定されることができる。
【０７２４】
ＵＬ  ｓｃｈｅｄｕｌｉｎｇ  ｇｒａｎｔは、少なくともＴＲＩ、ＴＰＭＩ、及びＭＣＳ指示を含むことができる。
【０７２５】
・クラスＢ（Ｂｅａｍｆｏｒｍｅｄ）
【０７２６】
ＵＥは、ｂｅａｍｆｏｒｍｅｄであるＭ＿ｋ（＞＝１）ポートを各々有するＫ（＞１）ＳＲＳ資源で設定されることができる。
【０７２７】
ＵＬ  ｓｃｈｅｄｕｌｉｎｇ  ｇｒａｎｔは、少なくともＳＲＩ、ＴＲＩ、（ＴＰＭＩ）、及びＭＣＳ指示を含むことができる
【０７２８】
・クラスＣ（ハイブリッド）
【０７２９】
ＵＥは、｛１番目のクラスＡ＋２番目のクラスＢ｝または｛１番目のクラスＢ＋２番目のクラスＢ｝に設定されることができる。
【０７３０】
上述したように、後者である｛１番目のクラスＢ＋２番目のクラスＢ｝の場合、前の１番目のクラスＢが例えば、前記Ｔｙｐｅ  ２  ＳＲＳ  ｒｅｓｏｕｒｃｅの中から設定されることができる。このとき、このように、Ｔｙｐｅ  ２  ＳＲＳ資源のみで１番目のクラスＢが設定されるように限定されることもできる。
【０７３１】
例えば、１番目のクラスＢにＫ＝４の４個資源が設定されたとすれば、このようなＳＲＳ送信を基地局が受信して特定最適の資源（等）を選択した後、これを２番目のクラスＢのＳＲＳ資源（等）にビームフォーミングされた係数（ｂｅａｍｆｏｒｍｅｄ  ｃｏｅｆｆｉｃｉｅｎｔｓ）に適用することを指示できる。これが後述する「２番目のクラスＢに適用される１番目のクラスＡ／Ｂからキャプチャされた（ｃａｐｔｕｒｅｄ）Ｔｘビーム（等）の指示」に該当する。このような指示が提供されたとき、ＵＥは、当該Ｔｘビーム（等）は、前記指示が受信された（あるいは、送信された）時点からＴ時間（ｔｉｍｅ  ｉｎｓｔａｎｃｅ）（例えば、Ｔ＞＝０）以前のうち、最も最近に該当する単一時点（ｓｉｎｇｌｅ  ｉｎｓｔａｎｃｅ）に対して適用されたＴｘビームを適用できる。
【０７３２】
このような指示は、Ｌ２（例えば、ＭＡＣ  ＣＥ）または２番目のクラスＢのための非周期的なＳＲＳトリガー（例えば、ＤＣＩ）に伝達されることができる。ＭＡＣ  ＣＥに指示するとは（例えば特定（ＤＬ関連）ＤＣＩに）、このようなＭＡＣ  ＣＥが送信され得るデータヘッダ部分をスケジューリングして、当該メッセージを介していずれかの特定ＳＲＳ資源に適用されたＴｘビーム（等）（及び／又は、当該ポート間に適用する特定コードブックビームベクトル）をいずれかの特定（２番目のクラスＢ）ＳＲＳ資源に適用するか知らせることを意味する。または、基地局は、２番目のクラスＢに対する非周期的なＳＲＳトリガリングＤＣＩを介してこのような情報を共に知らせることもできる。
【０７３３】
ＵＬ  ｓｃｈｅｄｕｌｉｎｇ  ｇｒａｎｔは、少なくともＳＲＩ、ＴＲＩ、（ＴＰＭＩ）、及びＭＣＳ指示を含むことができる。
【０７３４】
以下、ハイブリッド（Ｈｙｂｒｉｄ）（すなわち、クラスＣ）に関するより詳細な動作を説明する。
【０７３５】
仮に、｛１番目のクラスＡ＋２番目のクラスＢ｝形態で設定される場合、前記「２番目のクラスＢに適用される１番目のクラスＡ／Ｂからキャプチャされた（ｃａｐｔｕｒｅｄ）Ｔｘビーム（等）の指示」は、特定ＴＰＭＩ形態の指示でありうる。この場合、当該ＴＰＭＩの次元（ｄｉｍｅｎｓｉｏｎ）は、｛１番目のクラスＡに該当するＳＲＳ資源内のポートの数｝ｂｙ｛当該適用される２番目のクラスＢの特定ＳＲＳ資源内のポートの数｝形態（ここで、行の数ｂｙ列の数で行列の次元を表す）の次元を有するプリコーディング行列（ＰＭ）インデックスのうち、特定値が指示される形態で定義されたり、設定されることができる。
【０７３６】
このとき、ＵＥが当該２番目のクラスＢに該当するＳＲＳ資源（等）を各資源当りポートの数が何であるかなどを既に設定された状態であれば、前記何−ｂｙ−何に該当する行列の次元（ｄｉｍｅｎｓｉｏｎ）が自動に決定され得る。したがって、上述した指示が特定ＰＭインデックス値の形態で提供されれば、ＵＥは、これが前記決定される何−ｂｙ−何に該当するＰＭ候補群のうち、当該値を適用することができる。つまり、通常、ＰＭがポート数−ｂｙ−レイヤ（ｌａｙｅｒ）数の形態で定義されることを参照するとき、上記のＴＰＭＩ形態の情報指示は、２番目のクラスＢの当該ＳＲＳ資源内の設定されたポート数だけのレイヤ（または、ランク）をＴｘビーム（等）を適用するという情報が提供されることと解釈されることもできる。
【０７３７】
また、前記適用対象である特定２番目のクラスＢの当該ＳＲＳ資源内のポート数の情報を上位階層（例えば、ＲＲＣ）設定パラメータから省略するか、または存在してもこれを無視するように決められた状態で、前記指示情報としてＴＰＭＩとともに特定ＴＲＩ形態の情報が共にＵＥに提供されることもできる。この場合、前述したように、このときに指示されるＴＲＩ値に該当する分だけのＳＲＳポートの数が前記特定２番目のクラスＢの当該ＳＲＳ資源内に連動されて設定される形態でＳＲＳポート数設定が前記指示情報に連動して可変する形態で定義されたり、設定されることができる。このように、当該２番目のクラスＢのＳＲＳ資源内のポートの数が可変できることを考慮して、このようなＳＲＳ送信資源割当が可変され得るように、前記決定されるポート数別に可変するＳＲＳ送信資源の位置が事前に定義されたり、設定されることができる。
【０７３８】
上記のような説明は、クラスＢ動作にのみ限定されず、先に本発明において説明する特定Ｔｘビーム（等）情報を特定ビームフォーミングされた／プリコーディングされたＳＲＳ資源に適用する動作（方法）に全て適用されることができる。
【０７３９】
次に、仮に、｛１番目のクラスＡ＋２番目のクラスＢ｝形態で設定される場合、前記「２番目のクラスＢに適用される１番目のクラスＡ／Ｂからキャプチャされた（ｃａｐｔｕｒｅｄ）Ｔｘビーム（等）の指示」は、特定ＳＲＩ形態（及び／又は、ＳＲＩ及び当該ＳＲＩ内の特定ポート（等））の指示でありうる。この場合、当該ＳＲＩ及び／又はポートインデックス（等）にＴｘビーム（等）を当該特定２番目のクラスＢの当該ＳＲＳ資源に適用するように指示する形態とみなされることができる。仮に、このような指示が特定ＳＲＩを指示する形態で定義されたり、設定され、当該ＳＲＩ内のポート数と前記特定２番目のクラスＢの当該ＳＲＳ資源に設定されたポート数とが同じである場合、各ポート別に同一Ｔｘビームが適用されるように定義されたり、設定されることができる。仮に、相違した場合、どのように処理すべきであるかに関して、次のいくつかのオプションのうち、少なくとも１つが適用され得る：
【０７４０】
・ＵＥは、指示された１番目のクラスＢ内の当該指示されるＳＲＩに適用されたＴｘビームが当該ＳＲＩ内の全てのポートに同じＴｘビームが適用されたことと仮定することができ、これを２番目のクラスＢに適用することができる。
【０７４１】
・ＵＥは、指示された１番目のクラスＢ内の当該指示されるＳＲＩ内の各ポート別に相違したＴｘビームが適用されたことと仮定することができる。そして、このうち、ＵＥが任意に選択してこれを前記２番目のクラスＢの当該ＳＲＳ資源に適用することができる。これは、一種の１番目のクラスＢに対してＳＲＩに指示したことは、そのポート数の分だけのＴｘビームグループを知らせたものであり、その中では、ＵＥがｇＮＢ−トランスペアレント（ｔｒａｎｓｐａｒｅｎｔ）に自ら選択して適用できるようにする動作を支援するという効果がある。
【０７４２】
さらに他の方法では、前記適用対象である特定２番目のクラスＢの当該ＳＲＳ資源内のポート数情報を上位階層（例えば、ＲＲＣ）設定パラメータから省略するか、または存在してもこれを無視するように決められた状態で、前記指示情報として特定ＳＲＩが指示されれば、このときに指示されるＳＲＩ内のＳＲＳポート数の分だけが前記特定２番目のクラスＢの当該ＳＲＳ資源内にＳＲＳポート数になることとみなすことができる。すなわち、ＳＲＳポート数の設定が前記指示情報に連動して可変する形態で定義されたり、設定されることもできる。このように、当該２番目のクラスＢのＳＲＳ資源内のポート数が可変できることを考慮して、当該ＳＲＳ送信資源割当が可変され得るように、前記決定されるｐｏｒｔ数別に可変するＳＲＳ送信資源位置が事前に定義されたり、設定されることができる。または、前記ＳＲＩが指示されれば、正確に当該１番目のクラスＢ内の当該ＳＲＩが送信される周期（例えば、５０ｍｓ）を前記２番目のクラスＢの当該ＳＲＳ資源関連して事前に設定された周期（例えば、１０ｍｓ）で周期のみ変更し、ＳＲＳ送信資源位置は、前記１番目のクラスＢ内の当該ＳＲＩの同じ送信資源位置に対して送信するように適用されることもできる。これは一種の１番目のクラスＢ内のＳＲＳ資源のうち、ＳＲＩに選択される前には、一般的に長期（ｌｏｎｇ−ｔｅｒｍ）（例えば、５０ｍｓ）に送信され、ＳＲＩに指示された瞬間から、次の変更されたＳＲＩ指示が受信されるまで、当該指示されたＳＲＩに該当するＳＲＳ送信周期を可変させる（例えば、２番目のクラスＢのために設定された１０ｍｓ）動作で適用されることができる。すなわち、半静的（ｓｅｍｉ−ｐｅｒｓｉｓｔｅｎｔ）及び／又は非周期的（ａｐｅｒｉｏｄｉｃ）ＳＲＳの場合にも、その周期的／非周期的送信タイプを前記２番目のクラスＢに設定された周期的／非周期的送信タイプに代替（ｏｖｅｒ−ｒｉｄｅ）することができる。このような説明は、前記クラスＢ動作にのみ限定されず、先に本発明において説明する特定Ｔｘビーム（等）情報を特定ビームフォーミングされた／プリコーディングされたＳＲＳ資源に適用する動作（方法）に全て適用することができる。
【０７４３】
・ＤＣＩによるＵＬ−ＭＩＭＯスケジューリングは、次のうち、少なくとも１つを含むことができる。
【０７４４】
i）ＵＥにより以前時間時点（ｔｉｍｅ  ｉｎｓｔａｎｃｅ）で送信されたＳＲＳ資源の指示（ＳＲＩ）
【０７４５】
各設定されたＳＲＳ資源は、少なくとも１つのＵＬ  ＴＸビーム／プレコーダと連関する。
【０７４６】
このフィールドは、多重のＳＲＳ資源がＵＥに設定されるときにのみ存在することもできる。
【０７４７】
ii）送信ランク指示子（ＴＲＩ）
【０７４８】
このフィールドの値は、指示されたＳＲＩで設定されたＳＲＳポートの数まで可能である。
【０７４９】
iii）広帯域送信ＰＭＩ（ＴＰＭＩ）
【０７５０】
プリコーディング行列（ＰＭ）は、指示されたＳＲＩ内の設定されたＳＲＳポートの数に依存する。
【０７５１】
ｎｏｎ−ｃｏｄｅｂｏｏｋ  ＵＬ  ＭＩＭＯ送信に対しては、このフィールドが存在しないこともある。
【０７５２】
iv）ＵＬ  ＭＣＳ指示
【０７５３】
・ＳＲＳのためのＴｘビームフォーマ（ｂｅａｍｆｏｒｍｅｒ）決定の際、次のように方法１及び方法２が支援され得る。
【０７５４】
i）方法１：ＵＥは、ｇＮＢトランスペアレント（ｔｒａｎｓｐａｒｅｎｔ）にＴｘビームフォーマ（ｂｅａｍｆｏｒｍｅｒ）をＳＲＳに適用する（例えば、ＵＥは、各ＳＲＳポート／資源のためにＴｘビームを決定する）。
【０７５５】
ii）方法２：ｇＮＢ指示に基づいて決定される（ＳＲＩを介して）。
【０７５６】
コードブック基盤ＵＬのための送信について説明する。
【０７５７】
・コードブック基盤ＵＬ送信は、ＵＬ  ｇｒａｎｔ内の少なくとも次のようなシグナリングを含む：
【０７５８】
i）ＳＲＩ＋ＴＰＭＩ＋ＴＲＩ
【０７５９】
ここで、ＴＰＭＮＩは、ＳＲＩにより選択されたＳＲＳ資源内のＳＲＳポート（等）にわたって選好されるプレコーダ（ｐｒｅｃｏｄｅｒ）を指示するために使用される。
【０７６０】
ii）仮に、単一ＳＲＳ資源が設定されるとき、ＳＲＩは存在しない。
【０７６１】
iii）多重−パネル（ｍｕｌｔｉ−ｐａｎｅｌ）の場合、パネル別に前記｛ＳＲＩ＋ＴＰＭＩ＋ＴＲＩ｝のセットが支援され得る。
【０７６２】
多重のＳＲＳ資源にわたって追加的なプリコーディング指示（例えば、多重のＳＲＳ資源にわたって位相位置（ｃｏ−ｐｈａｓｉｎｇ））などが考慮され得る。
【０７６３】
iv）周波数選択的なプリコーディングを支援するために、多重のＳＲＳ資源での選択が指示され得る。例えば、それぞれの指示されるＳＲＩ  １、ＳＲＩ  ２、ＳＲＩ  ３、．．．は、各々特定（予め定義されたまたは設定可能な）周波数単位（ｆｒｅｑｕｅｎｃｙ  ｇｒａｎｕｌａｒｉｔｙ）（例えば、ＰＲＢのグループ等）にのみ適用されるように限定されることができる。その結果、周波数ドメインで周波数選択的なプリコーディングが多重のＳＲＩにより適用され得る。
【０７６４】
・ＳＲＳ  Ｔｘビーム決定のためのＳＲＩシグナリング
【０７６５】
ＵＬ  ＣＳＩ取得のためのＳＲＳ資源のためのＳＲＳ  Ｔｘビームに適用するために、ＳＲＩは、設定されたＵＬビーム管理のためのＳＲＳ資源の中から選択される。
【０７６６】
ＳＲＩは、ＤＣＩまたはＭＡＣ  ＣＥに指示されることができる。
【０７６７】
このとき、ＳＲＩとともに、ＳＲＳポートインデックスも指示されることができる。
【０７６８】
ここで、ＳＲＩは、ＵＬ  ｇｒａｎｔ内に含まれるＳＲＩと相違する。
【０７６９】
・ＵＬのためのｎｏｎ−ｃｏｄｅｂｏｏｋ基盤ＵＬ送信は、ＵＬ  ｇｒａｎｔ内に少なくとも次のようなシグナリングを支援する。
【０７７０】
i）ＴＰＭＩ／ＴＰＩ無しのＳＲＩ
【０７７１】
ランクは、ＳＲＩにより選択された１つまたはそれ以上のＳＲＳ資源（等）にわたったＳＲＳポート（等）の設定された数の合計と同一である。
【０７７２】
データ送信のために、ＵＥは、ＳＲＩにより指示されたＳＲＳポート（等）で使用されたプレコーダ（等）と同一のプレコーダ（等）をＰＵＳＣＨポート（等）に適用する。
【０７７３】
周波数選択的なプリコーディングを支援するために、多重のＳＲＳ資源の選択に対して追加的に指示されることができる。
【０７７４】
ii）単一のＳＲＳ資源が設定されるとき、ＳＲＩは存在しない。
【０７７５】
・ＵＬ関連ＤＣＩ内の非周期的なＳＲＳトリガリングフィールド
【０７７６】
i）Ｎビットフィールド
【０７７７】
１番目のコードポイント（ｃｏｄｅｐｏｉｎｔ）は、「ＳＲＳ送信がトリガリングされないこと」に該当する。
【０７７８】
ｎ番目のコードポイント（ｃｏｄｅｐｏｉｎｔ）は、設定されたＳＲＳ資源のうち、少なくとも１つを選択する。したがって、各ＳＲＩフィールド内の状態（ｓｔａｔｅ）別に１つまたはそれ以上のＳＲＳ資源（等）がジョイントエンコード（ｊｏｉｎｔ  ｅｎｃｏｄｉｎｇ）され得る。このとき、ＲＲＣ／ＭＡＣ  ＣＥなどで予め各状態（ｓｔａｔｅ）またはコードポイント（ｃｏｄｅｐｏｉｎｔ）が説明され、当該状態（ｓｔａｔｅ）が動的に指示されることもできる。
【０７７９】
ii）このフィールドは、ＳＲＩフィールドが独立的なフィールドである。
【０７８０】
図１７は、本発明の一実施形態に係る上向きリンク送受信方法を例示する図である。
【０７８１】
図１７に示すように、ＵＥは、基地局から上向きリンク参照信号（例えば、ＳＲＳ）資源設定情報を受信する（Ｓ１７０１）。
【０７８２】
上向きリンク参照信号（例えば、ＳＲＳ）資源設定情報は、上向きリンク参照信号の送信を設定するために使用され、このような設定は、上向きリンク参照信号資源セット（等）情報及び各上向きリンク参照信号資源セット内の上向きリンク参照信号資源（等）情報を含む。特に、上向きリンク参照信号資源設定情報は、当該上向きリンク参照信号資源設定情報の対象（ｔａｒｇｅｔ）である上向きリンク参照信号と当該上向きリンク参照信号以前に送信された上向きリンク参照信号（例えば、ＳＲＳ）／下向きリンク参照信号（例えば、ＣＳＩ−ＲＳ）間の連関設定（すなわち、連関（ｌｉｎｋａｇｅ）情報）を含むことができる。
【０７８３】
ここで、連関設定は、特定上向きリンク参照信号／下向きリンク参照信号資源／ポート送信に適用されたプレコーダ（ｐｒｅｃｏｄｅｒ）／ビームフォーマ（ｂｅａｍｆｏｒｍｅｒ）に基づいてターゲット上向きリンク参照信号（例えば、ＳＲＳ）送信を行って（例えば、同じプレコーダ（ｐｒｅｃｏｄｅｒ）／ビームフォーマ（ｂｅａｍｆｏｒｍｅｒ）を適用）ほしいという指示情報を意味する。図１７には、上向きリンク参照信号だけを例示しているが、本発明がこれに限定されるものではない。
【０７８４】
このとき、ターゲット（ｔａｒｇｅｔ）上向きリンク参照信号（図１７において第２の上向きリンク参照信号）と以前に送信された上向きリンク参照信号（図１７において第１の上向きリンク参照信号）／下向きリンク参照信号間の連関（ｌｉｎｋａｇｅ）設定情報として、ターゲット（ｔａｒｇｅｔ）上向きリンク参照信号以前に送信された上向きリンク参照信号／下向きリンク参照信号資源情報をＵＥに指示することができる（例えば、ＳＲＩなどを用いて）。
【０７８５】
また、基地局は、ターゲット（ｔａｒｇｅｔ）上向きリンク参照信号（図１７において第２の上向きリンク参照信号）と以前に送信された上向きリンク参照信号（図１７において第１の上向きリンク参照信号）／下向きリンク参照信号間の連関（ｌｉｎｋａｇｅ）設定情報として、ターゲット（ｔａｒｇｅｔ）上向きリンク参照信号以前に送信された上向きリンク参照信号／下向きリンク参照信号資源内の特定アンテナポート（または、アンテナポートグループ）情報をＵＥに指示することもできる。
【０７８６】
このとき、特定上向きリンク参照信号（図１７において第１の上向きリンク参照信号）は、ターゲット上向きリンク参照信号（図１７において第２の上向きリンク参照信号）の送信以前に最も最近に送信された上向きリンク参照信号に該当し得る。
【０７８７】
ＵＥは、プリコーディングされた第１の上向きリンク参照信号を基地局に送信する（Ｓ１７０２）。
【０７８８】
ＵＥは、プリコーディングされた第２の上向きリンク参照信号をステップＳ１７０１の上向きリンク参照信号資源情報により指示された上向きリンク参照信号資源上で基地局に送信する（Ｓ１７０３）。
【０７８９】
すなわち、ＵＥは、１つ以上の上向きリンク参照信号資源セットが設定され得るし、また、セット内に１つ以上の上向きリンク参照信号資源が設定され得る。したがって、ステップＳ１７０１で上向きリンク参照信号資源設定情報は、各第１の上向きリンク参照信号だけでなく、第２の上向きリンク参照信号に関しても指示されることができるが、説明の便宜のために、本実施形態では、ステップＳ１７０１での上向きリンク参照信号資源設定情報は、第２の上向きリンク参照信号（すなわち、第２の上向きリンク参照信号がターゲット（ｔａｒｇｅｔ）参照信号である）に関する情報と仮定して説明する。
【０７９０】
このとき、ＵＥは、先に連関設定情報により指示された第１の上向きリンク参照信号に適用されたプリコーディング（すなわち、プレコーダ／ビームフォーマ）に基づいて第２の上向きリンク参照信号を送信できる。例えば、第１の上向きリンク参照信号に適用されたプリコーディングを第２の上向きリンク参照信号送信の際に同様に適用することができる。
【０７９１】
上述したように、ＵＥは、１つ以上の上向きリンク参照信号資源セットが設定され得るし、また、セット内に１つ以上の上向きリンク参照信号資源が設定され得る。このとき、基地局により前記上向きリンク参照信号資源がいかなる動作のために用いられるか設定されることができる。
【０７９２】
一例に、上述したように、Ｔｙｐｅ  １上向きリンク参照信号資源（リンク適応のために）とＴｙｐｅ  ２上向きリンク参照信号資源（ビーム管理のために）とに分類されることができる。基地局は、ＵＥに設定された上向きリンク参照信号資源（または、資源セット）がＴｙｐｅ  １上向きリンク参照信号資源であるか、Ｔｙｐｅ  ２上向きリンク参照信号資源であるか知らせることができる。または、基地局は、ＵＥに設定された上向きリンク参照信号資源（または、資源セット）がリンク適応のための上向きリンク参照信号資源であるか、ビーム管理のための上向きリンク参照信号資源であるか知らせることができる。
【０７９３】
本発明が適用され得る装置一般
【０７９４】
図１８は、本明細書において提案する方法が適用され得る無線通信装置のブロック構成図を例示する。
【０７９５】
図１８に示すように、無線通信システムは、基地局１８１０と、基地局１８１０領域内に位置した複数の端末１８２０とを備える。
【０７９６】
基地局１８１０は、プロセッサ（ｐｒｏｃｅｓｓｏｒ、１８１１）、メモリ（ｍｅｍｏｒｙ、１８１２）、及びＲＦ部（Ｒａｄｉｏ  Ｆｒｅｑｕｅｎｃｙｕｎｉｔ、１８１３）を備える。プロセッサ１８１１は、先に図１〜図１７において提案された機能、過程、及び／又は方法を実現する。無線インターフェースプロトコルの階層は、プロセッサ１８１１により実現されることができる。メモリ１８１２は、プロセッサ１８１１と連結されて、プロセッサ１８１１を駆動するための様々な情報を格納する。ＲＦ部１８１３は、プロセッサ１８１１と連結されて、無線信号を送信及び／又は受信する。
【０７９７】
端末１８２０は、プロセッサ１８２１、メモリ１８２２、及びＲＦ部１８２３を備える。
【０７９８】
プロセッサ１８２１は、先に図１〜図１７において提案された機能、過程、及び／又は方法を実現する。無線インターフェースプロトコルの階層は、プロセッサ１８２１により実現されることができる。メモリ１８２２は、プロセッサ１８２１と連結されて、プロセッサ１８２１を駆動するための様々な情報を格納する。ＲＦ部１８２３は、プロセッサ１８２１と連結されて、無線信号を送信及び／又は受信する。
【０７９９】
メモリ１８１２、１８２２は、プロセッサ１８１１、１８２１の内部または外部にありうるし、よく知られた様々な手段でプロセッサ１８１１、１８２１と連結されることができる。
【０８００】
一例として、低遅延（ｌｏｗ  ｌａｔｅｎｃｙ）サービスを支援する無線通信システムで下向きリンクデータ（ＤＬ  ｄａｔａ）を送受信するために、端末は、無線信号を送受信するためのＲＦ（Ｒａｄｉｏ  Ｆｒｅｑｕｅｎｃｙ）ユニット、及び前記ＲＦユニットと機能的に連結されるプロセッサを備えることができる。
【０８０１】
また、基地局１８１０及び／又は端末１８２０は、１個のアンテナ（ｓｉｎｇｌｅ  ａｎｔｅｎｎａ）または多重アンテナ（ｍｕｌｔｉｐｌｅ  ａｎｔｅｎｎａ）を有することができる。
【０８０２】
図１９は、本発明の一実施形態に係る通信装置のブロック構成図を例示する。
【０８０３】
特に、図１９では、先の図１８の端末をより詳細に例示する図である。
【０８０４】
図１９に示すように、端末は、プロセッサ（または、デジタル信号プロセッサ（ＤＳＰ：ｄｉｇｉｔａｌ  ｓｉｇｎａｌ  ｐｒｏｃｅｓｓｏｒ）１９１０、ＲＦモジュール（ＲＦ  ｍｏｄｕｌｅ）（または、ＲＦユニット）１９３５、パワー管理モジュール（ｐｏｗｅｒ  ｍａｎａｇｅｍｅｎｔ  ｍｏｄｕｌｅ）１９０５、アンテナ（ａｎｔｅｎｎａ）１９４０、バッテリ（ｂａｔｔｅｒｙ）１９５５、ディスプレイ（ｄｉｓｐｌａｙ）１９１５、キーパッド（ｋｅｙｐａｄ）１９２０、メモリ（ｍｅｍｏｒｙ）１９３０、シムカード（ＳＩＭ（Ｓｕｂｓｃｒｉｂｅｒ  Ｉｄｅｎｔｉｆｉｃａｔｉｏｎ  Ｍｏｄｕｌｅ）ｃａｒｄ）１９２５（この構成は、選択的である）、スピーカ（ｓｐｅａｋｅｒ）１９４５、及びマイクロホン（ｍｉｃｒｏｐｈｏｎｅ）１９５０を備えて構成されることができる。端末は、さらに、単一のアンテナまたは多重のアンテナを備えることができる。
【０８０５】
プロセッサ１９１０は、先に図１〜図１７において提案された機能、過程、及び／又は方法を実現する。無線インターフェースプロトコルの階層は、プロセッサ１９１０により実現されることができる。
【０８０６】
メモリ１９３０は、プロセッサ１９１０と連結され、プロセッサ１９１０の動作と関連した情報を格納する。メモリ１９３０は、プロセッサ１９１０の内部または外部にありうるし、よく知られた様々な手段でプロセッサ１９１０と連結されることができる。
【０８０７】
ユーザは、例えば、キーパッド１９２０のボタンを押すか（あるいは、タッチするか）、またはマイクロホン１９５０を用いた音声駆動（ｖｏｉｃｅ  ａｃｔｉｖａｔｉｏｎ）により電話番号などのような命令情報を入力する。プロセッサ１９１０は、このような命令情報を受信し、電話番号にて電話をかけるなど、適切な機能を果たすように処理する。駆動上のデータ（ｏｐｅｒａｔｉｏｎａｌ  ｄａｔａ）は、シムカード１９２５またはメモリ１９３０から抽出することができる。また、プロセッサ１９１０は、ユーザが認知し、さらに、便宜のために、命令情報または駆動情報をディスプレイ１９１５上にディスプレイすることができる。
【０８０８】
ＲＦモジュール１９３５は、プロセッサ１９１０に連結されて、ＲＦ信号を送信及び／又は受信する。プロセッサ１９１０は、通信を開始するために、例えば、音声通信データを構成する無線信号を送信するように命令情報をＲＦモジュール１９３５に伝達する。ＲＦモジュール１９３５は、無線信号を受信及び送信するために、受信機（ｒｅｃｅｉｖｅｒ）及び送信機（ｔｒａｎｓｍｉｔｔｅｒ）で構成される。アンテナ１９４０は、無線信号を送信及び受信する機能をする。無線信号を受信するとき、ＲＦモジュール１９３５は、プロセッサ１９１０により処理するために信号を伝達し、基底帯域に信号を変換できる。処理された信号は、スピーカ１９４５を介して出力される可聴または可読情報に変換されることができる。
【０８０９】
図２０は、本明細書において提案する方法が適用され得る無線通信装置のＲＦモジュールの一例を示した図である。
【０８１０】
具体的に、図２０は、ＦＤＤ（Ｆｒｅｑｕｅｎｃｙ  Ｄｉｖｉｓｉｏｎ  Ｄｕｐｌｅｘ）システムで実現されることができるＲＦモジュールの一例を示す。
【０８１１】
まず、送信経路で、図１８及び図１９において記述されたプロセッサは、送信されるデータをプロセシングしてアナログ出力信号を送信機２０１０に提供する。
【０８１２】
送信機２０１０内で、アナログ出力信号は、デジタル−対−アナログ変換（ＡＤＣ）により引き起こされるイメージを除去するために、低域通過フィルタ（Ｌｏｗ  Ｐａｓｓ  Ｆｉｌｔｅｒ、ＬＰＦ）２０１１によりフィルタリングされ、上向き変換機（Ｍｉｘｅｒ、２０１２）により基底帯域からＲＦに上向き変換され、可変利得増幅器（ｖａｒｉａｂｌｅ  Ｇａｉｎ  Ａｍｐｌｉｆｉｅｒ、ｖＧＡ）２０１３により増幅され、増幅された信号は、フィルタ２０１４によりフィルタリングされ、電力増幅器（Ｐｏｗｅｒ  Ａｍｐｌｉｆｉｅｒ、ＰＡ）２０１５により追加に増幅され、デュプレクサ（等）２０５０／アンテナスイッチ（等）２０６０を介してルーティングされ、アンテナ２０７０を介して送信される。
【０８１３】
また、受信経路で、アンテナは、外部から信号を受信して、受信された信号を提供し、この信号等は、アンテナスイッチ（等）２０６０／デュプレクサ２０５０を介してルーティングされ、受信機２０２０に提供される。
【０８１４】
受信機２０２０内で、受信された信号等は、低雑音増幅器（Ｌｏｗ  Ｎｏｉｓｅ  Ａｍｐｌｉｆｉｅｒ、ＬＮＡ）２０２３により増幅され、帯域通過フィルタ２０２４によりフィルタリングされ、下向き変換機（Ｍｉｘｅｒ、２０２５）によりＲＦから基底帯域に下向き変換される。
【０８１５】
前記下向き変換された信号は、低域通過フィルタ（ＬＰＦ、２０２６）によりフィルタリングされ、ＶＧＡ（２０２７）により増幅されて、アナログ入力信号を取得し、これは、図１８及び図１９において記述されたプロセッサに提供される。
【０８１６】
また、ローカルオシレータ（ｌｏｃａｌ  ｏｓｃｉｌｌａｔｏｒ、ＬＯ）発生器２０４０は、送信及び受信ＬＯ信号を発生及び上向き変換機２０１２及び下向き変換機２０２５に各々提供する。
【０８１７】
また、位相固定ループ（Ｐｈａｓｅ  Ｌｏｃｋｅｄ  Ｌｏｏｐ、ＰＬＬ）２０３０は、適切な周波数で送信及び受信ＬＯ信号を生成するために、プロセッサから制御情報を受信し、制御信号をＬＯ発生器２０４０に提供する。
【０８１８】
また、図２０に示された回路は、図２０に示された構成と異なるように配列されることもできる。
【０８１９】
図２１は、本明細書において提案する方法が適用され得る無線通信装置のＲＦモジュールのさらに他の一例を示した図である。
【０８２０】
具体的に、図２１は、ＴＤＤ（Ｔｉｍｅ  Ｄｉｖｉｓｉｏｎ  Ｄｕｐｌｅｘ）システムで実現され得るＲＦモジュールの一例を示す。
【０８２１】
ＴＤＤシステムにおけるＲＦモジュールの送信機２１１０及び受信機２１２０は、ＦＤＤシステムにおけるＲＦモジュールの送信機及び受信機の構造と同一である。
【０８２２】
以下、ＴＤＤシステムのＲＦモジュールは、ＦＤＤシステムのＲＦモジュールと差が生じる構造についてのみ説明し、同じ構造については、図１５の説明を参照する。
【０８２３】
送信機の電力増幅器（Ｐｏｗｅｒ  Ａｍｐｌｉｆｉｅｒ、ＰＡ）２１１５により増幅された信号は、バンド選択スイッチ（Ｂａｎｄ  Ｓｅｌｅｃｔ  Ｓｗｉｔｃｈ、２１５０）、帯域通過フィルタ（ＢＰＦ、２１６０）、及びアンテナスイッチ（等）２１７０を介してルーティングされ、アンテナ２１８０を介して送信される。
【０８２４】
また、受信経路で、アンテナは、外部から信号を受信し、受信された信号を提供し、この信号は、アンテナスイッチ（等）２１７０、帯域通過フィルタ２１６０、及びバンド選択スイッチ２１５０を介してルーティングされ、受信機２１２０に提供される。
【０８２５】
以上で説明された実施形態は本発明の構成要素と特徴が所定の形態に結合されたものである。各構成要素または特徴は、別途の明示的な言及がない限り、選択的なものとして考慮されなければならない。各構成要素または特徴は他の構成要素や特徴と結合されない形態に実施できる。また、一部構成要素及び／又は特徴を結合して本発明の実施形態を構成することも可能である。本発明の実施形態で説明される動作の順序は変更可能である。ある実施形態の一部構成や特徴は他の実施形態に含まれることができ、または他の実施形態の対応する構成または特徴と取替えできる。特許請求範囲で明示的な引用関係がない請求項を結合して実施形態を構成するか、または出願後の補正により新たな請求項に含めることができることは明らかである。
【０８２６】
本発明に従う実施形態は多様な手段、例えば、ハードウェア、ファームウエア（ｆｉｒｍｗａｒｅ）、ソフトウェア、またはそれらの結合などにより具現できる。ハードウェアによる具現の場合、本発明の一実施形態は１つまたはその以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロ・プロセッサなどにより具現できる。
【０８２７】
ファームウエアやソフトウェアによる具現の場合、本発明の一実施形態は以上で説明された機能または動作を遂行するモジュール、手続、関数などの形態に具現できる。ソフトウェアコードは、メモリに格納されてプロセッサにより駆動できる。前記メモリは、前記プロセッサ内部または外部に位置し、既に公知された多様な手段により前記プロセッサとデータをやり取りすることができる。
【０８２８】
本発明は、本発明の必須的特徴を逸脱しない範囲で他の特定の形態に具体化できることは当業者に明らかである。したがって、前述した詳細な説明は全ての面から制約的に解析されてはならず、例示的なものとして考慮されなければならない。本発明の範囲は添付の請求項の合理的解析により決定されなければならず、本発明の等価的範囲内での全ての変更は本発明の範囲に含まれる。
【産業上の利用可能性】
【０８２９】
本発明は、３ＧＰＰ  ＬＴＥ／ＬＴＥ−Ａシステムまたは５Ｇシステムに適用される例を中心に説明したが、３ＧＰＰ  ＬＴＥ／ＬＴＥ−Ａシステムまたは５Ｇシステムの他にも、様々な無線通信システムに適用することが可能である。
【図１】
0006826204.tif 000032
【図２】
0006826204.tif 000033
【図３】
0006826204.tif 000034
【図４】
0006826204.tif 000035
【図５】
0006826204.tif 000036
【図６】
0006826204.tif 000037
【図７】
0006826204.tif 000038
【図８】
0006826204.tif 000039
【図９】
0006826204.tif 000040
【図１０】
0006826204.tif 000041
【図１１】
0006826204.tif 000042
【図１２】
0006826204.tif 000043
【図１３】
0006826204.tif 000044
【図１４】
0006826204.tif 000045
【図１５】
0006826204.tif 000046
【図１６】
0006826204.tif 000047
【図１７】
0006826204.tif 000048
【図１８】
0006826204.tif 000049
【図１９】
0006826204.tif 000050
【図２０】
0006826204.tif 000051
【図２１】
0006826204.tif 000052